(57)【要約】  複数のマイクロ流体ポンプ、マイクロ流体弁、少なくとも１つの加熱器、相互に異なる粘度を持つ複数の流体のマイクロ流体量を受け取って混合するように構成されたマイクロ流体ミキサーチップを含む、安全な可搬式オンデマンドマイクロ流体混合及び分注装置が開示される。装置は、複数の流体の各々を、それぞれのタンク又はリザーバからマイクロ流体ミキサーチップに移動させるためにその中に規定された複数の経路を含む。混合コントローラは、異なる粘度を持つ流体が、指定されたマイクロ流体レシピに従い、指定されたマイクロ流体量又は容積で正確に混合されることができるように、マイクロ流体ポンプ、弁、及び少なくとも１つの加熱器を制御するように構成され、マイクロ流体混合物が装置から分注される。装置は、スマートフォンなどの、モバイル計算装置上で実装されたソフトウェアアプリケーションと通信して、指定されたマイクロ流体レシピを実装するための命令をソフトウェアアプリケーションから受信することができ、それにより、装置構成要素の操作がソフトウェアアプリケーションの指示で、モバイル計算装置上で実行される。【選択図】図２４Ａ
2019516433.tif 000002
【特許請求の範囲】
【請求項１】
安全な可搬式オンデマンドマイクロ流体ミキサーシステムであって、
指定されたレシピに基づいてブレンド命令を発行するように構成された、モバイル計算装置上で実装されたブレンドアプリケーションと、
マイクロ流体ミキサー装置であって、
マイクロ流体ミキサー装置筐体と、
前記装置筐体内に配置された複数のマイクロ流体ポンプと、
前記装置筐体内に配置された複数のマイクロ流体弁と、
少なくとも部分的に前記装置筐体を通って延在するマイクロ流体ディスペンサと、
前記装置筐体内に配置されて、少なくとも１つの第１の流体、第２の流体、及び少なくとも１つの第３の流体の各々のマイクロ流体量を受け取って、測定するように構成された取外し可能なマイクロ流体ミキサーチップであって、各流体は、他の流体の各々の粘度とは異なる粘度を有する、取外し可能なマイクロ流体ミキサーチップと、
前記装置筐体内に配置されて、前記取外し可能なマイクロ流体ミキサーチップを加熱するように構成された、マイクロ流体ミキサーチップ加熱器と、
前記装置筐体内に配置されて、流体キャニスタを交換可能に受け入れて、受け入れた流体キャニスタを加熱するように構成された、キャニスタ加熱器ブロックと、
前記装置筐体内に配置されて、前記モバイル計算装置上に実装された前記ブレンドアプリケーションと電子的に通信し、それからブレンドアプリケーションブレンド命令を受信するように構成された、混合コントローラと、を含む、マイクロ流体ミキサー装置と、
その中に規定された複数の流体経路を含み、前記装置筐体内に含まれた、前記マイクロ流体ミキサーチップ装置であって、前記流体経路は、前記第１の流体を含む第１の流体キャニスタから前記マイクロ流体ミキサーチップへの流体連結を提供する流体経路と、前記第２の流体を含む第２の流体キャニスタから前記マイクロ流体ミキサーチップへの流体連結を提供する流体経路と、前記少なくとも１つの第３の流体を含む第３の流体キャニスタから前記マイクロ流体ミキサーチップへの流体連結を提供する流体経路と、前記マイクロ流体ミキサーチップから前記マイクロ流体ディスペンサへの流体連結を提供する流体経路と、を含み、前記マイクロ流体ディスペンサは、前記第１の流体、第２の流体、及び少なくとも１つの第３の流体の各々の測定されたマイクロ流体量を前記マイクロ流体ミキサーチップから分注のために受け取るように構成されている、前記マイクロ流体ミキサーチップ装置と、
（ｉ）前記モバイル計算装置上で実装された前記ブレンドアプリケーションと通信してブレンドアプリケーションブレンド命令を受信し、かつ（ｉｉ）前記ブレンドアプリケーションから受信したブレンド命令に基づいて：
（ａ）前記レシピに従って、前記流体の各々に対して混合温度を確立するために前記キャニスタ加熱器及び前記マイクロ流体ミキサーチップを制御し、それにより、前記流体の少なくとも１つの前記粘度を上昇させることと、
（ｂ）前記複数のマイクロ流体ポンプの各々及び前記複数のマイクロ流体弁の各々を制御し、それにより、前記マイクロ流体ミキサー装置内のシステム圧力を制御して：そのため（１）前記第１の流体が前記マイクロ流体ミキサーチップに供給され、（２）前記第２の流体が前記マイクロ流体ミキサーチップに供給され、（３）前記少なくとも１つの第３の流体が前記マイクロ流体ミキサーチップに供給され、（４）第１の流体、第２の流体、及び少なくとも１つの第３の流体の各々が、前記レシピに従いマイクロ流体量で測定されて、前記第１の流体、第２の流体、及び少なくとも１つの第３の流体の各々のマイクロ流体混合物を提供することと、
（ｃ）マイクロ流体混合物が前記マイクロ流体ディスペンサから分注されるように、前記複数のマイクロ流体ポンプの各々及び前記複数のマイクロ流体弁の各々を制御することと、を行うように構成された前記混合コントローラと、を備える、安全な可搬式オンデマンドマイクロ流体ミキサーシステム。
【請求項２】
前記装置筐体は、前記マイクロ流体ミキサーチップが前記マイクロ流体ミキサー装置から取り外すことができるように分離可能であり、前記装置筐体はロックを含み、前記ロックが係合されている場合、前記装置筐体の分離を防ぐ、請求項１に記載の安全な可搬式オンデマンドマイクロ流体ミキサーシステム。
【請求項３】
前記装置筐体は、流体キャニスタが前記キャニスタ加熱器ブロックから取り外されるか、又は前記キャニスタ加熱器ブロック内に取り付けることができるように分離可能であり、前記装置筐体はロックを含み、前記ロックが係合されている場合、前記装置筐体の分離を防ぐ、請求項１又は２に記載の安全な可搬式オンデマンドマイクロ流体ミキサーシステム。
【請求項４】
前記装置筐体は分離可能であり、電子ロックを含み、前記電子ロックが係合されている場合、前記装置筐体の分離を防ぎ、前記電子ロックは、前記混合コントローラによって制御され、前記電子ロックが前記ブレンドアプリケーションからロック解除命令を受信する前記混合コントローラに基づいて解放できるように構成される、請求項１に記載の安全な可搬式オンデマンドマイクロ流体ミキサーシステム。
【請求項５】
前記マイクロ流体ミキサーチップがフッ素化エチレンプロピレンを含む、請求項１〜４のいずれか１項に記載の安全な可搬式オンデマンドマイクロ流体ミキサーシステム。
【請求項６】
流体を受け入れるように構成された前記マイクロ流体ミキサーチップ内に規定された流体チャネルが、各流体チャネルの実質的に全ての表面が基本的にフッ素化エチレンプロピレンで構成されるように、構成される、請求項１〜４のいずれか１項に記載の安全な可搬式オンデマンドマイクロ流体ミキサーシステム。
【請求項７】
前記マイクロ流体ミキサーチップが基本的にフッ素化エチレンプロピレンで構成される、請求項１〜６のいずれか１項に記載の安全な可搬式オンデマンドマイクロ流体ミキサーシステム。
【請求項８】
前記マイクロ流体ミキサーチップがフッ素化エチレンプロピレンで構成される、請求項１〜６のいずれか１項に記載の安全な可搬式オンデマンドマイクロ流体ミキサーシステム。
【請求項９】
前記混合温度が１２０度Ｆ〜３００度Ｆの間である、請求項１〜８のいずれか１項に記載の安全な可搬式オンデマンドマイクロ流体ミキサーシステム。
【請求項１０】
前記混合温度が１３０度Ｆ〜２００度Ｆの間である、請求項１〜９のいずれか１項に記載の安全な可搬式オンデマンドマイクロ流体ミキサーシステム。
【請求項１１】
前記混合温度が１４０度Ｆ〜１７５度Ｆの間である、請求項１〜１０のいずれか１項に記載の安全な可搬式オンデマンドマイクロ流体ミキサーシステム。
【請求項１２】
前記混合温度が１５０度Ｆ〜１７０度Ｆの間である、請求項１〜１１のいずれか１項に記載の安全な可搬式オンデマンドマイクロ流体ミキサーシステム。
【請求項１３】
システム圧力が約０．１〜１０ＰＳＩである、請求項１〜１２のいずれか１項に記載の安全な可搬式オンデマンドマイクロ流体ミキサーシステム。
【請求項１４】
モバイル計算装置上で実装されたブレンドアプリケーションと、
マイクロ流体ミキサー装置であって、
マイクロ流体ミキサー装置筐体と、
少なくとも１つのマイクロ流体ポンプと、
少なくとも１つのマイクロ流体弁と、
マイクロ流体ディスペンサと、
第１のカンナビノイドオイルのマイクロ流体量、少なくとも１つの第２のカンナビノイドオイルのマイクロ流体量、及び少なくとも１つのテルペンのマイクロ流体量を受け取って混合して、マイクロ流体カンナビノイド混合物を形成するように構成され、前記第１のカンナビノイドオイル及び前記第２のカンナビノイドオイルの各々が前記少なくとも１つのテルペンの粘度とは異なる粘度を持つ、マイクロ流体ミキサーチップと、
前記マイクロ流体ミキサー装置であって、前記第１のカンナビノイドオイルを含む第１のカンナビノイドキャニスタから前記マイクロ流体ミキサーチップへの流体連結を提供する流体経路、前記第２のカンナビノイドオイルを含む第２のカンナビノイドキャニスタから前記マイクロ流体ミキサーチップへの流体連結を提供する流体経路、前記少なくとも１つのテルペンを含むテルペンキャニスタから前記マイクロ流体ミキサーチップへの流体連結を提供する流体経路、並びに前記マイクロ流体ミキサーチップ及びマイクロ流体ディスペンサからの流体連結を提供する流体経路を含む、その中に規定された複数の流体経路を含み、前記マイクロ流体ディスペンサは、前記マイクロ流体混合物を前記マイクロ流体ミキサーチップから受け取り、前記マイクロ流体混合物を前記装置から分注するように構成された、前記マイクロ流体ミキサー装置と、
前記マイクロ流体ミキサーチップを加熱するように構成されたマイクロ流体ミキサーチップ加熱器と、
前記第１のカンナビノイドキャニスタ、前記第２のカンナビノイドキャニスタ、及び／又は前記テルペンキャニスタの少なくとも１つを加熱するように構成されたキャニスタ加熱器と、
前記モバイル計算装置上で実装されて、前記ブレンドアプリケーションから受信した命令に基づいて、前記少なくとも１つのマイクロ流体ポンプ、前記少なくとも１つのマイクロ流体弁、前記マイクロ流体ミキサーチップ加熱器、及び前記キャニスタ加熱器の各々を制御し、それにより、（１）前記第１のカンナビノイドオイルの前記ブレンドアプリケーションからの前記命令によって指定されたマイクロ流体量が前記マイクロ流体ミキサーチップに供給され、（２）前記第２のカンナビノイドオイルの前記ブレンドアプリケーションからの前記命令によって指定されたマイクロ流体量が前記マイクロ流体ミキサーチップに供給され、（３）前記少なくとも１つのテルペンの前記ブレンドアプリケーションからの前記命令によって指定されたマイクロ流体量が前記マイクロ流体ミキサーチップに供給され、（４）前記マイクロ流体ミキサーチップが、前記第１のカンナビノイドオイル、前記第２のカンナビノイドオイル、及び前記少なくとも１つのテルペンを混合して、前記マイクロ流体混合物を形成し、（５）前記マイクロ流体混合物が前記マイクロ流体ディスペンサから分注されるように構成された、前記ブレンドアプリケーションと通信する混合コントローラと、含む、マイクロ流体ミキサー装置と、を備える、マイクロ流体カンナビノイドミキサーシステム。
【請求項１５】
装置であって、
少なくとも１つのマイクロ流体ポンプと、
少なくとも１つのマイクロ流体弁と、
少なくとも１つの加熱器と、
マイクロ流体ディスペンサと、
第１の流体のマイクロ流体量を受け取り、少なくとも１つの第２の流体のマイクロ流体量と混合してマイクロ流体混合物を形成するように構成され、前記第１の流体が前記少なくとも１つの第２の流体の粘度とは異なる粘度を持つ、マイクロ流体ミキサーチップと、
前記第１の流体を含むリザーバから前記マイクロ流体ミキサーチップへの流体連結を提供する流体経路、前記少なくとも１つの第２の流体を含むリザーバから前記マイクロ流体ミキサーチップへの流体連結を提供する流体経路、並びに前記マイクロ流体ミキサーチップ及びマイクロ流体ディスペンサからの流体連結を提供する流体経路を含む、その中に規定された複数の流体経路を含み、前記マイクロ流体ディスペンサは、前記マイクロ流体混合物を前記マイクロ流体ミキサーチップから受け取って、前記マイクロ流体混合物を前記装置から分注するように構成される、前記装置と、
前記少なくとも１つのマイクロ流体ポンプ、前記少なくとも１つのマイクロ流体弁、及び少なくとも１つの加熱器の各々を制御し、それにより、（１）前記第１の流体の前記マイクロ流体量が前記マイクロ流体ミキサーチップに供給され、（２）前記少なくとも１つの第２の流体の前記マイクロ流体量が前記マイクロ流体ミキサーチップに供給され、（３）前記マイクロ流体ミキサーチップが、前記第１流体及び前記少なくとも１つの第２の流体を混合して、前記マイクロ流体混合物を形成し、（４）前記マイクロ流体混合物が前記マイクロ流体ディスペンサから分注されるように構成された、混合コントローラと、を備える、装置。
【請求項１６】
前記少なくとも１つ加熱器が、前記第１の流体及び前記少なくとも１つの第２の流体の少なくとも１つの前記粘度を変更するように構成される、請求項１５に記載の装置。
【請求項１７】
前記少なくとも１つの加熱器が、リザーバ加熱器及びマイクロ流体ミキサーチップ加熱器を含む、請求項１５又は１６に記載の装置。
【請求項１８】
前記マイクロ流体ミキサーチップがフッ素化エチレンプロピレン（ＦＥＰ）を含む、請求項１５〜１７のいずれか１項に記載の装置。
【請求項１９】
前記第１の流体の前記マイクロ流体量を受け取り、前記少なくとも１つの第２の流体の前記マイクロ流体量と混合して、マイクロ流体混合物を形成するように構成された前記マイクロ流体ミキサーチップ内に規定された流体チャネルが、各流体チャネルの実質的に全ての表面が基本的にＦＥＰで構成されるように構成される、請求項１５〜１８のいずれか１項に記載の装置。
【請求項２０】
前記第１の流体の前記マイクロ流体量を受け取り、前記少なくとも１つの第２の流体の前記マイクロ流体量と混合して、マイクロ流体混合物を形成するように構成された前記マイクロ流体ミキサーチップ内に規定された流体チャネルが、各流体チャネルの実質的に全ての表面がＦＥＰで構成されるように構成される、請求項１５〜１８のいずれか１項に記載の装置。
【請求項２１】
前記マイクロ流体ミキサーチップが基本的にＦＥＰで構成される、請求項１５〜２０のいずれか１項に記載の装置。
【請求項２２】
前記マイクロ流体ミキサーチップがＦＥＰで構成される、請求項１５〜２０のいずれか１項に記載の装置。
【請求項２３】
筐体と、
コンピュータプロセッサと、
前記筐体内に配置された複数の液体リザーバと、
前記筐体内に配置されて、前記複数の液体リザーバと流体連結した少なくとも１つのマイクロ流体ミキサーチップであって、前記複数の流体リザーバからの流体を受け取って運び、前記受け取った流体を混合するように構成され、前記流体は異なる粘度を有する、少なくとも１つのマイクロ流体ミキサーチップと、
前記コンピュータプロセッサと通信し、前記コンピュータプロセッサからの１つ以上の信号に基づいて、前記複数の液体リザーバの少なくとも２つからの流体を前記マイクロ流体ミキサーチップ内に分注するように構成された、１つ以上の弁と、
前記コンピュータプロセッサと通信する少なくとも１つの加熱器であって、前記コンピュータプロセッサからの１つ以上の信号に基づいて混合する前に、前記複数の液体リザーバからの流体の少なくともいくつかを加熱するように構成された、少なくとも１つの加熱器と、
前記少なくとも１つのマイクロ流体ミキサーチップと流体連結し、前記混合された流体を分注するように構成された、ディスペンサと、を備える、安全な可搬式オンデマンドマイクロ流体混合及び分注装置。
【請求項２４】
前記筐体内に規定された排出開口部をさらに備え、前記排出開口部は、前記ディスペンサが前記排出開口部を通って延在して前記混合された流体を分注できるように構成される、請求項２３に記載の安全な可搬式オンデマンドマイクロ流体混合及び分注装置。
【請求項２５】
前記筐体が、混合された流体が前記ディスペンサから分注できる容器を受け入れるように構成されたポートを規定する、請求項２３に記載の安全な可搬式オンデマンドマイクロ流体混合及び分注装置。
【請求項２６】
前記ブレンドアプリケーションとやり取りしてレシピを選択することと、前記ブレンドアプリケーションとやり取りして前記レシピのブレンドを前記マイクロ流体ミキサー装置上で開始することとを含む、請求項１に記載の安全な可搬式オンデマンドマイクロ流体ミキサーシステムを使用してマイクロ流体混合物を作成する方法。
【請求項２７】
マイクロ流体混合物を作成するために請求項１５に記載の前記装置を使用することを含む、方法。
【請求項２８】
マイクロ流体混合物を作成するために請求項１に記載の前記システムを使用することを含む、方法。
【発明の詳細な説明】
【技術分野】
【０００１】
［0001］  本出願は、２０１６年４月１１日に出願された米国仮出願第６２／３２１，１６１号；２０１６年１０月２５日に出願された米国仮出願第６２／４１２，６２６号；及び２０１７年１月１６日に出願された米国仮出願第６２／４４６，７７９号に対する優先権及びその利益を主張し、前述の出願の各々の内容全体が参照により全ての目的のために全体として明示的に組み込まれる。
【０００２】
［0002］  本出願は、著作権、マスクワーク及び／又は他の知的財産保護の対象である材料を含み得る。かかる知的財産のそれぞれの所有者は、その開示の公開された特許庁ファイル／レコードに出現するとおりの誰による複写にも異存はないが、それ以外は全ての権利を留保する。
【背景技術】
【０００３】
［0003］  家庭電化製品は、以前は手動で行われていた繰返し作業を自動化している。例えば、電動調理用ミキサーは、攪拌、泡立て、及びかき混ぜに取って代わることができる。置き型タイプのミキサーは、ドーフックを使用して、パンを練るために使用されることができる。様々な速度を備えた電動調理用ミキサーは、ユーザが混合／ブレンド過程及び混合物の進行をさらに制御することができるようにする。
【発明の概要】
【０００４】
［0004］  安全な可搬式オンデマンドマイクロ流体混合及び分注装置（以下「ＯＢＤ」）の本開示の実施形態は、限定されない例として、可搬式オンデマンドアプリ制御（ＩｏＴ）マイクロ流体混合及び分注のために構成された装置、並びに蒸気吸込み、経皮吸収型貼付剤、カプセル、ビタミン、アロマセラピー、香り、香水、外用、舌下、栄養補助食品、飲料、娯楽、食物、薬局、並びに臨床研究及び治験のためのマイクロ流体油及び流体ブレンドを含む。
【０００５】
［0005］  いくつかの実施形態は、複数のマイクロ流体ポンプ、マイクロ流体弁、少なくとも１つの加熱器、相互に異なる粘度を持つ複数の流体のマイクロ流体量を受け取って混合するように構成されたマイクロ流体ミキサーチップ及び／又は複数のマイクロ流体チップを含む装置を含む。いくつかの実施形態は、１つのマイクロ流体チップ又はマイクロ流体チップのアレイが第１のセットの流体を処理することができ、第２のマイクロ流体チップ又はマイクロ流体チップのセットが第２のセットの流体を処理することができるように複数のマイクロ流体チップを含む。本装置は、複数の流体の各々を、それぞれのタンク又はリザーバからマイクロ流体ミキサーチップに移動させるためにその中に規定された複数の経路を含む。混合コントローラは、異なる粘度を持つ流体が、指定されたマイクロ流体レシピに従って、指定されたマイクロ流体量又は容積で正確に混合されることができるように、マイクロ流体ポンプ、弁、及び少なくとも１つの加熱器を制御するように構成され、マイクロ流体混合物が装置から分注される。本装置は、スマートフォンなどの、モバイル計算装置上で実装されたソフトウェアアプリケーションと通信して、指定されたマイクロ流体レシピを実装するための命令をソフトウェアアプリケーションから受信することができ、それにより、装置構成要素の操作がソフトウェアアプリケーションの指示で、モバイル計算装置上で実行される。
【０００６】
［0006］  いくつかの実施形態は、モバイル計算装置上で実装されたブレンドアプリケーション及びマイクロ流体ミキサー装置を含む、マイクロ流体カンナビノイドミキサーシステムを含む。マイクロ流体ミキサー装置は、マイクロ流体ミキサー装置筐体、少なくとも１つのマイクロ流体ポンプ、少なくとも１つのマイクロ流体弁、マイクロ流体ディスペンサ、並びに第１のカンナビノイドオイルのマイクロ流体量、少なくとも１つの第２のカンナビノイドオイルのマイクロ流体量、及び少なくとも１つのテルペンのマイクロ流体量を受け取って混合してマイクロ流体カンナビノイド混合物を形成するように構成されたマイクロ流体ミキサーチップを含み、第１のカンナビノイドオイル及び第２のカンナビノイドオイルの各々が少なくとも１つのテルペンの粘度とは異なる粘度を持つ。いくつかの実施形態は、カンナビノイドだけを含むように構成することができる。マイクロ流体ミキサー装置は、第１のカンナビノイドオイルを含む第１のカンナビノイドキャニスタからマイクロ流体ミキサーチップへの流体連結を提供する流体経路、第２のカンナビノイドオイルを含む第２のカンナビノイドキャニスタからマイクロ流体ミキサーチップへの流体連結を提供する流体経路、少なくとも１つのテルペンを含むテルペンキャニスタからマイクロ流体ミキサーチップへの流体連結を提供する流体経路、並びにマイクロ流体ミキサーチップ及びマイクロ流体ディスペンサからの流体連結を提供する流体経路を含む、その中に規定された複数の流体経路を含み、マイクロ流体ディスペンサは、マイクロ流体混合物をマイクロ流体ミキサーチップから受け取り、マイクロ流体混合物を本装置から分注するように構成される。マイクロ流体ミキサー装置は、マイクロ流体ミキサーチップを加熱するように構成されたマイクロ流体ミキサーチップ加熱器並びに／又は第１のカンナビノイドキャニスタ、第２のカンナビノイドキャニスタ、及び／若しくはテルペンキャニスタの少なくとも１つを加熱するように構成されたキャニスタ加熱器も含む。マイクロ流体ミキサー装置は、モバイル計算装置上で実装されたブレンドアプリケーションと通信し、ブレンドアプリケーションから受信した命令に基づいて、少なくとも１つのマイクロ流体ポンプ、少なくとも１つのマイクロ流体弁、マイクロ流体ミキサーチップ加熱器、及びキャニスタ加熱器の各々を制御し、それにより、（１）第１のカンナビノイドオイルのブレンドアプリケーションからの命令によって指定されたマイクロ流体量がマイクロ流体ミキサーチップに供給され、（２）第２のカンナビノイドオイルのブレンドアプリケーションからの命令によって指定されたマイクロ流体量がマイクロ流体ミキサーチップに供給され、（３）少なくとも１つのテルペンのブレンドアプリケーションからの命令によって指定されたマイクロ流体量がマイクロ流体ミキサーチップに供給され、（４）マイクロ流体ミキサーチップが、第１のカンナビノイドオイル、第２のカンナビノイドオイル、及び少なくとも１つのテルペンを混合して、マイクロ流体混合物を形成し、（５）マイクロ流体混合物がマイクロ流体ディスペンサから分注されるように構成された混合コントローラを含む。いくつかの実施形態では、マイクロ流体混合物が添加される基剤又は分散媒又は材料、例えば、基油があり、特定のブレンドの強度は、基剤又は分散媒の量の割合によって決定されることができる。マイクロ流体ミキサーチップ内で生じる流体の混合の観点から説明したが、ＯＢＤ、マイクロ流体ミキサーチップ（ミキサーチップ、又はチップ）のいくつかの実施形態は、代わりに、流体を正確にマイクロ流体的に測定及び分注でき（すなわち、流体をチップ内で能動的に混ぜ合わせない）、混合は、バイアル、ベープ（ｖａｐｅ）カートリッジ、ボウルなどの、収集容器内で生じ得ることが理解されよう。
【発明の効果】
【０００７】
［0007］  本明細書で説明して、以下で詳述する概念の全ての実施形態が（かかる概念が相互に食い違っていないという条件で）本明細書で開示する発明の主題の一部として企図されることが理解されるべきである。特に、本開示に出現する主題の全ての組合せは、本明細書で開示する発明の主題の一部として企図される。参照によって組み込まれる任意の開示にも出現し得る、本明細書で明示的に採用される用語は、本明細書で開示する特定の概念と最も一致する意味を与えられるべきであることも理解されるべきである。
【０００８】
［0008］  当業者は、図は主に説明のためであり、本明細書で説明する発明の主題の範囲を制限することを意図していないことを理解するであろう。図は必ずしも一定の縮尺ではなく、いくつかの場合には、本明細書で開示する発明の主題の様々な態様が、異なる特徴の理解を容易にするために、図中で誇張又は拡大されて示され得る。図中では、同様の参照文字は、一般に、同様の特徴（例えば、同様の機能性及び／又は構造的に同様の要素）を参照する。
【図面の簡単な説明】
【０００９】
【図１Ａ】［0009］本開示に従ったＯＢＤの実施形態の態様を示す。
【図１Ｂ】［0009］本開示に従ったＯＢＤの実施形態の態様を示す。
【図１Ｃ】［0009］本開示に従ったＯＢＤの実施形態の態様を示す。
【図２Ａ】［0010］本開示のいくつかの実施形態に従い、回転弁制御を備えた圧力駆動型空気圧式ＯＢＤの態様を示す。
【図２Ｂ】［0010］本開示のいくつかの実施形態に従い、回転弁制御を備えた圧力駆動型空気圧式ＯＢＤの態様を示す。
【図３Ａ】［0011］本開示のいくつかの実施形態に従った空気圧式容積駆動ＯＢＤの態様を示す。
【図３Ｂ】［0011］本開示のいくつかの実施形態に従った空気圧式容積駆動ＯＢＤの態様を示す。
【図４Ａ】［0012］本開示のいくつかの実施形態に従った流体容積駆動ＯＢＤの態様を示す。
【図４Ｂ】［0012］本開示のいくつかの実施形態に従った流体容積駆動ＯＢＤの態様を示す。
【図５】［0013］本開示のいくつかの実施形態に従ったマイクロ流体ミキサーチップのためのソレノイド制御を備えた圧力駆動型空気圧を有するＯＢＤの概観を示す。
【図６Ａ】［0014］本開示に従って、トランスデューサがチャンバの周囲に垂直に位置合わせされているＯＢＤの実施形態の態様を示す。
【図６Ｂ】［0015］本開示に従って、いくつかの実施形態のためのＯＢＤ構造例を提供する。
【図６Ｃ】［0015］本開示に従って、いくつかの実施形態のためのＯＢＤ構造例を提供する。
【図７Ａ】［0016］ＯＢＤのいくつかの実施形態のための流体図例を提供する。
【図７Ｂ】［0017］ＯＢＤのいくつかの実施形態のための電気アーキテクチャ図例を提供する。
【図７Ｃ】［0018］ＯＢＤのいくつかの実施形態に従った、基本回路図例を提供する。
【図７Ｄ】［0019］ＯＢＤのいくつかの実施形態のための追加の電子／回路詳細を提供する。
【図７Ｅ】［0019］ＯＢＤのいくつかの実施形態のための追加の電子／回路詳細を提供する。
【図７Ｆ】［0020］ＯＢＤのいくつかの実施形態のための電子アーキテクチャ例を提供する。
【図８Ａ】［0021］いくつかの実施形態のためのＯＢＤの加熱の概観を提供する。
【図８Ｂ】［0022］いくつかの実施形態に従った、ＯＢＤにおけるマイクロ流体制御の概観を提供する。
【図８Ｃ】［0022］いくつかの実施形態に従った、ＯＢＤにおけるマイクロ流体制御の概観を提供する。
【図８Ｄ】［0023］ＯＢＤのいくつかの実施形態のためのシステムフィードバックの概観を提供する。
【図８Ｅ】［0024］ＯＢＤのいくつかの実施形態のためのマイクロ流体混合物分注の概観を提供する。
【図８Ｆ】［0024］ＯＢＤのいくつかの実施形態のためのマイクロ流体混合物分注の概観を提供する。
【図８Ｇ】［0025］ＯＢＤのいくつかの実施形態のための、マイクロ流体ミキサーチップの挿入及び／又は交換の概観を提供する。
【図８Ｈ】［0026］ＯＢＤのいくつかの実施形態のための、流体バイアルの挿入及び／又は交換の概観を提供する。
【図８Ｉ】［0027］ＯＢＤのいくつかの実施形態のための、ユーザガイダンス図例を提供する。
【図９Ａ】［0028］本開示に従ったいくつかの実施形態のためのＯＢＤマイクロ流体ミキサーチップ例を示す。
【図９Ｂ】［0028］本開示に従ったいくつかの実施形態のためのＯＢＤマイクロ流体ミキサーチップ例を示す。
【図９Ｃ】［0028］本開示に従ったいくつかの実施形態のためのＯＢＤマイクロ流体ミキサーチップ例を示す。
【図１０】［0029］いくつかの実施形態に従ったマイクロ流体ミキサーチップ組立体例を示す。
【図１０Ａ】［0029］いくつかの実施形態に従ったマイクロ流体ミキサーチップ組立体例を示す。
【図１０Ｂ】［0029］いくつかの実施形態に従ったマイクロ流体ミキサーチップ組立体例を示す。
【図１０Ｃ】［0029］いくつかの実施形態に従ったマイクロ流体ミキサーチップ組立体例を示す。
【図１０Ｄ】［0029］いくつかの実施形態に従ったマイクロ流体ミキサーチップ組立体例を示す。
【図１０Ｅ】［0030］本開示のいくつかの実施形態に従った熱溶着ＦＥＰマイクロ流体ミキサーチップの図である。
【図１０Ｆ】［0030］本開示のいくつかの実施形態に従った熱溶着ＦＥＰマイクロ流体ミキサーチップの図である。
【図１０Ｇ】［0030］本開示のいくつかの実施形態に従った熱溶着ＦＥＰマイクロ流体ミキサーチップの図である。
【図１１Ａ】［0031］いくつかの実施形態に従った、ＯＢＤシステム洗浄実施態様の概観を提供する。
【図１２Ａ】［0032］本開示に従い、いくつかの実施形態のために複数の流体タンク／カートリッジがその上に配置されたＯＢＤマイクロ流体ミキサーチップを示す。
【図１２Ｂ】［0033］本開示に従った、いくつかの実施形態のための弁作用を示す。
【図１２Ｃ】［0033］本開示に従った、いくつかの実施形態のための弁作用を示す。
【図１３Ａ】［0034］本開示に従った、いくつかの実施形態のためのＯＢＤ流体タンクの例を示す。
【図１３Ｂ】［0034］本開示に従った、いくつかの実施形態のためのＯＢＤ流体タンクの例を示す。
【図１３Ｃ】［0034］本開示に従った、いくつかの実施形態のためのＯＢＤ流体タンクの例を示す。
【図１３Ｄ】［0034］本開示に従った、いくつかの実施形態のためのＯＢＤ流体タンクの例を示す。
【図１３Ｅ】［0034］本開示に従った、いくつかの実施形態のためのＯＢＤ流体タンクの例を示す。
【図１３Ｆ】［0034］本開示に従った、いくつかの実施形態のためのＯＢＤ流体タンクの例を示す。
【図１４Ａ】［0035］本開示に従った、いくつかのＯＢＤ実施形態のための設計及び構成を提供する。
【図１４Ｂ】［0035］本開示に従った、いくつかのＯＢＤ実施形態のための設計及び構成を提供する。
【図１４Ｃ】［0035］本開示に従った、いくつかのＯＢＤ実施形態のための設計及び構成を提供する。
【図１４Ｄ】［0035］本開示に従った、いくつかのＯＢＤ実施形態のための設計及び構成を提供する。
【図１４Ｅ】［0035］本開示に従った、いくつかのＯＢＤ実施形態のための設計及び構成を提供する。
【図１４Ｆ】［0035］本開示に従った、いくつかのＯＢＤ実施形態のための設計及び構成を提供する。
【図１４Ｇ】［0035］本開示に従った、いくつかのＯＢＤ実施形態のための設計及び構成を提供する。
【図１４Ｈ】［0035］本開示に従った、いくつかのＯＢＤ実施形態のための設計及び構成を提供する。
【図１４Ｉ】［0035］本開示に従った、いくつかのＯＢＤ実施形態のための設計及び構成を提供する。
【図１４Ｊ】［0035］本開示に従った、いくつかのＯＢＤ実施形態のための設計及び構成を提供する。
【図１４Ｋ】［0035］本開示に従った、いくつかのＯＢＤ実施形態のための設計及び構成を提供する。
【図１５】［0035］本開示に従った、いくつかのＯＢＤ実施形態のための設計及び構成を提供する。
【図１６Ａ】［0035］本開示に従った、いくつかのＯＢＤ実施形態のための設計及び構成を提供する。
【図１６Ｂ】［0035］本開示に従った、いくつかのＯＢＤ実施形態のための設計及び構成を提供する。
【図１６Ｃ】［0035］本開示に従った、いくつかのＯＢＤ実施形態のための設計及び構成を提供する。
【図１７Ａ】［0035］本開示に従った、いくつかのＯＢＤ実施形態のための設計及び構成を提供する。
【図１７Ｂ】［0035］本開示に従った、いくつかのＯＢＤ実施形態のための設計及び構成を提供する。
【図１８Ａ】［0035］本開示に従った、いくつかのＯＢＤ実施形態のための設計及び構成を提供する。
【図１８Ｂ】［0035］本開示に従った、いくつかのＯＢＤ実施形態のための設計及び構成を提供する。
【図１８Ｃ】［0035］本開示に従った、いくつかのＯＢＤ実施形態のための設計及び構成を提供する。
【図１８Ｄ】［0035］本開示に従った、いくつかのＯＢＤ実施形態のための設計及び構成を提供する。
【図１９Ａ】［0035］本開示に従った、いくつかのＯＢＤ実施形態のための設計及び構成を提供する。
【図１９Ｂ】［0035］本開示に従った、いくつかのＯＢＤ実施形態のための設計及び構成を提供する。
【図２０】［0036］本開示に従った、いくつかの実施形態のためのＯＢＤモバイル機器アプリケーションユーザインタフェース例を提供する。
【図２１】［0037］本開示に従った、ＯＢＤのいくつかの実施形態のための構成例を提供する。
【図２２】［0037］本開示に従った、ＯＢＤのいくつかの実施形態のための構成例を提供する。
【図２３Ａ】［0038］本開示のいくつかの実施形態に従った、ＯＢＤチップ例に対する詳細を提供する。
【図２３Ｂ】［0038］本開示のいくつかの実施形態に従った、ＯＢＤチップ例に対する詳細を提供する。
【図２３Ｃ】［0038］本開示のいくつかの実施形態に従った、ＯＢＤチップ例に対する詳細を提供する。
【図２３Ｄ】［0038］本開示のいくつかの実施形態に従った、ＯＢＤチップ例に対する詳細を提供する。
【図２３Ｅ】［0038］本開示のいくつかの実施形態に従った、ＯＢＤチップ例に対する詳細を提供する。
【図２３Ｆ】［0038］本開示のいくつかの実施形態に従った、ＯＢＤチップ例に対する詳細を提供する。
【図２４Ａ】［0039］本開示のいくつかの実施形態に従った、ＯＢＤ例に対する詳細を提供する。
【図２４Ｂ】［0039］本開示のいくつかの実施形態に従った、ＯＢＤ例に対する詳細を提供する。
【図２４Ｃ】［0039］本開示のいくつかの実施形態に従った、ＯＢＤ例に対する詳細を提供する。
【図２４Ｄ】［0039］本開示のいくつかの実施形態に従った、ＯＢＤ例に対する詳細を提供する。
【図２４Ｅ】［0039］本開示のいくつかの実施形態に従った、ＯＢＤ例に対する詳細を提供する。
【図２５Ａ】［0039］本開示のいくつかの実施形態に従った、ＯＢＤ例に対する詳細を提供する。
【図２５Ｂ】［0039］本開示のいくつかの実施形態に従った、ＯＢＤ例に対する詳細を提供する。
【図２５Ｃ】［0039］本開示のいくつかの実施形態に従った、ＯＢＤ例に対する詳細を提供する。
【図２５Ｄ】［0039］本開示のいくつかの実施形態に従った、ＯＢＤ例に対する詳細を提供する。
【図２５Ｅ】［0039］本開示のいくつかの実施形態に従った、ＯＢＤ例に対する詳細を提供する。
【図２６Ａ】［0039］本開示のいくつかの実施形態に従った、ＯＢＤ例に対する詳細を提供する。
【図２６Ｂ】［0039］本開示のいくつかの実施形態に従った、ＯＢＤ例に対する詳細を提供する。
【図２６Ｃ】［0039］本開示のいくつかの実施形態に従った、ＯＢＤ例に対する詳細を提供する。
【図２６Ｄ】［0039］本開示のいくつかの実施形態に従った、ＯＢＤ例に対する詳細を提供する。
【図２６Ｅ】［0039］本開示のいくつかの実施形態に従った、ＯＢＤ例に対する詳細を提供する。
【図２７Ａ】［0040］本開示のいくつかの実施形態に従った、ＯＢＤ例に対する詳細を、カバーを取り除いて提供する。
【図２７Ｂ】［0040］本開示のいくつかの実施形態に従った、ＯＢＤ例に対する詳細を、カバーを取り除いて提供する。
【図２７Ｃ】［0040］本開示のいくつかの実施形態に従った、ＯＢＤ例に対する詳細を、カバーを取り除いて提供する。
【図２７Ｄ】［0040］本開示のいくつかの実施形態に従った、ＯＢＤ例に対する詳細を、カバーを取り除いて提供する。
【図２７Ｅ】［0040］本開示のいくつかの実施形態に従った、ＯＢＤ例に対する詳細を、カバーを取り除いて提供する。
【図２７Ｆ】［0041］構成要素にラベルが付けられたＯＢＤ例に対する詳細を、カバーを取り除いて提供する。
【図２７Ｇ】［0042］流体分注領域／空洞を示すＯＢＤ例の図を示す。
【図２７Ｈ】［0043］動作インジケータを備えた基部筐体構成要素内のＯＢＤの実施形態を示す。
【図２７Ｉ】［0044］基部及び中間筐体内のＯＢＤの実施形態を示す。
【図２８Ａ】［0045］本開示のいくつかの実施形態に従った、いくつかのＯＢＤ例の内部詳細を提供する。
【図２８Ｂ】［0045］本開示のいくつかの実施形態に従った、いくつかのＯＢＤ例の内部詳細を提供する。
【図２８Ｃ】［0045］本開示のいくつかの実施形態に従った、いくつかのＯＢＤ例の内部詳細を提供する。
【図２８Ｄ】［0045］本開示のいくつかの実施形態に従った、いくつかのＯＢＤ例の内部詳細を提供する。
【図２８Ｅ】［0045］本開示のいくつかの実施形態に従った、いくつかのＯＢＤ例の内部詳細を提供する。
【図２８Ｆ】［0045］本開示のいくつかの実施形態に従った、いくつかのＯＢＤ例の内部詳細を提供する。
【図２８Ｇ】［0045］本開示のいくつかの実施形態に従った、いくつかのＯＢＤ例の内部詳細を提供する。
【図２８Ｈ】［0045］本開示のいくつかの実施形態に従った、いくつかのＯＢＤ例の内部詳細を提供する。
【図２９】［0046］本開示のいくつかの実施形態に従った、ＯＢＤマイクロ流体ミキサーチップ例の図を提供する。
【図３０Ａ】［0047］取り外し可能リザーバ及びＯＢＤマイクロ流体ミキサーチップを含むＯＢＤ例を、カバーを取り除いて示す。
【図３０Ｂ】［0047］取り外し可能リザーバ及びＯＢＤマイクロ流体ミキサーチップを含むＯＢＤ例を、カバーを取り除いて示す。
【図３０Ｃ】［0047］取り外し可能リザーバ及びＯＢＤマイクロ流体ミキサーチップを含むＯＢＤ例を、カバーを取り除いて示す。
【図３０Ｄ】［0048］いくつかの実施形態に従った、ＯＢＤインタフェースに対するブレンドレシピ編集／作成フロー例を示す。
【図３０Ｅ】［0049］いくつかの実施形態に従った、ＯＢＤインタフェースに対するレシピ／レシピコレクションの概要例を示す。
【図３０Ｆ】［0050］いくつかの実施形態に従った、ＯＢＤインタフェースに対するユーザプロファイル及び履歴概要例を示す。
【図３０Ｇ】［0051］いくつかの実施形態に従った、ＯＢＤモバイルアプリケーションアーキテクチャ例を提供する。
【図３０Ｈ】［0052］いくつかの実施形態に従った、ＯＢＤモバイルアプリケーションに対するユーザインタフェース例を提供する。
【図３０Ｉ】［0052］いくつかの実施形態に従った、ＯＢＤモバイルアプリケーションに対するユーザインタフェース例を提供する。
【図３０Ｊ】［0052］いくつかの実施形態に従った、ＯＢＤモバイルアプリケーションに対するユーザインタフェース例を提供する。
【図３０Ｋ】［0052］いくつかの実施形態に従った、ＯＢＤモバイルアプリケーションに対するユーザインタフェース例を提供する。
【図３０Ｌ】［0052］いくつかの実施形態に従った、ＯＢＤモバイルアプリケーションに対するユーザインタフェース例を提供する。
【図３０Ｍ】［0052］いくつかの実施形態に従った、ＯＢＤモバイルアプリケーションに対するユーザインタフェース例を提供する。
【図３０Ｎ】［0052］いくつかの実施形態に従った、ＯＢＤモバイルアプリケーションに対するユーザインタフェース例を提供する。
【図３０Ｏ】［0052］いくつかの実施形態に従った、ＯＢＤモバイルアプリケーションに対するユーザインタフェース例を提供する。
【図３０Ｐ】［0052］いくつかの実施形態に従った、ＯＢＤモバイルアプリケーションに対するユーザインタフェース例を提供する。
【図３０Ｑ】［0052］いくつかの実施形態に従った、ＯＢＤモバイルアプリケーションに対するユーザインタフェース例を提供する。
【図３０Ｒ】［0052］いくつかの実施形態に従った、ＯＢＤモバイルアプリケーションに対するユーザインタフェース例を提供する。
【図３０Ｓ】［0052］いくつかの実施形態に従った、ＯＢＤモバイルアプリケーションに対するユーザインタフェース例を提供する。
【図３０Ｔ】［0052］いくつかの実施形態に従った、ＯＢＤモバイルアプリケーションに対するユーザインタフェース例を提供する。
【図３０Ｕ】［0052］いくつかの実施形態に従った、ＯＢＤモバイルアプリケーションに対するユーザインタフェース例を提供する。
【図３０Ｖ】［0052］いくつかの実施形態に従った、ＯＢＤモバイルアプリケーションに対するユーザインタフェース例を提供する。
【図３０Ｗ】［0053］ＯＢＤが生成するブレンド／レシピの例を提供する。
【図３１】［0054］いくつかの実施形態に従った、ＯＢＤ開始シーケンス例を示す流れ図を提供する。
【図３１Ａ】［0055］いくつかの実施形態に従った、ＯＢＤ周辺機器セルフテストフロー例を示す。
【図３１Ｂ】［0056］いくつかの実施形態に従った、ＯＢＤ事前混合セルフテストフロー例を示す。
【図３１Ｃ】［0057］いくつかの実施形態に従った、ＯＢＤ混合状態プロセス例を示す。
【図３１Ｄ】［0058］いくつかの実施形態に従った、ＯＢＤ混合状態制御フロー例を示す。
【図３１Ｅ】［0059］いくつかの実施形態に従った、ＯＢＤタブレット／スマートフォンアプリケーションプロセスを示す流れ図を提供する。
【図３１Ｆ】［0059］いくつかの実施形態に従った、ＯＢＤタブレット／スマートフォンアプリケーションプロセスを示す流れ図を提供する。
【発明を実施するための形態】
【００１０】
［0060］  以下は、安全な可搬式オンデマンドマイクロ流体混合及び分注装置（以下「ＯＢＤ」）に関連した様々な概念及び、その実施形態のより詳細な記述である。開示する概念は実施態様の任意の特定の方法に制限されないので、上記で紹介して、以下でさらに詳細に説明する様々な概念は、多数の方法のいずれかで実装され得ることが理解されるべきである。特定の実施態様及び適用の例は、主に説明目的のために提供される。
【００１１】
［0061］  本開示の実施形態は、限定されない例として、可搬式オンデマンドのアプリ制御される（ＩｏＴ）マイクロ流体混合及び分注、並びに蒸気吸込み、アロマセラピー、芳香、娯楽、及び食品のためのマイクロ流体油混合のために構成されたマイクロ流体チップ及び装置を含む。
【００１２】
［0062］  いくつかの実施形態では、ＯＢＤは、流体のブレンドを、貯蔵し、マイクロリットル量で特定の割合に混合し、オンデマンドで、身体に対する摂取、蒸気吸込み、吸入、投与、舌下での服用など、のために分注できる装置を含む。ＯＢＤの実施形態は、利用可能なオンボード流体を使用して、カスタム混合物又はレシピを生成するために、インターネット接続して、手動で（例えば、タッチスクリーン経由で、及び／又はスマートフォンアプリで）制御することができる。
【００１３】
［0063］  ＯＢＤの実施形態は、限定されない例として、カンナビノイドオイル、テルペン、テルピノイド（ｔｅｒｐｉｎｏｉｄ）、フラボノイド、カンナフラビン（、様々な基剤（例えば、プロピレングリコール、植物性グリセリンなど）のブレンド、並びに／又は蒸気吸込み、摂食、アロマセラピー、スキンケア、及び／若しくは同様のものでの娯楽及び医薬用途ための「フレーバー」の生成における使用のために、医用及び／又はカンナビス産業に対して提供され得る。
【００１４】
［0064］  いくつかの実施形態では、ＯＢＤは、少量（例えば、３０パフ（ｐｕｆｆ））ベープを所望するユーザに対して「マイクロベープ（Ｍｉｃｒｏ−ｖａｐｅ）」（例えば、０．１ｍＬ以下）を生成することができる。
【００１５】
［0065］  ＯＢＤは、単一の油剤では可能でない様々な効果を得るために、様々なアロマセラピーオイルのカスタマイズブレンドのためにアロマセラピー業界でも使用されることができる。また、料理でも、ＯＢＤは、調理油の、テルペン、エステル、精油などとのカスタマイズブレンドを作成して、油及びその後の食品におけるわずかなフレーバリングを操作するために利用されることができる。様々なスキンケアローションを異なるテルペンと化合させることは、ＯＢＤの多数の用途のうちの別の１つである。いくつかの実施形態では、ＯＢＤは、例えば、ＯＢＤ及び／又は関連構成要素を（例えば、ホームネットワークを経由して）、ホテル若しくはバーなどの公共の場又は家庭内の異なる部屋に芳香を作成する、テレビ、コンピュータゲーム機、並びに／又はＯＣＵＬＵＳ  ＲＩＦＴなどのＶＲ装置及びコンテンツに接続することにより、娯楽目的でも使用できる。ＯＢＤ（及び／又はＯＢＤからの出力を使用する関連構成要素）は、これらの装置上に表示されているコンテンツと一致する芳香を生成できる。その結果、それは、映画館、ホテル、バーなどの、公共の場において、特定の匂いをブレンドして提供するためにも利用できる。ＯＢＤは、飲料産業で、消耗品を特定のフレーバー、匂い、及び／又は他の属性でフレーバリングする（健康、娯楽、及び／又は医療目的）際にも使用できる。
【００１６】
［0066］  いくつかの実施形態では、ＯＢＤは、成分（例えば、油、ワックス、フレーバーなど；一般に、いくつかは室温で液体ではない可能性があるという了解の下で、以後「液体」と呼ぶ）のカスタムブレンドを様々な量（例えば、０．１ナノリットル〜１マイクロリットル、０．０１マイクロリットル〜１ミリリットル、１マイクロリットル〜１０ミリリットル、１００マイクロリットル〜１ミリリットルなど）に対して生成するための商用装置である。ＯＢＤのいくつかの実施態様は、カンナビス抽出物及び関連マーケットに対して構成されて、カンナビノイド及びテルペンを含む、カンナビス中で見つかった化学成分と、基剤（例えば、プロピレングリコール、植物性グリセリン、テルペンブレンド、及び／又は同様のもの）を混合する能力をユーザに提供する。ＯＢＤは、混合流体／成分のセットを含むカートリッジを含み、かつ／又は利用するように構成されることができる。いくつかの実施形態では、流体／成分の一部又は全部が安全に制限され得（すなわち、ＯＢＤは、指定された認証又は供給源の検証を満足するカートリッジ／容器だけを受け入れる）、他方、追加又は代替実施形態では、ＯＢＤは、ユーザ又は他の関係者がカートリッジを、香味剤などの、指定又はカスタマイズされた流体で充填／再充填することができるように構成されることができる。いくつかの実施形態では、流体カートリッジは、量、粘度、充填日／有効期間などを含む、内容物（例えば、流体）に関する主要な情報を識別するためにＯＢＤによって読み取ることができるメモリ装置構成要素を含むことができる。ユーザの安全のために、ＯＢＤのいくつかの実施形態は、ユーザがカートリッジ／容器を充填／再充填するために利用できる添加物／流体のタイプを限定又は制限するように構成されることができる。かかる制限は、（カートリッジ及び／又は最終産物のいずれかに）添加される量、有効期間、粘度、及び／又は同様のものに基づき得る。いくつかの実施形態では、ＯＢＤは、添加物／流体に関するユーザ入力を、モバイルアプリを通して受信できる。いくつかの実施形態では、カートリッジ／タンク／リザーバは、ルアーテーパーフィッティング（ルアーロッキング及び／又はルアー滑り）、圧縮フィッティング、フレアフィッティング、ねじフィッティング、フランジフィッティングなどを含む、セキュアフィッティングによるなど、ＯＢＤへの固定／取付けのために構成される。
【００１７】
［0067］  ＯＢＤの実施形態は、マイクロ流体技術を、コンパクトな、消費者志向の商用装置内で、流体を、高度に正確な、超少量／容積（実施態様及び実施形態に応じて、μＬ、ｎＬ、ｐＬ、及び／又はｆＬ量−一般に、本明細書では「マイクロ流体量」と呼ぶ―を含む）で測定、混合及び分注するために利用し、それを繰返し可能な方法で行う。
【００１８】
［0068］  ＯＢＤの実施形態は、複数の流体／成分のカスタム混合物を測定、混合、及び分注する。限定されない例として、一実施態様は、１００マイクロリットル〜１ミリリットルの範囲の合計容積を有する、最大で２４の流体（例えば、４つのカンナビノイド、１つの基剤、１つのユーザ充填カートリッジ、並びにテルペン及びフラボノイドのブレンド）を略１分で混合するように構成される。
【００１９】
［0069］  ＯＢＤは、混合物全体への単一の流体のわずか０．１マイクロリットル、０．０１マイクロリットル、１ナノリットル、又は０．１ナノリットルを測定できる。いくつかの場合には、ＯＢＤは、デッドボリュームを最小限にし、結果として、資源（例えば、高価であり得るカンナビノイド、及び／又は一旦、貯蔵環境から移動すると有効期間が短い可能性がある他の化合物）の効率的な利用を提供し、かつ、相互汚染が使い捨て又は交換可能な構成要素に生じ得る領域を減らすように構成される。本明細書でのカンナビノイド及び油の説明は例示であり、アルコール、有機物、極性及び非極性溶媒及び液体、プロピレングリコール、植物性グリセリン、薬剤／医薬品、ニコチン、抽出物などを含む、多数の他の液体が追加又は代替として利用できることを理解されたい。
【００２０】
［0070］  ＯＢＤ内のマイクロ流体システムの機能は：（１）各流体の制御された容積を測定すること、（２）ＯＢＤを通して流体を運ぶこと、及び（３）流体を混合することを含む。小容積を扱うために、ＯＢＤのいくつかの実施形態は、小口径チューブの配列を使用する。他の実施形態は、効率的かつ衛生的な構成要素を提供するために、閉じられたチャネルを備えた１つ以上のマイクロ流体チップを使用し、従って、必要に応じて交換／再利用できる。いくつかの方法及び材料が、本開示に従って、マイクロ流体チップを製造するために使用でき、本方法及び材料は、用途、製造能力、費用、及び／又は複雑さに基づいて選択できる。材料及び製造方法の限定されない例を以下に提供する。
【００２１】
［0071］  シリコン：いくつかの実施形態はシリコンを利用する。本開示のいくつかの用途に対して、シリコンは、その電気及び熱伝導率、並びにアディティブ及びサブトラクティブ法を通して複雑な機能及び装置を作製する能力に起因して、マイクロ流体及び微小電気機械装置を作製するための多目的材料を提供する。シリコンは、大規模な製造量まで拡大することもできるが、例えば、特に、シリコンチップに組み込まれた圧電駆動型ポンプを使用する場合には、比較的低流量の用途に限定できる。いくつかの場合は、脆性及び／又は外観などの、シリコンの特徴は、望ましくないことがある。
【００２２】
［0072］  ガラス：本開示のいくつかの実施形態はガラスを利用する。ガラスは、エッチング過程を使用して、マイクロ流体チャネル及び装置を作製するために使用できる。いくつかの用途に対して、ガラスは、ポリマーよりも良い熱伝導率を提供でき、容易にコーティングでき、リサイクル可能である。しかし、いくつかの用途に対して、ガラスは、ポリマーよりも比較的高価（例えば、特に高容量で）であり、ガラスマイクロ流体のためのいくつかの製造方法は容易に拡大しない。
【００２３】
［0073］  ＰＤＭＳ：本開示のいくつかの実施形態は、ポリジメチルシロキサン（ＰＤＭＳ）及び／又は同様の材料を利用する。ＰＤＭＳなどの、可撓性のある注型エラストマを使用すると、ポンプ及び弁などの、構成要素を、本開示に従ったチップに直接、組み込むのを可能にする。ソフトリソグラフィ過程をＰＤＭＳなどの材料と共に使用すると、本開示に従ったマイクロ流体が迅速に製造されることができる。ＰＤＭＳなどの材料は、ガラスなどの材料にも結合されることができ、いくつかの実施形態では、従って、閉じたマイクロチャネルを作製するために使用されることができる。ＰＤＭＳを利用するいくつかの設計は、流体流量を制限する低アスペクト比に対して構成され得る。
【００２４】
［0074］  射出成形ポリマー：本開示のいくつかの実施形態は、射出成形ポリマーを利用する。射出成形は、本開示に従って、大量のマイクロ流体装置を製造するための費用効率の高い方法を提供する。多種多様なプラスチック樹脂が実施態様に応じて使用されることができ、特定の設計／構成に適している材料（複数可）が、流体接触角、浸透性、及びｐＨ耐性などの、実施形態の特定の仕様を満足するために選択される。いくつかの実施形態は、複数の材料及び／若しくは材料タイプ、並びに／又はチップから外された構成要素から構成され得、例えば、いくつかの実施形態では、ポンプ及び弁などの、複雑な構成要素は、マイクロ射出成形マイクロ流体のためにチップから外され得る。
【００２５】
［0075］  前述したものを含むがそれらに限定されない、ＯＢＤに対する材料は、ＯＢＤの特定の用途に対して適切であるように構成されることができる。ＯＢＤ及び／又はその構成要素（例えば、弁、コネクタ、経路など）は、腐食性又は別な反応性の原料に反応しないか、若しくは耐性があるように構成される（例えば、反応しないか、又は抵抗材料で作られるか、又はコーティングされる）。例えば、ＯＢＤ又はその部分は、レーザー切断での積層チップ若しくは機械加工層を作るために一般に使用される材料、又は異なる層を一緒に結合してチップ内に統合された弁を作製するために使用される接着剤などの、ある材料に対して溶媒として働き得る、リモネンなどの、テルペンを取り扱うために構成されることができる。ＯＢＤのいくつかの実施形態は、テルペン及び他の原料／油に耐性がある材料及び／又は接着剤を利用する。いくつかの実施形態は、テルペン及び他の原料／油に耐性がある熱接着、超音波溶接、及び溶剤結合などの、代替ボンド／接着法を利用する。様々な材料がＯＢＤに対して利用でき、ＯＢＤのいくつかの実施形態は、単一の原料／材料から形成されるように構成されるが、いくつかの実施形態では、様々な材料がＯＢＤの剛性及び／又はエラストマ成分の１つ以上に対して利用される。例えば、ＯＢＤのエラストマ成分は、フルオロエラストマ又はテフロン（登録商標）をＰＴＦＥ、ＦＥＰ、又はＰＦＡフォームで利用されることができる。ＯＢＤのいくつかの実施形態に対して材料を構成するための追加の詳細は、米国特許出願公開番号２０１６／０２５０６３９、及び「Ｓｏｌｖｅｎｔ  ｒｅｓｉｓｔａｎｔ  ｍｉｃｒｏｆｌｕｉｄｉｃ  ｐｌａｔｆｏｒｍ  ｆｏｒ  ｃｏｍｐｌｅｔｅ  ＳｉＦＡ−ｂａｓｅｄ  ＰＥＴ  ｔｒａｃｅｒ  ｓｙｎｔｈｅｓｉｓ」Ｒｅｎｓｃｈら、Ｊ  Ｎｕｃｌ  Ｍｅｄ  Ｍａｙ  ２０１４  ｖｏｌ.５５  Ｎｏ.Ｓｕｐｐｌｅｍｅｎｔ  １  １２４７に見ることができ、前述の文書の各々の全体が参照により全ての目的のために本明細書に明示的に組み込まれる。
【００２６】
［0076］  いくつかの実施形態では、１つ以上の流体ポンプ及び／又は能動弁は、ＯＢＤの永久構成要素及び／若しくは交換可能な流体カートリッジであり、かつ／又はその中に含まれるように構成される。
【００２７】
［0077］  測定及び運搬のため、様々なポンプ及び弁構成要素が利用されることができる。限定されない構成例をもついくつかの例を以下で提供する。
【００２８】
［0078］  圧電駆動型ダイアフラムポンプ：ＯＢＤに対する様々な構成で圧電ポンプが利用できる。圧電ポンプは、流体カートリッジとミキサーチップとの間に据えられて、混合経路に入る流体を測定するために使用されることができる。これは、システムの弾性及び圧力降下に起因した低ラグタイムで流体フローを制御する直接的方法を提供する。いくつかのかかる実施形態では、各流体カートリッジに対して別個のポンプが提供される。かかる実施形態は、ポンプ内部での残留物の蓄積及び流体間の相互汚染を減らすか、又は避けるために、流体と直接接触しているポンプダイアフラムに起因する問題に対処するように構成されることができる（例えば、蓄積を集積しない材料又はコーティングの使用及び／又はＯＢＤ内での洗浄サイクルの利用）。
【００２９】
［0079］  いくつかの実施形態は、１つ以上のマイクロポンプが流体カートリッジ（複数可）内に直接組み込まれている、圧電マイクロポンプを使用する、直接的なポンプ構成を使用できる。かかる実施形態は、相互汚染の可能性を減らすか、又は取り除くことができる。
【００３０】
［0080］  圧力駆動型マイクロ流体：いくつかの実施形態は、追加又は代替として、流体カートリッジを空気圧で加圧するためにダイアフラムポンプ（圧電駆動でもカム駆動でも）を使用して、圧力駆動システムを作製することができる。各流体カートリッジは、依然としてそれ自身のポンプを有することができるが、そのポンプは、流体カートリッジを一番上のポートを通して加圧するとき、空気とだけ接触する。流体カートリッジとミキサーチップとの間の差圧は、流体を、ポンプ圧力に直接関連した制御された速度で流し、ポンプに対する駆動電圧を除去することにより停止させることができる。ダイアフラムポンプを使用すると、ポンプがオフの場合にダイアフラムが密封されるので、逆流を防ぐことができる。
【００３１】
［0081］  いくつかの実施形態は、単一のポンプを使用して圧力チャンバに加圧し、弁（複数可）を使用して空気圧を、各流体カートリッジに対して個別に印加及び解放する。一定（比較的一定）の圧力をチャンバ内で維持することにより、かかる実施形態は改善された制御を提供することができる。同じポンプ及び圧力チャンバが、流体をミキサーチップ内で運搬するために使用されて、空気及び他の気体（例えば、窒素）をキャリアとして使用する連続フローシステムを生成することができる。かかる実施形態は、各使用サイクルの終了時にミキサーチップ（及び／又はシステムのフロー経路全体）を浄化するために、空気又は他の気体の使用を可能にし、それにより、ミキサーチップの安全性、信頼性を改善して、耐用年数を長くするように構成することもできる。一般に、空気がいくつかの実施形態例の文脈で言及される場合、他又は追加の実施形態は、大気とは異なる気体又は気体の混合物を使用するように構成され得ることを理解されたい。例えば、いくつかの実施形態は、処理されている液体／原料に応じて（例えば、テルペンに対して窒素が使用できる）、非反応性気体又は複数の気体をその中に含有する閉ループシステムにできる。
【００３２】
［0082］  シリンジポンプ：本開示のいくつかの実施形態は、１つ以上のシリンジポンプを利用する。シリンジポンプは、流体を各カートリッジからミキサーチップに分注するために使用できる。いくつかの実施形態では、単一のシリンジポンプが、各カートリッジを正しい位置に割送る円形コンベヤ（ｃａｒｏｕｓｅｌ）と共に、カートリッジの全部に対して使用される。かかる実施形態は、単一の機械式ポンプを使用して速度のバランス及び正確さを達成して、流量脈動によって生じる測定誤差の可能性を回避するために、精密モーターを、例えば、シリンジポンプのために１つ、及び円形コンベヤのために別の１つ、用いて構成することができる。
【００３３】
［0083］  蠕動ポンプ：本開示のいくつかの実施形態は、１つ以上の蠕動ポンプを利用する。いくつかのかかる実施形態は、流体を、システムを通して押し進める、ローラーによって接触される永久的な（又は半永久的な）チューブセットを含む。蠕動ポンプは、高精度を提供し、チューブセットは経時的に摩損すると定期的に交換されるように構成されることができる。
【００３４】
［0084］  ポンプ（又は複数のポンプ）は、ＯＢＤの特定の用途及び実施態様に対して選択されることができる。例えば、圧力駆動システムは、前述のように、様々な利点を有しており、精度及びサイズパラメータに応じて、いくつかの実施形態に対して望ましくあり得る。別の例として、直接流体駆動型圧電ポンプは高精度を提供するが、比較的高流速を有するいくつかの実施形態に対しては適していない可能性がある。実施形態に応じて、ポンプ又は複数のポンプは、ＯＢＤの一部分（永久的又は半永久的のいずれか）として統合でき、かつ／又は流体カートリッジ（複数可）に組み込むことができる。ＯＢＤは、ポンプダイアフラムが流体と接触した後にそれを洗浄することを含め、システムを洗浄、浄化、及び／又は滅菌するように構成されることができる。
【００３５】
［0085］  ＯＢＤは、受動マイクロ流体混合及び能動マイクロ流体混合を含む、混合を提供するために、様々な方法及び機構を利用することができる。受動混合は、ジグザグ、デルタパターン、障害物、及び／又はオリフィスを含む、様々な形を取ることができる、ミキサーチップに構成された蛇行状経路を有するＯＢＤシステムで提供することができる。能動混合は、音響波、磁気攪拌棒、熱エネルギー、及び／又は電界などの、混合を達成するために、外部エネルギー源の適用を利用するＯＢＤシステムで提供することができる。使用される方法及び機構は、用途（複数可）に基づいて構成されることができ、例えば、温度変化は、カンナビス抽出物などの、いくつかの液体に望ましくない影響を及ぼし得、電界は、水性溶液中におけるように極性分子に最も効果的であり得る（いくつかの用途で利用される他のあまり極性がないか、又は非極性流体に対するほど効果的でない可能性がある）。
【００３６】
［0086］  図１Ａは、本開示に従って、流体を測定、混合、及び分注するように構成されたＯＢＤ１００の一実施態様の概観例を提供する。かかる実施形態は、無線通信インタフェース、筐体、加熱器などの、本開示で説明する追加の構成要素を含むことができる。プラスチック、金属、陽極酸化金属、ガラスなどを含む、様々な筐体材料が使用されることができ、いくつかの筐体は取外し可能部分又は外皮（ｓｋｉｎ）と共に構成されることができる。例示する実施形態は、カンナビノイド１０５、テルペン１１０、及び基剤１１５のレシピを含む液体バイアルの配列を含む。実施態様に応じて、ユーザ充填バイアル１２０も含むことができる。
【００３７】
［0087］  カンナビノイド１０５、テルペン１１０、及び基剤１１５タンク／バイアル／カートリッジは、ＯＢＤ１００に装着／取り付けられ（すなわち、ＯＢＤ１００と流体連結され）、その内容物がＯＢＤ１００内に受け入れられて、マイクロ流体ミキサーチップ１０１内で混合される。混合流体は、排出口及び／又はディスペンサを経由して、使用ごとに交換できるバイアル１２５又は他の容器に分注される。マイクロ流体ミキサーチップ１０１は、いくつかの実施形態では、混合する流体及び／又はその量に応じて、混合のための複数のミキサー構成要素／経路を含むことができる。
【００３８】
［0088］  いくつかの実施形態では、流体は、１つ以上のダイアフラムポンプを使用して移動され、ダイアフラムポンプは、気体又は流体を吸い込み、ダイアフラムの運動に起因してそれを強制的に外に出す。圧電ダイアフラムポンプは、電圧を印加することによって、気体又は流体を移動させるために使用されるダイアフラムに変形を作り出す。かかるポンプを使用する様々な構成が、実施形態に応じて、流体を移動させるために利用されることができる。例えば、圧電ポンプは圧力チャンバを作るために使用でき、ポンプが空気だけをチャンバに押し込んで、流体と接触しない、空圧機構を提供することができる。圧力チャンバは次いで、異なるタンクに向けることができる。いくつかの実施形態では、各タンクは、流体タンクの上部にあるポートに直接連結する、２つの二方ソレノイド弁と共に構成されることができる。ソレノイド弁を制御することにより、各流体タンクに圧力を印加するか、又は各流体タンクから圧力を解放することができ、それにより、タンクからミキサーチップへの流体の流れを制御する。図１Ｂは、ソレノイド弁１４１、１４２を有するタンク１０５ａに連結された圧力チャンバ１４０を例示する図である。図１Ｃは、ＯＢＤシステムに組み込まれた単一の圧力チャンバ１４０及びポンプ１４５を例示する図を示しており、システム内の流体タンクは、２つの二方ソレノイド弁を含む。
【００３９】
［0089］  いくつかの実施態様は、単一のダイアフラムポンプと共に構成され得るが、他の実施態様は２つ以上のポンプを利用することができ、そのため、各タンクに対して２つの二方ソレノイドを利用しない可能性がある（かつ／又はタンクのサブセットに対して使用しているポンプに基づき、ソレノイドの数を削減し得る）。いくつかの場合、チャンバ内の圧力は、分注されている流体の総量に基づいて変更されることができる。例えば、１００マイクロリットルなど、より少ない流体の総量が混合されている場合、圧力はより低いレベルに設定される。流体はより遅い速度で流れて、分注量に対する向上した制御を提供する。１ミリリットルなど、より多い流体量が混合されている場合、圧力は比較的より高いレベルに設定されることができ、流速が高まり、そのため、ユーザはその製品に対して長期間待つ必要がない。実施形態及び実施態様に応じて、より多い流体及びより大きな圧力に対する精度に関する百分率誤差は、より少ない圧力のより少ない流体のそれに相当し得る。
【００４０】
［0090］  かかる圧力駆動型実施形態は、流体の各々の粘度に基づいて（例えば、タンクが挿入される際の判断によって、及び／又は既知の粘度の流体を有するタンクを提供する／要求することによって）構成することができる。圧力が、既知の寸法のマイクロ流体経路を通して制御される期間、流体に印加されるので、既知の容積が分注される。
【００４１】
［0091］  図２Ａは、ＯＢＤのいくつかの実施形態に従った、回転弁制御を備えた圧力駆動型空気圧システムを示す。かかる実施形態は、１つ以上の回転弁を（例えば、ミキサーチップ内に）含むことができ、それにより、圧力駆動型システムに対して必要な弁の数を（例えば、図１Ｃに示す実施形態に対して）削減できる。かかる実施形態のいくつかの実施態様では、１つ、いくつか、又は各回転弁は、ＯＢＤ内のサーボ又はステッパモーターによって制御される。図に示すように、ＯＢＤが回転弁を特定の位置に向けると、単一の流体がそのそれぞれのタンクから混合チャンバに流れることができ、その間、他の全ての流体経路を遮っている。図２Ｂは、回転弁を備えた空気圧式圧力駆動型ＯＢＤシステムを示す。いくつかの実施形態では、流体間の粘度差（例えば、カンナビノイドとテルペンとの間の粘度差）に対処するため、かかる回転弁は、比較的類似の粘度をもつ流体のグループ（例えば、テルペングループ及びカンナビノイドグループ）に基づいて提供され得る。図２Ｂに示すように、ＯＢＤは、液体のグループに対する別個の回転弁（すなわち、タンク２０５のカンナビノイドグループに対する回転弁２５０ａ、そのグループに対する２つの二方ソレノイド２４１ａ、２４２ａ；タンク２１０のテルペングループ及び基剤タンク２１５に対しても同様）と共に、ポンプ２４５、圧力チャンバ２４０、及びセンサー２４６を含む。かかる実施形態は、各グループがそれ自身の回転弁（例えば、２５０ａ、２５０ｂ、２５０ｃ）を有するように構成でき、各々は、そのグループに対する様々なフロー要件を満足する異なるチャネルサイズをもつ。回転弁は、相互に連結でき、かつ／又はマイクロ流体ミキサーチップ１０１に直接連結できる。以下の表１は、ＯＢＤのいくつかの実施形態において利用される原料の粘度例を、それらそれぞれの温度感受性と共に提供する。
【表１】
2019516433.tif 000003
【００４２】
［0092］  ＯＢＤのいくつかの実施形態は、空気圧式容積駆動マイクロポンプ（複数可）を含む。ＯＢＤのかかる実施形態は、各タンクに対する別個のポンプを含むことができ、それらそれぞれのタンクからの異なる流体に対して使用される異なる圧力を利用することができる。かかる実施形態は、その結果として、異なる粘度を有する流体の流速を相互に近づけるように提供することができ、従って、流体／流体のグループが、混合チャンバ内で、及び／又は混合チャンバに入る前に、集まるタイミングの調整を容易にする。追加として、複数のポンプが同時に運転されることができ、全体の分注時間を削減することができる。図３Ａは、ＯＢＤのいくつかの実施形態に対して別個のポンプを使用する空気圧式容積駆動構成例を示す。図３Ａに示す構成に従い、ポンプ３５５は流体タンク３０５ａの上に据えることができ、空気（及び／又は、窒素などの、別の気体）をタンクの上部３０５ｕに送り込んで、流体をタンクの底面上のポート３０５ｐを通してミキサーチップに流す。かかる実施形態では、空気／気体だけがポンプを通過しているので、流体間の相互汚染の可能性及びポンプの本体内での残留物集積の可能性が減るか、又は取り除かれる。図３Ｂは、カンナビノイドタンク３０５ａ〜ｃ、テルペンタンク３１０ｄ〜ｌ、及び基剤タンク３１５ｍのグループ内の各タンクに対して別個のポンプ３５５ａ〜ｍを備えた空気圧式容積駆動ＯＢＤシステムを示す。ポンプ３５６（又は複数のポンプ）は、マイクロ流体ミキサーチップ３０１に対しても提供されることができる。各ポンプは、空気又は他の気体の制御された容積をそれぞれの流体タンクに注入するために制御されることができる。タンク内の圧力が増加して、流体をタンクの底面内のポートから流出させる。そうすると、タンク内の圧力は、平衡に達するまで低下する。かかる実施形態は、かかる容積ベースのポンプ注入によって生じた様々な流体流速（すなわち、圧力は経時的に変化しているので、流体流速は一定でない）を処理するように構成されることができる。
【００４３】
［0093］  いくつかの実施形態では、ＯＢＤは、図４Ａに示すような、１つ以上の流体容積駆動マイクロポンプと共に構成される。かかる実施形態では、ポンプ４６０は、タンク４０５ａからの流体と直接接触している。タンク４０５ａは大気に開放されて（すなわち、大気と流体連結して）例示されているが、いくつかの実施形態は、窒素気体などの、１つ、いくつかの、又は全部のタンクに対して不活性な／無菌の代替物を提供できる。かかる実施態様は、（ある流体を汚染し、かつ／又はある流体の分解を引き起こし得る）大気に曝露するように、かつ／又は安全を提供する（すなわち、それで、どの流体も、ひっくり返った場合などに、非意図的にＯＢＤから出られない）ように構成されることができる。実施態様に応じて、ポンプはタンク設計に組み込むことができるか、又はポンプはＯＢＤ内の永久的／半永久的構成要素にでき、いずれの実施態様でも、流体はポンプ４６０を通して処理される／圧入される。ポンプが永久的／半永久的である構成では、ＯＢＤは、残留流体をポンプから定期的に（例えば、タンクを交換する／取り換える場合）洗浄／除去する洗浄／浄化サイクルと共に構成されることができる。ポンプが流体タンクに組み込まれる実施形態に対して、ポンプは、複数の流体／流体タンクが取り換えられるときに廃棄／リサイクルできる。永久的／半永久的ポンプの事例では、ＯＢＤは、流体タンクを交換する際に、流体カートリッジが取り除かれたときにポンプを動かして空気（又は他の流体／気体、例えば、窒素、水、希釈Ｈ２０２、Ｈ２Ｏ／ＥｔＯＨ混合物など）をラインに送り込み、それによって掃除することによってなど、デッドボリューム及び残留流体をシステムから一掃するように構成できる。追加又は代替として、ＯＢＤは、無菌／無毒性流体がＯＢＤを通過する、洗浄又は水洗サイクル／設定を提供できる。かかる構成は、１つ以上の洗浄カートリッジを含むことができ、かかる洗浄カートリッジは、一般的使用（すなわち、システム全体の洗浄）に対して、又は特定の液体の洗浄（例えば、カンナビノイドポンプの洗浄のため、カートリッジは、高粘度液体蓄積をカンナビノイド経路及びポンプから除去するように構成された液体（例えば、ＥｔＯＨ）を含む）に対して構成できる。図４Ｂは、カンナビノイドタンク４０５ａ〜ｃ、テルペンタンク４１０ｄ〜ｌ、及び基剤タンク４１５ｍのグループ内の各タンクに対するマイクロポンプ４６０ａ〜ｍを備えた流体容積駆動ＯＢＤシステムを示す。いくつかの実施形態では、基剤タンク４１５ｍ及びマイクロポンプ４６０ｍが製品を分注するために使用されることができ、他方、いくつかの実施形態では、別個のポンプ４６１（又は複数のポンプ）が、追加又は代替として、（混合物を分注するため、及び／又はチップを洗浄するために）マイクロ流体ミキサーチップ４０１に対して提供されることができる。
【００４４】
［0094］  前述の説明は様々な方法及び構成に別個の実施形態として対処するが、開示する方法及び構成は、ＯＢＤのいくつかの実施形態では、一緒に使用できることを理解されたい。例えば、いくつかの実施形態は、圧力駆動型空気圧を、流体容積駆動マイクロポンプに合わせて、回転弁制御にも利用できる。ＯＢＤのいくつかの態様及び特徴が、簡潔さのため、及びＯＢＤの理解を容易にするために、特定の実施形態の文脈で説明されているが、かかる態様及び特徴はそれら特定の実施形態に限定されないことを理解されたい。例えば、特徴又は構成要素が、ソレノイド弁制御を備えた圧力駆動型空気圧を有する実施形態の文脈で説明される場合、本開示は、マイクロポンプを備えた容積駆動空気圧を有する実施形態に適用されるその特徴又は構成要素を含むことを理解されたい。
【００４５】
［0095］  図５は、マイクロ流体ミキサーチップ５０１のためのソレノイド制御を備えた圧力駆動型空気圧を（例えば、圧力タンク５４０を経由して）有するＯＢＤの一実施形態の概観を示す。この実施形態では、カンナビノイド５０５はグループ／チャネル５０５ａに結合され、テルペン５１０はグループ／チャネル５１０ａに結合されて、流体の３つのグループ（５０５ａ、５１０ａ、及び基剤５１５ａ）を作り、デッドボリュームは、主グループ／チャネル５１８に加わる前に、各タンクからの流体経路内に存在するものだけである。流体は次いで、全て混合領域５７１に向かって同時に流れる。マイクロ流体混合はある流体、特に、チャネルと平行に順方向に流線形の層流を有する流体、に対して複雑であり得、いくつかのタイプのマイクロ流体の混合は、カオス流又は潜在的に乱流を生じ得るので、ＯＢＤは様々なミキサー／混合オプションを提供するように構成されることができ、その各々は、混合物／流体に応じて、正しいミキサー（複数可）／混合オプション（複数可）が正しい時（複数可）に利用されることができるように、制御又は弁で調節されることができる。流体（複数可）は、指定された混合領域（複数可）を辿り続けて、出力容器に誘導される。１つ以上の受動ミキサー／混合領域及び／又は能動混合／ミキサーのためのチャンバを１つのマイクロ流体ミキサーチップに組み込むことができる。受動混合領域は、５７２全体にわたって通路に組み込まれたバリア、ジグザグタイプのミキサー５７３（図９Ａも参照）など（例えば、図９Ｂのマイクロ流体ミキサーチップによって例示されるとおり）を備えた領域を含むことができる。５７２内のバリアは、流体がかき乱されて移動するようにし、全体として、異なる流体を一緒に混ぜ合わせる。ジグザグパターンミキサー５７３も、乱流を生じて混ぜ合わせることができる。用途／実施態様に応じて、いずれか一方又は両方が利用でき、異なる流体が、混合領域に同時に（又は実質的に同時に）到達するように、異なる流体の適切なタイミングを提供するように構成されることができる。かかる受動ミキサーは、追加する必要のある追加の機能（例えば、配線）なしでＯＢＤチップに組み込まれる利点があり得、電気などの、追加の外部エネルギーを必要としない可能性もある。
【００４６】
［0096］  いくつかの実施形態では、能動ミキサー／能動混合領域が、追加又は代替として、含まれる。かかる能動ミキサーは、いくつかの実施態様に対して、ある流体の、受動ミキサーと比べて、より首尾一貫した／包括的な混合を提供できる。能動ミキサー／能動混合領域は、超音波混合／ミキサー５７６及び／又は磁気攪拌５７４を含む。いくつかの場合、超音波混合は、電圧がかかると素早く伸び縮みして超音波を生じる１つ以上の圧電トランスデューサを使用して、実施される。かかる超音波ミキサーの構成は、実施態様に応じて、変更されることができる。一例として、トランスデューサは、図６Ａに示すように、チャンバの外側に垂直に並べられるように配置されることができる。図６Ａのトランスデューサは、チャネルの両側上にあり、混合領域内を向いていて、流体の流れと垂直に混ぜ合わせて、効果的な混合を作り出す。代替として、又は追加として、磁気攪拌ミキサー５７４が、組込み混合領域の内部に配置された小さい攪拌棒によってなど、提供されることができる。代替手段は、かかる領域内部の複数の小さな磁気ビーズを、単独で、又はもっと大きい攪拌棒に追加してのいずれかで、含み得る。磁場が導体によって作られて、ＯＢＤは小型の磁気攪拌プレートを利用することができるか、又は導体がマイクロ流体ミキサーチップ及び／若しくはＯＢＤの設計に組み込むことができ、かつ／又は導体がチャネルの下の基板に埋め込まれ得る。別の能動混合領域／能動ミキサーオプションは、混合を容易にする（例えば、砂時計形に似た）中間／中央開口部を備えた領域５７５内で流体を前後に強制するために開いている異なる弁を利用することができる（例えば、図９Ｃに示すマイクロ流体ミキサーチップも参照）。
【００４７】
［0097］  ＯＢＤは、１つ以上の加熱器／加熱素子を含むことができ、かかる加熱器及び加熱はＯＢＤによって制御される。いくつかの実施態様では、マイクロ流体ミキサーチップ内の個々の経路及びその部分は、その経路に対して指定された流体に基づいて加熱できる（例えば、室温でワックス状の物質を搬送するために構成された経路は、加熱器を含むことができるが、低粘性流体を搬送するために構成された経路は加熱器を含まない可能性がある）。代替又は追加として、ＯＢＤは、流体がＯＢＤ又はマイクロ流体ミキサーチップに入る前に、タンク／カートリッジ（又はそのサブセット）を加熱するように構成できる。いくつかの実施形態は、あるタンクのための加熱器を含むことができるが、他の実施形態は、加熱器又は加熱素子をその中に含むタンクを利用できる。追加又は代替として、マイクロ流体ミキサーチップは、異なる流体の測定及び混合を容易にするためにＯＢＤによって加熱できる。
【００４８】
［0098］  図６Ｂ及び図６Ｃは、いくつかの実施形態に従ったＯＢＤシステム構造例を提供する。図６Ｂに例示する実施形態、ＯＢＤシステム６０１ａは、バイアル／タンク／カートリッジ（複数可）を加熱するために単一の加熱器６０３を利用する。図６Ｃに例示する実施形態では、ＯＢＤシステム６０１ｂは、バイアル／タンク／カートリッジ（複数可）の異なるグループ／セットを加熱するために、２つの加熱器６０３ａ、６０３ｂを利用し、システムの異なる構成要素／領域に対して異なる温度を設定するため、及び／又は１つ以上の熱勾配若しくは温度差をＯＢＤシステム６０１ｂ内に設定するために使用されることができる。実施態様及び／又は実施形態に応じて、加熱器は、特定の使用及び／若しくは構成に応じて、各バイアル、バイアルのセット、１つ以上の流路、１つ以上の領域、又はその組合せに対して提供されることができることを理解されたい。
【００４９】
［0099］  図７Ａは、ＯＢＤのいくつかの実施形態に対する流体図例を提供する。図のように、ポンプ（流体圧力ポンプ７０５ａ、弁圧力ポンプ７０５ｂ、真空ポンプ７０５ｃを含む）、ダンプ弁（流体圧力ダンプ弁７０７ａ、弁圧力ダンプ弁７０７ｂ、真空ダンプ弁７０７ｃを含む）、及びソレノイド弁の各々が、独立して（例えば、混合ボード／混合コントローラ／ミキサーコントローラによって）制御される。例えば、いくつかの実施形態では、一般的なプロセスは、弁圧力空気容積タンク７１０ｂが、弁を閉じるのに十分な特定のレベルまで加圧される（例えば、流体圧力ポンプ７０５ａ及びダンプ弁７０７ａによって制御される）ことである。弁の各々は、ソレノイドが電力供給されていない場合、空気容積タンクからの圧力が弁に印加されて、それを閉じるように、正常に閉じるように構成されることができる。流体圧力空気容積タンク７１０ａが特定のレベルに加圧され、その圧力が流体タンク７１１の全てに印加される。タンクと関連付けられた３方向ソレノイドが開くと、そのタンクに印加された圧力が流体を既知の速度で混合チャンバに流入させる。他の機能、例えば、分注ポートを開くこと、加圧された空気を混合チャンバの注入口又は排出口で導入すること、水洗流体を混合チャンバの注入口又は排出口で導入すること、混合チャンバの排出口上で真空引きすること（ｐｕｌｌ  ａ  ｖａｃｕｕｍ）、及び／又は各混合チャンバの底部にある膜を膨張させ、それによりその混合チャンバの内容物を抜くこと等、を制御するいくつかのアクセサリ弁（各々はそれ自身の３方向ソレノイドによって制御される）もあり得る。
【００５０】
［0100］  図７Ｂは、いくつかの実施形態のための電気アーキテクチャ図例を提供して、いくつかのＯＢＤシステムの主要な電気部品及びそれらが相互にどのように連絡するかを示す。例えば、ブレンドレシピがパーソナリティボード７２１ａに取得され、かつ／又はパーソナリティボード７２１ａで受信され（例えば、スマートフォン上のＯＢＤスマートフォンアプリから受信され）、それは、混合コントローラ７２２ａに中継される。混合コントローラ７２２ａは、流体の分注及び混合に対して責任をもつポンプ及びソレノイドに直接エネルギー供給する。いくつかの実施態様では、混合コントローラ７２２ａは、各キャニスタ上のＥＥＰＲＯＭから情報を直接読み取って、それが有効なキャニスタであることを確実にし、かつ／又はＯＢＤスマートフォンアプリがそのキャニスタの内容物に関する情報を取得できるようにして混合命令を生成することができる。
【００５１】
［0101］  図７Ｃは、３方向ソレノイド及びダンプ弁の各々を制御するために使用することができる、いくつかの実施形態に従った基本回路図例を提供する。この例では、混合コントローラボード上のメインプロセッサは、ＩＯエキスパンダ７３１ａを使用して電界効果トランジスタ（ＦＥＴ）７３２ａを駆動し、それは、電圧を弁７３４ａに印加する。電流検知要素７３３ａは、電流が弁に流れていることを確実にするために使用されることができる。弁への電流が予期した値と異なる場合、エラーが開始されることができる。
【００５２】
［0102］  図７Ｄは、いくつかの実施形態に従い、キャニスタ上に配置されたＥＥＰＲＯＭ、マイクロ流体チップ、水洗タンク、及び分注アクセサリを含む、様々な周辺機器と通信するために使用される集積回路間通信（ｉｎｔｅｒ−ｉｎｔｅｇｒａｔｅｄ  ｃｉｒｃｕｉｔ）（１２Ｃ）７４１ａインタフェース例を示す。
【００５３】
［0103］  図７Ｅは、各々が８つのキャニスタのＥＥＰＲＯＭの読取り及び書込みを行うことができる、３つの別個の８×１アナログマルチプレクサと通信するためのＩＯエキスパンダの使用例を提供する。
【００５４】
［0104］  図７Ｆは、ＯＢＤシステムのいくつかの実施形態に従った抽象化図を示す電子アーキテクチャ例を提供する。ミキサーコントローラ／混合制御ボード７５２ａは、弁７５３ａ、ポンプ７５４ａ、並びに加熱器７５５ａ及び／又は加熱器要素の制御に対して責任を負う。混合制御ボード７５２ａは、ディスプレイ７５７ａ又は他のインタフェースを駆動できるパーソナリティボード７５１ａと通信する。いくつかの実施形態では、ディスプレイ７５７ａは、例えば、パーソナリティボード７５１ａ、二次ボード、ＬＣＤディスプレイ、タッチスクリーン、及び／又は同様のものの上に配置できる、多色ＬＥＤの配列である。
【００５５】
［0105］  以下は、ＯＢＤシステムのいくつかの実施形態に従った、混合ボード及びパーソナリティボード上のプログラマブルシステムオンチップ（ＰＳｏＣ）例に対する様々なピン名称である（例えば、図７Ａ〜図７Ｆで説明するとおり）。
【００５６】
［0106］  混合制御ボード
‐ＰＳＯＣ３−１００ピン（ＣＹ８Ｃ３８６６ＡＸＩ−０４０）
‐一時的レシピ保管のためのフラッシュ（Ｓ２５ＦＬ１１６Ｋ０ＸＭＦＩ０４３）（１６Ｍ、２×８）
‐ポンプ制御のための３ＰＷＭ出力（６Ｖポンプのためにバッファリングされる）・ダンプ制御のための３デジタル出力（６Ｖバルブのためにバッファリングされる）
‐流体制御のための２４デジタル出力（６Ｖバルブのためにバッファリングされる）
‐空気制御のための２デジタル出力（６Ｖバルブのためにバッファリングされる）
‐水洗制御のための２デジタル出力（６Ｖバルブのためにバッファリングされる）
‐真空制御のための１デジタル出力（６Ｖバルブのためにバッファリングされる）
‐分注制御のための１デジタル出力（６Ｖバルブのためにバッファリングされる）
‐混合チャンバ制御のための２デジタル出力（６Ｖバルブのためにバッファリングされる）
‐加熱器制御のための２デジタル出力（加熱器電圧のためにバッファリングされる）
‐圧力センサーのための３アナログ入力（センサーからの＋／−出力のためにバッファリングされる）
‐温度センサーのための２アナログ入力
‐ＵＡＲＴのための２ＧＰＩＯ線
‐ＳＰＩのための４ＧＰＩＯ線
‐Ｉ２Ｃ（キャニスタ通信）のための２ＧＰＩＯ線
【表２−１】
2019516433.tif 000004
【表２−２】
2019516433.tif 000005
【００５７】
［0107］  ０〜６．１４４Ｖ  ＢｌｕｅｔｏｏｔｈパーソナリティボードのためにスケーリングされたＡ２Ｄ（いくつかの実施形態において）
‐ＢＬＥインタフェースのためのＰＳＯＣ４（ＣＹ８Ｃ４２４８ＬＱＩ−ＢＬ４８３）
‐レシピ保管のためのフラッシュ（Ｓ２５ＦＬ５１２ＳＡＧＭＦＩ０１１）（５１２Ｍ、６４×８）
‐ＵＳＢインタフェースのためのＵＳＢ−ｔｏ−ＵＡＲＴ（ＦＴＤＩ  ＦＴＤ２３０ＸＳ−Ｒ）
‐インタフェースＬＥＤ制御のためのＬＥＤドライバを駆動するための１２出力ＳＰＩ  ＤＡＣ（ＡＤ８８０４ＡＲＺ）
‐混合制御ボードへのＵＡＲＴのための２ＧＰＩＯ
‐ＵＡＲＴ−ｔｏ−ＵＳＢインタフェースのための２ＧＰＩＯ
‐ＳＰＩのための５ＧＰＩＯ
‐インタフェースボタンのための１ＧＰＩＯ
【表３】
2019516433.tif 000006
【００５８】
［0108］  いくつかの実施形態では、２つのＵＡＲＴ及びＳＰＩは、ＢＬＥ（ブルートゥースローエナジー）スタックを実行している場合にＰＳＯＣ４の資源を充填する。いくつかの実施態様では、追加の内部デジタル周辺機器（ＰＷＭなど）は使用されることができない。いくつかの実施態様では、状態行などを読み取るための予備のＧＰＩＯピンがある。いくつかの実施態様では、Ａ２Ｄが利用されることができる。
【００５９】
［0109］  いくつかの実施形態によれば、ＯＢＤ混合制御ボードは、例えば、ＵＳＢベース及び／又はＵＡＲＴベースの通信インタフェースを経由して、ホストと通信するために、指定された通信プロトコルを利用することができる。かかる実施形態では、ホストは混合制御ボードにコマンドをパケット形式で送信することができる。混合制御ボードは、例えば、同じ形式の、応答パケットで応答して、コマンドが成功裏に処理されたか否かを通知することができる。
【００６０】
［0110］  前述のとおり、いくつかの実施形態では、ＯＢＤは、通信経路（複数可）を提供するパーソナリティボードを含む。いくつかの実施形態では、パーソナリティボードは、例えば、ＢＬＵＥＴＯＯＴＨ４．０インタフェース（ＢＴ４）及び／又はＵＳＢインタフェースを提供する。いくつかの実施形態では、ＢＴ４又は類似のインタフェースは、ＯＢＤ主装置と通信するためにタブレット及びスマートフォンＯＢＤアプリケーションによって使用されるように構成される。ＵＳＢインタフェースは、ファームウェアアップデート、製造検査、サービストラブルシューティングなどを容易にするように構成されることができる。
【００６１】
［0111］  いくつかの実施形態では、通信手段（例えば、ＢＬＥ、ＵＳＢなど）に関わらず、２０バイトの通信パケット（表Ｃで説明したような）が使用される。いくつかの実施形態では、通信及びセキュリティはＢＬＥインタフェースを介して処理されることができる。いくつかの実施形態では、ＯＢＤがＢＬＥ又はＵＳＢコマンドに応答するために、セキュリティ機構又は制御が、ＯＢＤがコマンドに応答するために解除される必要がある。セキュリティ機構／制御は、ＯＢＤに対する認可されていないアクセスを防ぐ。いくつかの実施形態では、通信サイクルは、次を含む：（ａ）ホストが、ＯＢＤに送信することを望む通信パケットを構築する；（ｂ）コマンドに対してセキュリティ解除が必要とされる場合、ホストがセキュリティを解除する；（ｃ）ホストがｎバイト通信を第１の特性に書き込む；（ｄ）ＢＬＥ書込み完了応答の後、ホストは第１及び第２の特性から応答データを読み取ることができる。ホストは、第２の特性に対する通知を監視して、特性が通知されると第２の特性から応答を読み取ることもできる。セキュリティ機構（複数可）又は制御（複数可）は、ＯＢＤに対する認可されていないアクセスを防ぐように構成される。例えば、たとえＢＬＵＥＴＯＯＴＨデータパケットが暗号化されても、ＢＴ４通信は依然として、認可されていないリスナによるスパイ行為に対して弱い可能性がある。ＯＢＤは、認可されていないリスナがＯＢＤコマンドプロトコルを発見して、装置に望まれていない動作を実行するように命令することができないように、セキュリティ機能を実装する。セキュリティが機能している場合、ＯＢＤはコマンドを実行しない。一例として、セキュリティ機構又はツールは、次のように実装されることができる：モバイル機器上のモバイルＯＢＤアプリケーションが、ＯＢＤにそのセキュリティ鍵の使用を要求することができる。ＯＢＤは、指定された数のランダムバイトを生成し、アプリケーションからの適切な応答を計算するための暗号化式を使用する。アプリケーションはランダムバイトをＯＢＤから受信して、暗号化式を実行する。アプリケーションは次いで、暗号化されたデータのランダムバイトを指定された特性を介してＯＢＤに送信する。ＯＢＤは、モバイルアプリケーションの暗号化がＯＢＤ暗号化と一致するかどうかを確認することができる。暗号化されたデータが一致する場合、セキュリティが解除されてＯＢＤは、コマンドに応答することができる。しかし、無効な暗号化データが受信される（例えば、３回連続して受信される）と、ＯＢＤはロックダウンして、もはやセキュリティ解除コマンドを処理しないように構成されることができる。かかる実施形態は、セキュリティ機構への総当たりハッキング攻撃の成功を防ぐか、又は減らすことができる。いくつかの実施形態では、ロックダウンを解除するために、ＯＢＤの電源を一旦切ってすぐに入れ直す必要がある。
【００６２】
［0112］  いくつかの実施形態では、流体バイアル及びマイクロ流体ミキサーチップを加熱することは、様々な粘度の流体の混合を達成するために必要であり、従って、正確で、精密で、信頼できるＯＢＤシステム性能にとって重要又は不可欠であり得る。加熱器／加熱器要素は、ＯＢＤシステムを通過する流れの粘度を正確に制御するように構成される。いくつかの実施態様では、図８Ａに例示するように、加熱のこの制御及び／又は指定された加熱をシステムの様々な部分に提供することは、流体流を正規化するために使用されることができ、バイアル／リザーバの両方内で、及び混合操作を通して（すなわち、流路を通して、及び／又はマイクロ流体ミキサーチップ内で）、流体の加熱を含むことができる。かかる実施形態は、マイクロ流体ミキサーチップ加熱器８０２ａ（及び／又は加熱器ブロック、加熱器要素（複数可）など）、及び１つ以上のバイアル／リザーバ加熱器８０３ａ（及び／又は加熱器ブロック（複数可）、加熱器要素（複数可）など）を使用できる。加熱器及び／又は加熱器ブロックは、様々な材料（鋼、アルミニウム、セラミックなど）を含み、かつ／又は様々な材料から形成でき、様々な供給源（抵抗加熱、誘導加熱器、放射加熱、高周波加熱、燃焼加熱など）によって電力供給されることができる。
【００６３】
［0113］  図８Ｂは、ミキサーコントローラ／ＰＣＢ８１０ａ、ポンプ８１２ａ、ソレノイド板／ソレノイド８１３ａを含む、ＯＢＤのいくつかの実施形態のための内部構造を示す。図８Ｃに例示するように、ミキサーコントローラ／ＰＣＢ８１０ａは、電源８１１ａ、電力入力／電力ポート８１１ｂ、圧力測定フィードバックセンサー／入力８１１ｃ、及び／若しくはシステム電気接続８１１ｄを含み、かつ／又はそれらに接続される。ミキサーコントローラ／ＰＣＢ８１０ａは、ポンプ８１２ａ及びソレノイド８１３ａを制御するように構成される。ソレノイド板／ソレノイド８１３ａは、システムへの圧力の供給を開閉し、ポンプ８１２ａは、システムに加圧する。空気チャンバ８１４ａは、システムダイナミクスのタイミング、システム応答、及び／又はダンピングを制御するためにＯＢＤによって利用できる。
【００６４】
［0114］  図８Ｄは、メインコントローラ／ミキサーコントローラ／ＰＣＢ８１０ａが、操作詳細及び／又は状態に関して、通信構成要素８２１ａ（制御可能ＯＢＤロゴなど）を用いてユーザと通信することができ、かつ／又はユーザに警告することができる、ユーザフィードバックＰＣＢ８２０ａなどの、ユーザフィードバック構成要素に伝える、ＯＢＤのいくつかの実施形態のためのシステムユーザフィードバック例の概観を提供する。例えば、ユーザフィードバックＰＣＢ８２０ａは、ＬＥＤ又は一連のＬＥＤ８２２ａを制御でき、ＯＢＤロゴ８２１ａは、ユーザフィードバックＰＣＤ８２０ａ上のＬＥＤ８２２ａに接続された一連のライトパイプを含むことができる。
【００６５】
［0115］  図８Ｅは、分注トレイ８４０ａがＯＢＤシステムから取り外される実施形態を示す。かかるトレイは、うつわ／容器の安全かつ効率的な装着を容易にでき、また、ユーザが本システムを利用するのをさらに簡単にする（すなわち、ユーザがマイクロ流体混合のために容器を手動で合わせることを要求しないことによって）。トレイ８４０ａは、分注／受入れカートリッジ／容器８４１ａ又はカップと共に装着でき、装着されたトレイは、分注空洞内のＯＢＤシステムに挿入、取り付け、及び／又は掛けて戻すことができる。いくつかの実施形態では、マイクロ流体混合物を分注する前に、磁石などの、ラッチ又は取付け機構が、トレイ８４０ａをＯＢＤに固定するために使用されることができる。いくつかの実施形態では、ＯＢＤは、取外し可能な取付け機構（電磁ラッチ、作動ラッチなど）と共に構成されることができる。いくつかの実施形態では、ＯＢＤは、分注されたマイクロ流体混合物の安全性及び純度を制御するために、ベープカートリッジ、ＯＢＤバイアルなどの、指定された容器だけを受け入れるように構成されることができる。図８Ｆに例示するように、バイアルからの流体８５１ａがマイクロ流体ミキサーチップに流れ込み、そこで、それらは混合されてマイクロ流体混合物８５２ａを形成し、それはディスペンサ８５３ａに移動され、ディスペンサからトレイに装着されたカートリッジ又はカップ８５４ａに移される。
【００６６】
［0116］  図８Ｇは、ＯＢＤのいくつかの実施形態のための、マイクロ流体ミキサーチップの挿入及び／又は交換の概観を提供する。マイクロ流体ミキサーチップを装填又は再装填するために（例えば、ＯＢＤを医療、娯楽、又は調理用途のための使用後、香料作成などの、新規利用のため）、バイアル８６２ａ及びバイアル加熱器８０３ａが持ち上げられる。既存のマイクロ流体ミキサーチップがある場合、それをミキサーチップ加熱器ブロック８０２ａから取り除いて、新しいマイクロ流体ミキサーチップ８０１ａをミキサーチップ加熱器ブロック８０２ａ上に置くことができる。いくつかの実施形態では、ミキサーチップ加熱器ブロック８０２ａは、システム空気圧がマイクロ流体ミキサーチップ８０１ａに直接連結できるようにする接続ポート８０２ｂを含むことができる。いくつかのかかる実施形態では、ミキサーチップ加熱器ブロック８０２ａは、マイクロ流体ミキサーチップ８０１ａを加熱し、また、弁が開閉できるように空気圧経路をマイクロ流体ミキサーチップ８０１ａに提供して、流体が流れるのを可能にする。
【００６７】
［0117］  図８Ｈは、ＯＢＤのいくつかの実施形態のための、流体バイアルの挿入及び／又は交換の概観を提供する。１つ以上のバイアルを装填又は再装填するために（例えば、原料が使い果たされているか、又はユーザが新しい原料を試したい場合）、古いバイアル又は空のバイアルがバイアル加熱器８０３ａから取り除かれて、バイアル加熱器がマイクロ流体ミキサーチップ８０１ａまで下げられ、かつ／又はマイクロ流体ミキサーチップ８０１ａの上に固定されて、新しいか、若しくは交換バイアル８６２ａがバイアル加熱器８０３ａに取り付けられる。次いで、キャップ８６５ａがバイアルの上に下げられて、バイアル（複数可）の上部接触面及びマイクロ流体ミキサーチップとの底部接触面の両方の上にシールを作り、それにより、ＯＢＤの空気圧システムを連結して密閉する。キャップ８６５ａは、単一のキャップを含み、かつ／又は、密閉キャップ及びケーブル管理キャップなど、複数のキャップを含むことができる。
【００６８】
［0118］  図８Ｉは、ＯＢＤのいくつかの実施形態のための、ユーザガイダンス図例を、セットアップ、マイクロ流体チップ交換、及びバイアル交換に関する図と共に、提供する。
【００６９】
［0119］  図９Ａ、図９Ｂ、及び図９Ｃは、いくつかの実施形態に従った、ＯＢＤマイクロ流体ミキサーチップ例を示す。チャネルパラメータは、用途及び実施態様によって決定され、チャネル（複数可）に対する流体の相対粘度に対応されることができる。例えば、カンナビノイドとの使用のために構成されたマイクロ流体ミキサーチップに対して、カンナビノイドの主フローチャネルは、２０００マイクロメートル幅×１０００マイクロメートル深さになるように構成されることができる。基剤及び／又はフラボノイドに対して、注入口チャネルは５００マイクロメートル幅×３００マイクロメートル深さにでき、基剤／フラボノイドの主フローチャネルは、１０００マイクロメートル幅×１０００マイクロメートル深さにできる。テルペンに対して、注入口チャネルは２５０マイクロメートル幅×１００マイクロメートル深さにでき、テルペンの主フローチャネルは、６００マイクロメートル幅×３００マイクロメートル深さにできる。これらのパラメータは例に過ぎず、制限することを意図していない。しかし、これらの例は、いくつかの実施形態に一般化できるチャネルサイズ／流体粘度に対する例示的な比率を提供する。
【００７０】
［0120］  図１０は、いくつかの実施形態に従ったマイクロ流体ミキサーチップ組立体例を示す。図のように、かかる実施形態では、ミキサーチップ最上部１００１（図１０Ａに追加の詳細）、ミキサーチップＶＩＡ１０１１（図１０Ｂに追加の詳細）、ミキサーチップ膜１０２１（図１０Ｃに追加の詳細）、及びミキサーチップ底面１０３１（図１０Ｄに追加の詳細）を含む、４つの部分がある。いくつかの実施態様では、４つの部分は、例えば、クラス１００，０００クリーンルーム内での置換術などを用いて熱溶着される。いくつかの実施態様では、マイクロ流体ミキサーチップの接着／形成において接着剤は使用されない。いくつかの実施形態では、部分は、Ｒｅｎらによって開示されている方法、Ｗｈｏｌｅ−Ｔｅｆｌｏｎマイクロ流体チップ（ＰＮＡＳ  ２０１１  １０８（２０）８１６２−８１６６；ｄｏｉ：１０．１０７３／ｐｎａｓ.１１００３５６１０８）を使用して接着され、その全体が参照により全ての目的のために組み込まれる。いくつかの実施形態では、マイクロ流体ミキサーチップは、モノリシック空気圧弁及び／又はポンプを含み、かつ／又は統合されることができる。
【００７１】
［0121］  ポリマー、コポリマー、樹脂、シリコン、ガラス、ＰＤＭＳ、ポリテトラフルオロエチレン、ペルフルオロアルコキシポリマー樹脂、ＴＥＦＬＯＮ（登録商標）などを含む、様々な材料が、マイクロ流体ミキサーチップを作製する際に利用でき、マイクロ流体ミキサーチップは、かかる材料又は材料の混合物を含み、基本的にかかる材料又は材料の混合物から構成されるか、又は構成される。いくつかの実施形態では、前述した部分の一部又は全部は、フッ素化エチレンプロピレン（ＦＥＰ）、      ヘキサフルオロプロピレン及びテトラフルオロエチレンのコポリマーで作られる。いくつかの実施形態では、マイクロ流体ミキサーチップは、ＦＥＰで構成されるか、又は基本的にＦＥＰから構成され、部分は熱溶着される。本明細書で開示するように、かかる実施形態は、テルペンからの溶媒効果に抵抗でき、それにより汚染のリスクなしで複数回使用できるので、カンナビノイド関連用途に良く適している。いくつかの実施形態では、かかるマイクロ流体ミキサーチップは、モノリシックに形成され、かつ／又は、モノリシックに形成される、空気圧弁及び／若しくはポンプなどの、要素を含む。図１０Ｅ〜図１０Ｇは、本開示のいくつかのかかる実施形態に従った熱溶着ＦＥＰマイクロ流体ミキサーチップの図である。
【００７２】
［0122］  ＯＢＤのいくつかの実施形態は、様々な液体で作業できるように、広範囲の温度で動作するように構成され、いくつかの実施形態は、１４０Ｆ（例えば、触れても安全な温度）などの、指定された温度閾値を超えないように構成されるが、他方、他の実施形態は、もっと高くなり（例えば、いくつかのカンナビノイドは３００Ｆまで安定であり、適切な粘度を得るために比較的高温を必要とし得る）、かかる高温実施形態は、過熱を回避して、ユーザが誤ってやけどをするのを防ぐための安全機能及び断熱材を含む。いくつかの実施形態は、ＯＢＤがそれ以下では流体を分注しない、１００Ｆなど、最低温度と共にも構成できる。
【００７３】
［0123］  実施形態に応じて、ＯＢＤ内の流体に対する温度は、１００度Ｆ〜３００度Ｆの範囲にでき、その間の任意の整数を含み、それらの間の整数間の任意の範囲を含み、約１００〜１０５度Ｆ、約１０５〜１１０度Ｆ、約１１０〜１１５度Ｆ、約１１５〜１２０度Ｆ、約１２０〜１２５度Ｆ、約１２５〜１３０度Ｆ、約１３０〜１３５度Ｆ、約１３５〜１４０度Ｆ、約１４０〜１４５度Ｆ、約１４５〜１５０度Ｆ、約１５０〜１５５度Ｆ、約１５５〜１６０度Ｆ、約１６０〜１６５度Ｆ、約１６５〜１７０度Ｆ、約１７０〜１７５度Ｆ、約１７５〜１８０度Ｆ、約１８０〜１８５度Ｆ、約１８５〜１９０度Ｆ、約１９０〜１９５度Ｆ、約１９５〜２００度Ｆ、約２００〜２０５度Ｆ、約２０５〜２１０度Ｆ、約２１０〜２１５度Ｆ、約２１５〜２２０度Ｆ、約２２０〜２２５度Ｆ、約２２５〜２３０度Ｆ、約２３０〜２３５度Ｆ、約２３５〜２４０度Ｆ、約２４０〜２４５度Ｆ、約２４５〜２５０度Ｆ、約２５０〜２５５度Ｆ、約２５５〜２６０度Ｆ、約２６０〜２６５度Ｆ、約２６５〜２７０度Ｆ、約２７０〜２７５度Ｆ、約２７５〜２８０度Ｆ、約２８０〜２８５度Ｆ、約２８５〜２９０度Ｆ、約２９０〜２９５度Ｆ、約２９５〜３００度Ｆ、及び／又はそれらの間の任意の部分範囲又は結合された範囲（例えば、約１４５〜２４５度Ｆなど）を含む。
【００７４】
［0124］  いくつかの実施形態では、温度／加熱は、タンク、経路／チャネル、並びに／又はＯＢＤ及び／若しくはマイクロ流体ミキサーチップの指定された他の部分若しくは複数の部分に集中される。いくつかの実施形態では、ＯＢＤ内の圧力は、実施態様に応じて、０〜１００ＰＳＩの範囲にできる。いくつかの実施形態では、０〜１００ＰＳＩの圧力は、弁を制御するために使用され、０．１〜１０ＰＳＩ、１０〜２０ＰＳＩ、２０〜３０ＰＳＩ、３０〜４０ＰＳＩ、４０〜５０ＰＳＩ、５０〜６０ＰＳＩ、６０〜７０ＰＳＩ、７０〜８０ＰＳＩ、８０〜９０ＰＳＩ、９０〜１００ＰＳＩ、及び／又はそれらの間の任意の整数などの圧力を含み、例えば、約１ＰＳＩ、約２ＰＳＩ、約３ＰＳＩ、約４ＰＳＩ、約５ＰＳＩ、約６ＰＳＩ、約７ＰＳＩ、約８ＰＳＩ、約９ＰＳＩ、又は約１０ＰＳＩを含む。いくつかの実施形態では、０〜１００ＰＳＩの圧力は、キャニスタ内の（典型的には加熱された）原料を加圧して、それらが流れるようにするために使用され、０．１〜１０ＰＳＩ、１０〜２０ＰＳＩ、２０〜３０ＰＳＩ、３０〜４０ＰＳＩ、４０〜５０ＰＳＩ、５０〜６０ＰＳＩ、６０〜７０ＰＳＩ、７０〜８０ＰＳＩ、８０〜９０ＰＳＩ、９０〜１００ＰＳＩ、及び／又はそれらの間の任意の整数、若しくはそれらの間の範囲などの圧力を含み、例えば、約０．０１ＰＳＩ、約０．０５ＰＳＩ、約１ＰＳＩ、約１．５ＰＳＩ、約２ＰＳＩ、約２．５ＰＳＩ、約３ＰＳＩ、約３．５ＰＳＩ、約４ＰＳＩ、約４．５ＰＳＩ、約５ＰＳＩ、約５．５ＰＳＩ、約６ＰＳＩ、約６．５ＰＳＩ、約７ＰＳＩ、約７．５ＰＳＩ、約８ＰＳＩ、約８．５ＰＳＩ、約９ＰＳＩ、約９．５ＰＳＩ、又は約１０ＰＳＩを含む。
【００７５】
［0125］  いくつかの実施形態では、ＯＢＤが扱う／処理する流体に対する粘度は、０．１ｃＰ〜５，０００ｃＰの範囲にでき、１ｃＰ、１００ｃＰ、５００ｃＰ、１，０００ｃＰ、２，０００ｃＰ、３，０００ｃＰ、４，０００ｃＰ、５，０００ｃＰ、及び／又はそれらの間の任意の整数、若しくはそれらの間の範囲を含む。
【００７６】
［0126］  いくつかの実施形態では、ＯＢＤは、洗浄サイクルを含むことができる。かかる洗浄サイクルは、ＯＢＤ及び／又はマイクロ流体ミキサーチップの寿命を延ばすことができる。かかる洗浄サイクル／方法は、マイクロ流体ミキサーチップ（又はその部分）をその正常な分注温度を超える温度に加熱することを含み、残留物質を溶かし、空気／気体／液体及び／若しくは溶媒を加圧下で主フローチャネルを通過させ、かつ／又は音響エネルギーをマイクロ流体ミキサーチップに印加して洗浄を支援するのに役立つことができる。追加又は代替として、いくつかの実施形態では、ＯＢＤは、チャネル壁に付着した残留有機物を燃やすように構成されたレーザー又は超高速レーザーを含むことができ、その後に、灰を一掃するための空気又は他の流体のバーストが続く。図１１Ａに例示するように、いくつかの実施形態では、複数の流体バイアル１１０２ａのうち、１つ以上のバイアル１１０２ｂは、各使用の後、システムを洗浄／浄化するために、システムを通過させることができる洗浄溶液（例えば、ＥｔＯＨ及び／又は同様のもの）を含むことができる。
【００７７】
［0127］  いくつかの実施形態では、マイクロ流体ミキサーチップは、マイクロ流体ミキサーチップ自体に組み込まれた圧電ポンプを含むことができる。
【００７８】
［0128］  いくつかの実施形態では、マイクロ流体ミキサーチップ及び／又はＯＢＤは、別の方法ではユーザに分注するのが困難であるか、又は不可能である原料を配合及び活性化するために処理する（例えば、一旦、配合されると、有効期間が比較的短い薬剤の配合は、そうでなければ、患者は調剤薬局を週に何回も訪れる必要がある）。
【００７９】
［0129］  いくつかの実施形態では、マイクロ流体ミキサーチップ及び／又はＯＢＤは、乳化剤を添加し、原料を均質化し（例えば、マイクロ流体ミキサーチップ内に配置されたか、又はＯＢＤの構成要素若しくはＯＢＤに対するアタッチメントとしての、ホモジナイザを用いて）、粉末化された原料／成分を（例えば、粉末混合機を用いて）混合し、ろ過溶液を添加し、原料を濃縮及び／又は精製し、熱サイクルを提供し、ｐＨ試験を実施／提供し、かつ／若しくはｐＨバランスを提供し（例えば、対応するタンク内の酸性／塩基性溶液を用いて）、かつ／又は高度なマイクロ流体化学合成を提供するように構成される。ＯＢＤは、精度を確実にするために分注前に原料のブレンドを分析する（例えば、小型分子センサーをＯＢＤ内に組み込むことによって）ためのシステムも含むことができる。ＯＢＤは、追加又は代替として、原料を添加／混合する前に、純度及び／又は効力に関して原料を検査する（例えば、ＯＢＤのカートリッジ／タンク受けにおいて、又は近くに、分子センサー若しくは複数のセンサーを組み込むことによって）ためのシステムを含むことができる。
【００８０】
［0130］  いくつかの実施形態では、複雑な混合及び／又は分注サイクルに対して、ＯＢＤは、主空気チャネル内の圧力を分注時にわたって変化させるように構成されることができ、その結果として、分注されるにつれて圧力が下がると、いくつかの流体に対して流体流速に対するさらに正確な制御及びさらなる精度を提供する。
【００８１】
［0131］  いくつかの実施形態では、ＯＢＤは、分注サイクル中に、例えば、排出ポート上にその閉鎖を可能にするソレノイド弁を含めることによって、マイクロ流体ミキサーチップ全体に加圧するように構成される。流体フローはその結果、個々の流体カートリッジにマイクロ流体ミキサーチップ内の圧力よりも高い圧力を印加することによって制御できる。流体フローは、圧力差（Ｐｃａｒｔｒｉｄｇｅ− Ｐｓｙｓｔｅｍ）に依存する。システム内の空気の圧縮は、（Ｖ２／Ｖ１ ＝ Ｐｓｙｓｔｅｍ／Ｐｃａｒｔｒｉｄｇｅ）によって決定される。システム圧力を増加し、カートリッジ圧力とシステム圧力との間の差を一定に維持することにより、ＯＢＤは、少ない空気圧縮で同じ流速を提供することができ、システム内の空気の圧縮率による分注誤差を低減する。
【００８２】
［0132］  図１２Ａは、複数の流体タンク／カートリッジがその上に配置されたＯＢＤマイクロ流体ミキサーチップ例を示す。ＯＢＤマイクロ流体ミキサーチップのいくつかの実施形態は、カートリッジ内の空気容積の不必要な加圧及び圧縮を防ぐか、又は低減するために、流体カートリッジ／流体タンクとマイクロ流体ミキサーチップとの間の接合面の近くに１つ以上の弁を含む。いくつかの実施形態は、ダックビル弁（例えば、図１２Ｂ）又はアンブレラ弁（例えば、図１２Ｃ）などの逆止弁を、流体が分注されるカートリッジの先端に対して利用する。追加又は代替として、逆止弁は、マイクロ流体ミキサーチップ上の注入ポートに含むことができる。いくつかのかかる実施形態では、かかる弁は、流体カートリッジ／タンクが設置されていない場合、チップ上のポートを密封することもできる。いくつかの実施形態では、マイクロ流体ミキサーチップは、注入ポート近くの圧力作動弁がその上／その中に規定又は形成できるように構成された可撓層を含む。マイクロ流体ミキサーチップ内で生じる流体の混合の観点から説明したが、ＯＢＤのいくつかの実施形態では、マイクロ流体ミキサーチップ（ミキサーチップ、又はチップ）は代わりに、流体のマイクロ流体量を正確に測定及び分注でき、混合は収集容器（例えば、バイアル、ベープカートリッジ、ボウルなど）などの、チップの外部で実施されることを理解されたい。
【００８３】
［0133］  図１３Ａ〜図１３Ｆは、ＯＢＤ流体タンクの例を示し、その平らな表面上に配置された識別構成要素（例えば、マイクロチップ、ＲＦＩＤ、ＱＲ／バーコードなど）を含み、着色／色分けを含む。
【００８４】
［0134］  図１４Ａ〜図１９Ｂは、いくつかの実施形態に従った、ＯＢＤ設計及び構成の例を示す。かかる設計は、例えば、認可されていない個人によるアクセスを防ぐため（例えば、カートリッジ（複数可）及び分注ポート上のチャイルドアクセスロック）、混合及び／又は加熱中のアクセスを防ぐため、ある構成要素へのアクセスを制限するため（例えば、半永久的構成要素は、ＯＢＤが操作するのに安全で無菌であることを確実にするために、サービスする／交換するために特別な鍵又は許可を必要とし得る）など、ロック／ロック機構と共に構成できる。いくつかの実施形態は、内部構成要素を見るのを可能にし、かつ／又は混合の進行に対する可視性を提供する透明及び／又は半透明部分（いくつかの実施形態では、追加として背後から光を当てられる）を含むことができる。
【００８５】
［0135］  図２０は、いくつかの実施形態に従った、ＯＢＤモバイル機器アプリケーションユーザインタフェース例を提供する。
【００８６】
［0136］  カンナビス産業用途に対して、ＯＢＤは、図２１に示すような２５の異なる油など、様々な異なる成分及び油に対して構成できる。かかる成分／油は、ＴＨＣ、ＣＢＤ、ＣＢＧ及び大部分のカンナビス株で見られる１級のテルペンの２０を含むことができる。ユーザが香料（複数可）を自分の混合物に導入するために利用可能な、１つ以上のさらなるポートを作ることができる。これらの異なる流体は、機械上／機械内のいずれかに様々な量で（例えば、０．２５０ｍｌ〜３ｍｌ、０．１ｍｌ〜１００ｍｌなど）、及び／又はＯＢＤ上又はＯＢＤに隣接した貯蔵ケース内に、貯蔵できる。
【００８７】
［0137］  成分（例えば、テルペン及びカンナビノイド）のいくつかは、かなり粘性があり、ポンプ注入、混合及び分注中に良好な流体フローを促進するために、ＯＢＤによって（例えば、１５０度Ｆまで）温度制御される。いくつかの実施形態では、温度制御は、ペルチェ素子及びＰＩＤコントローラ（例えば、２１０１ａ）の使用を通して達成される。様々なポンプ（例えば、２１０１ｂ）が利用され得、限定されない例として、ステッパ‐シリンジタイプ、蠕動、又は圧電ポンプを含み、様々な粘度の流体と共に作業するのに最も有効な、１つ以上のポンプが利用又は選択され得る。例えば、特定の粘度（及び／又は容積）を有する流体と関連付けられたいくつかの流路に対してあるポンプが利用され得、他方、他の粘度（及び／又は容積）を有する流体の流路に対して他のポンプが使用される。
【００８８】
［0138］  いくつかの実施形態では、流体は、どれが使用されているかに応じて、様々な量で混合される。流体のいくつかは、通常、最終（例えば、０．１ｍｌ〜３ｍｌ）生成物のより高い割合を占めることができ、従って比較的多い量で（例えば、２５０μＬ〜８００μＬ）ポンプ注入できる。他は、ずっと少ない量で使用されて、比較的少ない量だけ（例えば、略＞１μＬ〜１００μＬ〜）ポンプ注入する必要がある。そのため、様々な流体を移動させるために必要なポンプのタイプ及び／又は流体カートリッジ分注ポートサイズは、それに応じて変更できる。
【００８９】
［0139］  ＯＢＤのいくつかの実施形態では、ユーザはレシピを、スマートフォンアプリ、ＨＴＭＬ５ウェブサイト、及び／又は同様のものから選択して、所望であればレシピを変更し、ＯＢＤインタフェースを使用して装置に注文してそれを生成する。装置は、カスタムベープ及びブレンドオイルを様々な香料、芳香、薬用及び向精神効果と共に生成するために、カンナビノイドオイル（ＴＨＣ、ＣＢＤ及びＣＢＧなど）；テルペン；フレーバー（合成及び天然）；及び基剤（例えば、ＶＧ、ＰＧ）を混合できる。
【００９０】
［0140］  いくつかの実施形態では、異なる成分、油及びテルペンが共通チャンバ又はチューブにポンプ注入され、混合されて均質な生成物を生成する。
【００９１】
［0141］  流体は様々な方法で混合でき、乱流の使用、超音波振動、混合物全体への空気のポンプ注入、混合カートリッジの使用、及び／又は同様のものを含む。いくつかの実施形態では、本明細書で詳述するような、取外し可能及び交換可能なマイクロ流体ミキサーチップが利用できる。
【００９２】
［0142］  流体は次いで、指定された量（例えば、０．１ｍＬ以下のマイクロベープ〜３．０ｍＬ以上）で容器に分注される。ＯＢＤのいくつかの実施形態では、容器はほとんどの市販のベーピング電池（ｖａｐｉｎｇ  ｂａｔｔｅｒｙ）及びチップと取り換え可能であり、そのためユーザは容器を容易に取り外して蒸気吸込みを開始できる。
【００９３】
［0143］  ＯＢＤのいくつかの実施形態で使用できる流体タイプは、限定されない例として、油、カンナビノイド、ニコチン、テルペン、テルピノイド、フラボノイド、カンナフラビン、エステル、植物抽出物、エンドカンナビノイドアゴニスト、芳香族化合物、及び／又は同様のものを含む。ＯＢＤが利用できる、カンナビノイドオイル、カンナビノイド、テルペン（カンナビスに見られる１級のテルペンを含む）、テルピノイド、フラボノイド、及びカンナフラビンのリストは大きく、限定されない例のリストを表２として提供する。
【表４−１】
2019516433.tif 000007
【表４−２】
2019516433.tif 000008
【表４−３】
2019516433.tif 000009
【表５】
2019516433.tif 000010
【表６】
2019516433.tif 000011
【表７−１】
2019516433.tif 000012
【表７−２】
2019516433.tif 000013
【表７−３】
2019516433.tif 000014
【表７−４】
2019516433.tif 000015
【表７−５】
2019516433.tif 000016
【表７−６】
2019516433.tif 000017
【００９４】
［0144］  ＯＢＤのいくつかの実施形態では、流体は、ポンプのシステム、例えば、蠕動及び圧電ポンプ並びに／又はより大きなポンプとマイクロ流体弁の組合せ、を使用して、非常に少量（例えば、１μｌ以下）で様々な流速で移動される（例えば、２１０１ｂ）。流体は、容器に分注される前に、ユーザ交換可能又は永久的な混合マニホールドのいずれか内で、混合及び均質化される（例えば、２１０１ｃ）。
【００９５】
［0145］  いくつかの実施形態では、ＯＢＤは、供給源タンクのＴＨＣ及びＣＢＤ内容物に基づいて自動的に較正できる。いくつかの実施形態では、電源（例えば、２１０１ｄ）、電子機器ボード（例えば、２１０１ｅ）、ＣＰＵ（例えば、２１０１ｆ）及びＷｉＦｉ／Ｂｌｕｅｔｏｏｔｈ無線（例えば、２１０１ｇ）は全てボード上にある。ＯＢＤ機能の手動操作及び監視のためのタッチスクリーンディスプレイ例が見られる（２１０１ｈ）。ＯＢＤは、ＯＢＤオンデマンド発注アプリ又はウェブサイト（例えば、Ｏｂｌｅｎｄ.ｃｏｍ）を経由してＢｌｕｅｔｏｏｔｈ、ＷｉＦｉなどを介して接続できる。いくつかの実施形態では、ＯＢＤは、例えば、各カートリッジに埋め込まれたマイクロチップ又はバーコードによって、原料が少ない場合に通知を発行でき、自動的に（例えば、Ｏｂｌｅｎｄ.ｃｏｍから）再発注するように設定されることができる。
【００９６】
［0146］  ＯＢＤ又は関連ベンダーは、ＯＢＤのユーザが好みのレシピ；医療用途でのレシピ；獣医用途でのレシピ、ソーシャルシェアリング、記事／ブログ及びカンナビス、テルペンなどに関する他の情報を投稿し、見つけるために、ウェブ又はスマートフォンアプリを経由してアクセスされることができる。
【００９７】
［0147］  いくつかの実施形態では、ユーザは、ユーザによって調達される原料（複数可）を追加しており、ＯＢＤは、自動的に再較正されることができ、かつ／又は流体の異なる濃度及び／若しくは粘度を可能にするように再較正されることができる。
【００９８】
［0148］  いくつかの実施形態では、ＯＢＤは、最終混合及び分注フェーズを除いて、異なる油及び成分が、機械の共通チャンバに接触しないように構成される。ＯＢＤは、油及び他の成分の相互汚染を防ぐために、使い捨てカートリッジ及び／又は洗浄プロトコルを使用されることができる。
【００９９】
［0149］  図２２に例示するように、流体は、ユーザに対して充填済みスマートカートリッジで提供されることができる。本装置は、カートリッジを（例えば、ＱＲ／バーコード、マイクロチップなどで）識別して、内容物、処理要件、使用された流体／カートリッジ内に残っている量などを判断することができる。カートリッジの色分けは、ユーザのカートリッジ交換を支援するため、及び極限であるか、又は過度の量で不快と考えられ得る流体；一般的なフレーバー又は匂いを作り出すために典型的に組み合わされる流体；異なる流速及び粘度を有する流体；などの識別を支援するために使用されることができる。いくつかの実施形態では、流体は、第三者によってスマートカートリッジに追加されてユーザに販売されることができる。第三者は、流体タイプ、処理要件などをＯＢＤ及び／又は関連エンティティに登録する。承認されると、第三者は、認証／認証情報が提供される（例えば、第三者は、ラベル、ＱＲ／バーコード、マイクロチップなどを印字、作成、更新するための情報を受信し、それをスマートカートリッジに添付するか、又は別の方法でそれをスマートカートリッジと関連付ける。いくつかの実施形態では、本装置は、適切なセキュリティ／認証／安全情報／コードでタグ付け／登録／認可されていないカートリッジは受け付けないように構成される。
【０１００】
［0150］  いくつかの実施形態では、異なる流速及び／又は粘度を有する流体に対して、カートリッジ及び／又は内部構成要素は、様々な原料油を指定された期間内（例えば、注文の１分以内）に最も効率的にブレンド及び分注するために様々な材料に対して均等な流速を提供するように設計される。これを達成するために、ＯＢＤは、異なるチューブの内径開口、取付具、材料、及び／又は加熱を利用する。ＯＢＤの実施形態は、マイクロ流体チップ内で流体を測定するための方法を組み込む。
【０１０１】
［0151］  ＯＢＤは、アプリ制御を利用して、様々な流体を貯蔵し、特定の割合に混合して、自動的に分注できる機械を含む。次は、いくつかの実施形態に従った、一般仕様例である。
【０１０２】
［0152］  ＯＢＤによって利用される流体タイプは、広範なｐＨ及び粘度をカバーでき、ＯＢＤ構成要素は、それに応じて、酸性から塩基性まで、広範な流体ｐＨを処理できる。いくつかの実施形態では、構成要素は、例えば、ホウケイ酸塩チューブ、ポリプロピレンなど、疎油性にできる。流体タイプは：油（カンナビノイド及びエンドカンナビノイドアゴニスト）；揮発性芳香族（テルペン及びエステル）；ＰＧ：プロピレングリコール；ＶＧ：植物性グリセリン；少量の水及び／又はアルコール（例えば、ＥｔＯＨ）を含む。
【０１０３】
［0153］  いくつかの実施形態では、ＯＢＤは、温度（例えば、内部装置温度）を、油を液体に保つ範囲（例えば、約１５０Ｆ）内に維持するように構成でき、かつ／又はカートリッジ／チューブなど、油に接触する表面の一部又は全部の温度を、適切な指定された温度（例えば、室温〜１５０の範囲内）まで迅速に加熱し、それにより油が流体で、移動して混合できるように構成されることができる。
【０１０４】
［0154］  カートリッジ内の量の例：０．５ｍｌ〜３ｍｌ
【０１０５】
［0155］  混合のために移動される流体量の例：１μＬ〜１ｍＬ
【０１０６】
［0156］  カートリッジサイズは、いくつかの実施形態に従って、５ｍｍ×５ｃｍシリンダ以下まで小さくすることも、１ｃｍ×１５ｃｍ以上とすることもできる。
【０１０７】
［0157］  ＯＢＤは、カウンタースペースをほとんど取らないように構成でき、装置例は、コーヒーメーカー／Ｓｏｄａ  Ｓｔｒｅａｍ／トースターほどの寸法である。いくつかの実施形態では、ＯＢＤは、壁若しくはキャビネット下取付け用に構成されるか、又は別の方法でスペースを節約するように構成され得る。
【０１０８】
［0158］  いくつかの実施形態では、ＯＢＤのプログラミング及びマイクロエレクトロニクスは、次のように構成される：装置を制御するためのマイクロコントローラベース回路；最大で２４の容器から流体を取り、それらを混合して、指定量（例えば、ユーザが選択した）を単一容器に入れ、指定順で（例えば、ユーザごと、又はレシピごと）混合されて、指定の多さ又は少なさだけ、任意の容器からの指定量、例えば、１μＬ〜１ｍｌ（例えば、容器Ａから１μＬ；容器Ｂから５μＬ；及び容器Ｃから３００μＬ）で混合し得る。ＯＢＤは、容易な混合及び流体の流れを確実にするために、２４の容器のいずれかの温度、及び／又は装置の内部温度を、１つ以上の指定された温度（例えば、室温〜１５０Ｆ）に調節されることができる。
【０１０９】
［0159］  ＯＢＤは、容器のいずれかに対する流体タイプ及び処理要件を、ＱＲ／バーコード及び／又はマイクロチップを介してなど、識別することができる。
【０１１０】
［0160］  ＯＢＤは、容器が取り外され、後に装置に再挿入される場合に、どのくらい流体が残っているかが分かるように、各容器から分注された流体の量を追跡して、チップ又はバーコードに関連づけることもできる。ＯＢＤは、圧力及び／又は光学的測定によって量をチェックするためにセンサーも利用することができる。
【０１１１】
［0161］  ＯＢＤは、ＷｉＦｉ／Ｂｌｕｅｔｏｏｔｈ無線などの、ネットワーキングを、スマートフォン／アプリ、ウェブサービス、及びマイクロコントローラ／ＣＰＵの間の通信のために利用することができる。ＯＢＤは、ＷｉＦｉ／Ｂｌｕｅｔｏｏｔｈネットワークに接続でき、スマートフォンアプリによって制御することが可能であり、状態アップデートをスマホに送信し、必要な場合には、新しいカートリッジを、例えば、オンラインストアを通して、セルフ発注することができる。
【０１１２】
［0162］  ＯＢＤは、マイクロコントローラベース回路（前述した）が、有線（例えば、ＵＳＢ）又は無線（例えば、ＢＬＵＥＴＯＯＴＨ）接続を経由して、直接及び／又はネットワーク（例えば、インターネット）を通してのいずれかで、通信可能に接続された、スマートフォン、タブレット、ラップトップ、コンピュータ、又は他の計算装置から制御できるように構成されることができるが、いくつかの実施形態は、それらが遠隔にセキュリティ侵害又はハッキングできないように保護される。いくつかの実施形態では、スマートフォン又は他の装置は、説明した機能を、マイクロコントローラベース回路又は複数の回路によって、完全に制御できる。ＯＢＤは、状態、流体タイプ及び機械内の量などを、スマートフォンとやり取りできる。いくつかの実施形態では、特に高度な／集中的な処理に対して、ＯＢＤは、ある情報を処理するため、及び／又はプロセッサ集約型判断を行うために、接続された装置（例えば、ＯＢＤソフトウェアアプリケーションを実行しているモバイル機器）を利用することができる。
【０１１３】
［0163］  いくつかの実施形態では、ＯＢＤは、マイクロ流体及び流体処理を要求するために構成される。粘性のあるカンナビノイドオイルを含む実施形態の実施態様は、エラー許容範囲が＋／−１０％、＋／−９％、＋／−８％、＋／−７％、＋／−６％、＋／−５％になるように構成されており、いくつかの実施形態では、エラー許容範囲は、＋／−４％、＋／−３％、＋／−２％に、また、システムの構成が厳重に規制されている場合は＋／−１％にさえ、低減されることができる。
【０１１４】
［0164］  いくつかの実施形態は、ＯＢＤのための流体容器又は「カートリッジ」システムを含む。容器内の流体は、均質溶液に混合するために加熱され、かつ／又はポンプで送り出される。一般に、小型が好都合であり、サイズは、例えば、５ｍｍ×５ｃｍシリンダ〜１ｃｍ×１５ｃｍシリンダの範囲にできる。いくつかのサイズは、３ｍｌまでの流体を保持できる。いくつかの実施態様は、温度を１５０Ｆまで制御できる。いくつかは、標準的な大量生産のベープタンク充填機に類似した機械を使用して充填可能にできる。カートリッジは、本明細書で説明するように、いくつかの異なる流体タイプを含むことができる。カートリッジは、広範な量及び粘度、例えば、１μＬ〜１ｍｌを、混合カートリッジに移すためのシステムを提供する。カートリッジは、広範な流体タイプ及びｐＨを、滲出又は漏出なく、処理するように構成できる。カートリッジは、ルアー取付具などの、しっかりとした取付具を使用してＯＢＤに連結できる。カートリッジ及び／若しくは取付具は、疎油性及び／若しくは疎水性材料、ポリプロピレンなど、から形成でき、かつ／又は適切なコーティングを有し得るか、若しくは別の方法で一般的な流体使用のため、又は特定の流体とのその流体の特性に基づく使用のために構成され得る。カートリッジは、安価かつ大量生産可能に構成できる。カートリッジは、初心者ユーザにとって、処理、保管、識別、及び装置への挿入が容易であるように構成できる。カートリッジは、非意図的に、又は誤って容易に開くことができないか、又はこぼれたり、勝手に開封されたりしないように、安全に構成できる。カートリッジは、色分けして、装置の色に適合させることができる。装置は、カートリッジを挿入時に（バーコード又はマイクロチップ又はその他）によって識別して、内容物、処理要件、使用された流体の量（取り外して、後に再度挿入できるように）を読み取ることができる。カートリッジは、品質管理、偽造防止、及び／又は真空包装ポーション、シリアル番号、検証コードなどの、改ざん対策要素も含み得る。
【０１１５】
［0165］  ＯＢＤのいくつかの実施形態では、カートリッジの追加又は取外しは、インクカートリッジの挿入に類似でき、そのため、ユーザはカートリッジ／容器を容易に追加するか、又は装置から取り外すことができる。カートリッジは、加圧でき、ＬＵＥＲ−ＬＯＫ取付具などの、しっかりとした取付具を使用して安全に密封されることができる（水圧式の場合、１００〜１５０μＬ／分）。
【０１１６】
［0166］  ＯＢＤは、数百もの挿入及び取外し事象を漏出又は詰まりなしで処理するように構成され、いくつかの実施形態では、構成要素が取り外される場合に再密封可能にできる。カートリッジは、初心者ユーザによる取扱いのために構成でき、そのため、保管、識別、及び装置への挿入が容易で、カートリッジ上にラベル付け及び色分けを含むことができる。
【０１１７】
［0167］  いくつかの実施形態では、挿入時にカートリッジからの流体が所定の場所に入れられて、流体の正確な処理の準備ができている、自給式事象トリガーがあり得る。ＯＢＤ及び／又はカートリッジの構成は、カートリッジと、混合マニホールドへの差込口との間に流体の間隙がないか又は最小限になるようにできる。ＯＢＤは、混合マニホールドへのチューブ及び連結のセルフ洗浄及び取外しのためにも構成されることができる。
【０１１８】
［0168］  いくつかの実施形態では、流体の処理及び移動を支援するために、ＯＢＤは、流体をカートリッジから、測定カートリッジに、次いで混合カートリッジ又はマニホールドに移し、そこから容器に入れるためのシステムを提供する。流体のポンプでの送込みは、空気圧又は水圧、マルチポンプ又は単一ポンプを用いて行うことができる。
【０１１９】
［0169］  油又は他の成分に接触するＯＢＤの部分は、それに応じて（例えば、疎油性）構成されることができる。温度（複数可）を提供して、油又は他の成分の処理を容易にする（例えば、油の粘性のある特質のために、正確で効率的な流れを維持するために加熱が必要であり得る）ために、ペルチェ素子又は同様のもの、熱シンク、冷却ファンなどのシステムが利用できる。接触部分は酸及び／又は塩基ｐＨの流体を処理するようにも構成されることができる。
【０１２０】
［0170］  ＯＢＤは、２４のカートリッジのいずれかから混合マニホールドへの１μＬ以下〜１ｍＬ以上の流体の精密に制御された移動を提供する。ポンプで送り込まれる容積の多くは少量であるが、より粘性のあり得る、より多い２００〜８００μＬに対して、水圧作用及びチューブ押出が使用されることができる。ポンプ例は、Ｂａｒｔｅｌｓマイクロポンプｍｐ６−ＰＰＳＵなどの、複数の小型圧電ポンプ、単一のもっと大きいＣａｖｒｏ  ＸＰシリンジポンプ又はＥｘｉｇｏポンプを含む。ＯＢＤは、機械（例えば、ＰＴＦＥ（テフロン）を使用するＴａｇａｓａｋｏソレノイドダイアフラムポンプ）を通る油の流れを指示するためにマイクロコントローラ（前述のとおり）によって制御される、マイクロ弁を利用することができる。
【０１２１】
［0171］  ＯＢＤは、流体を混合及び乳化するためのシステムを提供する。流体が流れ込んで混合できる混合マニホールドは、任意の指定された順序で、流体を乳化し（例えば、超音波、マイクロ流体、空気を用いて）、混合物の安定した温度を、指定された温度の範囲、例えば、室温〜１５０Ｆ以上にわたって維持するように構成できる。指定された混合温度に達する時間は、実施形態及び用途によって決まり、５秒、１０秒、２０秒、３０秒、４５秒、６０秒、１２０秒、１８０秒、４分、５分、６分、７分、８分、９分、１０分、１１分、１２分、１３分、１４分、１５分、１６分、１７分、１８分、１９分、２０分、及び／又はそれらの間の任意の整数、若しくはそれらの間の範囲の温度に達する時間を含むことができる。
【０１２２】
［0172］  温度制御された流体カートリッジは、レシピのための複数の油／成分を運んで、単一の安定で均質な混合物にブレンドするために使用されることができる。流体混合カートリッジ例は、機器からの複数（例えば、２４）の流体入力を備えた混合チャンバを含むことができ、拡張可能（例えば、最大で２５６の流体入力まで）であり得る。いくつかの実施形態では、カートリッジは、再使用及び／又はリサイクルされることができる。いくつかの実施形態では、カートリッジは、ユーザによって機器に取り付けることができる。いくつかの実施形態では、カートリッジ混合チャンバからの混合物は収集チューブ及び容器まで移すことができる。いくつかの実施形態では、各流体は、混合物を作るためにカートリッジ混合チャンバの底部から添加される。追加の混合が、混合チャンバを通って分注される空気及び／又は超音波によって提供され得る。
【０１２３】
［0173］  ＯＢＤは、流体混合物をユーザが置いた容器に分注するための方法も提供する。いくつかの実施形態では、分注ノズルは、充填可能容器のための充填ポートの上に位置する。いくつかの実施態様では、ユーザは、５０ｍｍ×１００ｍｍまでの範囲のサイズの様々な容器をノズルの下に置くことができるが、他の実施形態では、ＯＢＤは、指定された容器で作動し、それによりさらなるセキュリティ及び品質管理を提供するように構成されることができる。
【０１２４】
［0174］  ＯＢＤは、分注する前に、油及び／又は他の成分の機械的混合及び／又は乳化／均質化を提供する。
【０１２５】
［0175］  いくつかの実施形態では、油及び／又は他の成分を単一の小さい流体ポートに押し入れると、このプロセスを完了するのに十分な乱流を生じ得る。いくつかの実施形態では、乳化は、超音波混合／攪拌及び／又は空気（又は、窒素、及び／若しくは医薬用／食品グレード気体の混合物などの、他の気体）を用いて達成され得る。
【０１２６】
［0176］  ＯＢＤは、機械を洗浄するためのシステムも提供することができる。例えば、いくつかの実施形態では、ユーザ交換可能なミキサーチップ／マニホールドは洗い流すか、又は交換されることができる。潜在的に高度に粘つく、粘性のある材料が使用されることができ、その一部は、低温で蜂蜜又はココナッツオイルの濃度になる。いくつかの実施形態は、装置の汚染を危うくする、食品及び／又は医薬品グレードの洗浄剤（例えば、Ｈ２Ｏ／ＥｔＯＨ）を使用するように構成され得る。いくつかの実施形態は、油が機械内の同じチャンバ若しくは導管内で同じ表面に接触している時間／位置の量を最小限にすることによって、オンボード洗浄液の使用を回避するように構成され得る。前述のように、材料及び／又はコーティングが、洗浄の容易さ及び精度の維持のために構成され得る（例えば、チューブ及びカートリッジ表面を疎油性にすることができる）。
【０１２７】
［0177］  いくつかの実施形態では、ＯＢＤは、レシピ及びそれ以上のもののオンライン情報源（例えば、Ｏｂｌｅｎｄ.ｃｏｍ）によってサポートされる。ユーザは、ＯＢＤでの使用のために、レシピを発見、シェア及び作成できる。オンライン情報源は、ユーザの履歴、ソーシャルネットワーク、人口統計層、及び現在、装置内にある原料から集約されたデータに基づいて、ユーザにレシピを提案することもできる。原料の追加、原料の除去、及び／又は新しい原料を含め、原料の調整を提供、リスト、及び／又は提案できる。ユーザは、ＯＢＤのための流体カートリッジ及び交換部品も発注されることができる。いくつかの実施形態では、レシピは独自であり得、ＯＢＤはそれに応じて構成されることができる。
【０１２８】
［0178］  ユーザはＯＢＤにＯＢＤブレンドをオンデマンドで分注するように指示することができ、かかるブレンドはマイクロベープを奨励するために開発されることができる。マイクロベープは、即座に、又は数時間以内のいずれかでの消費／使用のためにユーザによって作製された１００μＬ以下のベープタンクとして定義される。１００μＬのマイクロベープは、標準的な３００パフ１ｍＬベープカートリッジに対して、略３０パフを供給する。このマイクロベープは、ユーザが、特定の気分又は環境に対してオンデマンドで調整された、カンナビスベープ経験を構築するのを可能にする。一杯のコーヒーとよく似て、単一のマイクロベープは短期間の使用のためにできる。
【０１２９】
［0179］  現在のところ、家庭ユーザ、又は地元の小売店によって、カンナビノイドオイル、エステル、テルペン、及び追加のものなどの流体を、マイクロ流体の割合（例えば、１マイクロリットル）でブレンドして、彼らの個人的欲求又はライフスタイルに適合するカスタム混合物を作製するために使用できる装置はない。それを手動で行うことは極めて困難であり、専門知識を必要とし、材料及びマイクロピペットなどの基本的な化学備品を見つけるのは難しい。
【０１３０】
［0180］  例えば、カンナビス産業では、蒸気吸込み又は経口摂取のためのオイルは、多くの場合、植物の単一株から大量のバッチで製造される。フレーバー、匂い及び向精神効果は、ＴＨＣ、ＣＢＤ、ＣＢＧ及びその植物内で天然に生じるテルペンの混合物から引き出される。しかし、「同じ」株からのオイルの１つのバッチは、様々な要因；生育条件、オイル処理中のプロトコル変動、処理されている花の新鮮さに起因して、「同じ」株の異なるバッチとわずかに異なり得る。
【０１３１】
［0181］  いくつかの実施形態では、ＯＢＤは、例えば、カンナビス用途において、顧客に対して調達されることができる、純粋でオーガニックな、抽出ＴＨＣ、ＣＢＤ、ＣＢＧ、他のカンナビノイド及びテルペンを使用して、再現できる確立された割合又は「レシピ」で、特定のフレーバー及び効果に近づけるために利用されることができる。
【０１３２】
［0182］  最も広い範囲において、ＯＢＤのいくつかの実施形態は、ユーザがオンデマンドで流体の正確にブレンドされた混合物に対するレシピを作成又は選択し、次いでそれを生成できるようにする。個々の流体は、１μＬ以下の少量及び３ｍｌ以上で混合され得る。これは、ユーザが、自分の欲求に応じて、１時間、１日、１週間、又は１か月、持続し得る量を持つことができるようにする。ＯＢＤは、流体を、分注する前に、任意の事前に定義された順序で混合及び均質化できるようにし、順序は所望のフレーバー、アロマ、及び／又は効果を提供するように構成され得る。流体は、消費、蒸気吸込み、マッサージ、スキンケア、芳香族気化（ａｒｏｍａｔｉｃ  ｖａｐｏｒｉｚａｔｉｏｎ）などのために混合され得る。
【０１３３】
［0183］  本明細書では蒸気吸込み（ｖａｐｉｎｇ）の観点から説明するが、ＯＢＤは、様々な産業及び用途で使用でき：即時のカスタム治療オイルのためのマッサージ療法、娯楽及び薬効のあるカンナビス及びニコチンの蒸気吸込みでの使用から；経口消費のためのカンナビスオイル；調理油の製造；家庭でのアロマセラピー；並びに調剤薬局、病院及び研究施設（例えば、調査及び／又は臨床試験のため）バー、ジム、健康食品店での使用、並びに飲料に対するブレンドの添加のため、家庭又はモバイルでのスメロビジョン（ｓｍｅｌｌ−ｏ−ｖｉｓｉｏｎ）、ホテル、映画館、バー、レストランなどの、公共の場での芳香の生成、オンデマンドでの芳しい香りのための車両への装備、及び／又は同様のものに及ぶ。
【０１３４】
［0184］  本明細書に示すいくつかの例は２４の流体タイプを保持するが、薬局、病院、及び／又は研究施設向けのものなどは、数百もの異なる流体を様々なリザーバ内に保持して管理し得る。もっと単純化したモデルは、例えば、１０ポートだけを提供し得る。
【０１３５】
［0185］  現在のところ、ＯＢＤによってブレンドできるレシピを作成及び共有するためのオンライン情報源もない。
【０１３６】
［0186］  ＯＢＤは、混合物をユーザに素早く提供するように構成でき、そのため待ち時間はほとんどない。いくつかの実施形態では、ＯＢＤは、ブレンドを見越して（すなわち、ユーザは通常、ブレンドを約１０〜１５分後に要求するので、午後４時に加熱を開始する）加熱するように構成できる。素早いブレンド時間はいくつかの実施形態の別の利点であり、ＯＢＤアプリ上でのユーザ要求から分注まで、約１０秒、２０秒、３０秒、４５秒、６０秒、２分、３分、４分、５分、６分、７分、８分、９分、１０分、１１分、１２分、１３分、１４分、１５分、１６分、１７分、１８分、１９分、２０分、３０分、４０分、及び／又はそれらの間の任意の整数、若しくはそれらの間の範囲を含む、約１０秒〜約４０分の範囲でのブレンド時間を含む。
【０１３７】
［0187］  ＯＢＤの別の新規の態様は、ユーザが、最終混合物において、カンナビスベープで見られるカンナビノイド及びテルペンなどの、有効な原料を増加又は減少するために簡略化されたインタフェースを使用することができることである。これは、エンドユーザに、彼らが作成を調整できるカンナビス経験に関して前例のない制御を与える。
【０１３８】
［0188］  例：睡眠の助けが欲しいユーザは、ＯＢＤサイト（例えば、Ｏｂｌｅｎｄ.ｃｏｍ）からテルペンリナロール及びカンナビノイドＣＢＤが高いレシピを選択し得るか、又はさらなる覚醒経験のためには、ユーザは、追加のピネン及び／又はリモネンをもつ異なるＴＨＣオイルを選択し得る。
【０１３９】
［0189］  ＯＢＤは、家庭使用、小売及び医薬、臨床試験及び研究（例えば、病院、大学、医師、及びリサーチサイエンティストなどによって実行されるような）、複合薬局（ｃｏｍｐｏｕｎｄｉｎｇ  ｐｈａｒｍａｃｙ）、医師（例えば、薬（カンナビス／カンナビノイド薬剤を含む）及び／又はビタミンの処方）、ホメオパシー、並びにマッサージ産業のための不可欠なツールである。研究を通して、テルペン及び異なるカンナビノイドの異なる混合物は、各個々のユーザに対して制限のない様々な効果を生み出すことが分かっており、これは、ユーザが、医学的及び娯楽用途を含む、かかる混合物及び効果を作り出すのを可能する最初の家庭用装置である。
【０１４０】
［0190］  いくつかの実施形態では、ＯＢＤ及びその中で使用される流体は、ＴＨＣのような規制されるもの以外、中央で調達されて、充填済みカートリッジ及び混合キットで顧客に販売できる。これらは、ＯＢＤで使用される調達されたパッケージ化されたテルペン；調達／パッケージ化された事前混合濃縮フレーバー及びエステル；ＴＨＣ以外のカンナビノイド、すなわち、同様にＯＢＤで使用される、ＣＢＤ、ＣＢＧ；ユーザ自身の原料をＯＢＤに追加したいユーザのためのカスタムで独自の「オープン」カートリッジ；などを含む。
【０１４１】
［0191］  ＯＢＤアクセサリは、ゼラチン又は他の錠剤フィラー（ｐｉｌｌ  ｆｉｌｌｅｒ）；超音波オイルディフユーザ、カスタムの蒸気吸込み容器、チップ、電池など、並びに１つ以上の「マイクロベープ」及び対応するカートリッジを含むことができる。
【０１４２】
［0192］  いくつかの実施形態では、ＯＢＤ（及び／又はＯＢＤアプリ及び／又はサーバ）は、使用頻度、用途のタイプ、ユーザの人口統計層、ユーザが検索しているか、又は治療しようとしている内科的疾患、選択されたレシピ／原料、原料、頻度、使用形態の調整／カスタマイズ（例えば、ベープ、チンキ、皮膚塗布など）を含む、使用情報を捕捉するように構成できる。かかるデータは、いくつかの実施形態では、様々な内科的疾患を治療するために様々な人口統計層の個人によって使用される成功した原料／処方の「クラスタ」を識別するためにも使用できる。例えば、ＯＢＤは、（１）使用された原料の（相対又は実際のいずれかの）量（例えば、テルペン、ＣＢＤ、ＴＨＣなどの量）；（２）使用／摂取の頻度；（３）使用されたレシピ及び／若しくはユーザがどのようにレシピ／プロトコルをカスタマイズ／変更するか；（４）使用／摂取の形態（複数可）（例えば、食用、ベープ、チンキなど）；並びに／又は（５）定性的若しくは定量的なユーザフィードバック若しくは入力（例えば、ユーザは特定のブレンドが好き／嫌いであった、特定のブレンドはユーザにリラックス又は覚醒を感じさせた、ユーザは背痛に対処するためにブレンドを作った）；などの利用情報を捕捉できる。ユーザから捕捉した情報は、様々な用途のために処理及び分析でき、例えば、頻繁に使用される原料を再発注するために使用され、ブレンド提案を他のユーザ（人口統計層、使用情報などに基づいて、特定のユーザに似ていると識別されている他のユーザを含む）に提供するために使用され、特定のユーザを監督している医療専門家にユーザ使用情報を提供し、また、パーキンソン病、疼痛、発作、てんかん、アルツハイマー病、うつ状態、ＡＤＨＤ、不安、癌などの、ある医学的症状及び病気のモニタリング／治療、並びに／又は感情的な効果を提供する。加えて、このデータは、成功した製剤について臨床試験を実施して最終的に特許出願するために、内科的疾患を治療するための成功した製剤処方を決定するために使用できる。いくつかの実施形態では、ＯＢＤのある態様又は成分は、医師などの、管理者によって規制／制御するように構成できる。いくつかのかかる用途では、特定のブレンド又は原料が、管理者によって提供された（又は法規、賠償規則など、によって要求される）入力／制限に従って、監視又は制御される。いくつかの実施形態では、ＯＢＤは、タンク／カートリッジ交換品の自動発注、請求、出荷、及び／又はインボイスを、それらが少なくなったか、又はユーザが発注した場合などに、提供する。いくつかの実施形態では、交換品は、ユーザが空のタンク／カートリッジをリサイクル又は廃棄のために送るのを容易にするために、返品発送ラベルなどの、リサイクル／返品機能と共に提供される。人間の医療用途に対して説明するが、ＯＢＤは、獣医用途、植物／農業の衛生及び保護（害虫防除の処方を含む）のためにも構成されることができる。
【０１４３】
［0193］  いくつかの実施態様では、ユーザのスマートフォン又は他の携帯型計算装置（例えば、ＯＢＤアプリケーションを実行している）は、近くのＯＢＤシステム／装置に、又はＯＢＤシステム／装置と（例えば、ＢＬＵＥＴＯＯＴＨ、ＲＦＩＤ、近距離無線通信（ＮＦＣ）、及び／又は同様のものを経由して）リンクして、ユーザの識別、年齢、処方箋などを、ユーザの好み情報（例えば、好まれるブレンド／混合物、使用タイプ（蒸気吸込み、アロマセラピーなど）及び／又はユーザの位置情報（例えば、携帯型計算装置ＧＰＳ座標及び／又は同様のものを使用））と共に、認証するために、例えば、セキュリティ証明書及び／又は認証情報（例えば、ユーザ名及びパスワード）を含む、検証／認証要求を生成できる。いくつかの実施形態では、検証／認証は、装置のロックを解除し（例えば、再充填、保守などのため）、かつ／又は混合物／ブレンドを分注するために装置を使用するために、使用できる。いくつかの場合、ＧＰＳ座標は、装置を不適正使用に対して保護するために使用できる。例えば、装置が、液体又は他の成分の１つ以上が許可されていない指定された地理的地域の外部に持ち出される場合、ＯＢＤの一部又は全部の機能が不適正又は非合法な分注を防ぐために動作を停止させるか、又はロックダウンされ得る。ＯＢＤは、指定された期間、及び／又は適切なＧＰＳ位置が続いて受信され、かつ／若しくは認可されたユーザがロックダウンを解除するまで、ロックダウンされるように構成されることができる。
【０１４４】
［0194］  例えば、ユーザのスマートフォン又は他の携帯型計算装置（例えば、ＯＢＤアプリケーションを実行している）は、ブレンドオプション要求を、拡張マークアップ言語（「ＸＭＬ」）に従ってフォーマットされたデータを含む（安全な）ハイパーテキスト転送プロトコル（「ＨＴＴＰ（Ｓ）」）ＰＯＳＴメッセージの形で提供できる。ＸＭＬフォーマットデータを含むＨＴＴＰ（Ｓ）ＰＯＳＴメッセージ例の形での、ブレンドオプション要求例を以下に提供する：
【数１】
2019516433.tif 000018
【０１４５】
［0195］  いくつかの実施形態では、ブレンドは、ＸＭＬを使用しないでＯＢＤに送信され、代わりに、レシピは、例えば、スマートフォン上のＯＢＤアプリ上で、（原料、量）から、ＯＢＤ上でレシピを実行するためにＯＢＤに送信されるバイナリコマンドに変換される。以下の表３は、ＯＢＤが特定の混合ルーチン／ブレンドを実行／実装する弁タイミングとして実装するバイナリデータを含むレシピファイル例を提供する。
【表８−１】
2019516433.tif 000019
【表８−２】
2019516433.tif 000020
【０１４６】
［0196］  他の実施形態では、ブレンドオプション要求は、ユーザが手動で、例えば、ＯＢＤ上のインタフェースを経由して、ＯＢＤによって提供されるブレンド及び分注オプションに関する情報を要求した結果として生成され得る。ＯＢＤ及び／又はＯＢＤアプリは、いくつかの実施形態では、ユーザ選好要求をＯＢＤサーバに送信できる。いくつかの実施態様では、ＯＢＤサーバは、拡張マークアップ言語（「ＸＭＬ」）に従ってフォーマットされたデータを含む（安全な）ハイパーテキスト転送プロトコル（「ＨＴＴＰ（Ｓ）」）ＰＯＳＴメッセージを受信できる。ＸＭＬフォーマットデータを含むＨＴＴＰ（Ｓ）ＰＯＳＴメッセージの形での、ユーザ選好要求例を以下に提供する：
【数２】
2019516433.tif 000021
【０１４７】
［0197］  ＯＢＤサーバは、ユーザ選好情報（例えば、好ましいブレンド（複数可）／処方（複数可）、好ましい使用（複数可）、所有／使用される使用装置タイプ（複数可）、好ましい充填量（複数可）など）を決定するためにユーザカウントデータベースに関して要求されたクエリを（例えば、ユーザカウント選好クエリによって）実行することができる。ＯＢＤサーバは、次いでクエリの結果として、ユーザ選好応答をＯＢＤに返すことができる。
【０１４８】
［0198］  ＯＢＤ及び／又はＯＢＤアプリは、ユーザモバイル計算装置及びＯＢＤユーザカウントデータベースの一方又は両方から（例えば、ＯＢＤサーバを経由して）取得した情報を、次の：ユーザ認証確認、ＯＢＤ（複数可）の位置（複数可）、ＯＢＤ（複数可）内で利用可能なブレンド液体／原料レベル、再発注情報、支払い情報など、の１つ以上を含む、ブレンド／混合インタフェースオプションを提供するために、コンパイルでき、利用可能なブレンド液体を、例えば、ユーザモバイル計算装置を経由して、及び／又はＯＢＤ上のユーザインタフェースを介して、ユーザに表示し得る。いくつかの実施態様では、ＯＢＤは、実質的な処理能力と共に構成されず、代わりに、レシピ及び他の指示をＯＢＤアプリ及び／又はＯＢＤサーバから受信及び実行するように構成され、それは、ＯＢＤは、そうでなければ費用がかかるか、又は困難であり得る、アップグレード又はアップデートを必要とせず、代わりにＯＢＤアプリ又はＯＢＤサーバの変更又はそれらに対するアップデートに依存するので、ＯＢＤの全体的な機能性を向上させることができる。
【０１４９】
［0199］  いくつかの実施態様では、ＯＢＤは、ユーザプロファイルに基づいてブレンドを提供するように構成できる。例えば、ユーザは、唾液サンプルを（例えば、ＯＢＤサーバ又はＯＢＤサーバと通信している第三者に）提供でき、そのサンプルはビタミン、ミネラル、又は他の欠乏を判断するために使用され、ＯＢＤはその判断された欠乏に対処するブレンドを受け取って提供できる。ユーザプロファイルは、染色体分析、ゲノム解析、化学分析などに基づくことができ、かかるプロファイルは、そのユーザに合わせたブレンドを提供するために利用できる。いくつかの用途では、管理者／医師は患者に対する「処方箋」をＯＢＤに提供でき（すなわち、安全なネットワークを通し、認証されて検証された通信を経由して）、その処方箋はＯＢＤによって提供された混合及び分注の一部又は全部を決定する。いくつかの実施態様では、ＯＢＤは、処方原料である原料を受信するように構成され、検証機構又はプロセスを含むことができる。例えば、ＯＢＤは、原料が適切な供給源からであることを確実にし、かつ／又は管理者若しくは規制者に原料がＯＢＤに加えられ／供給されて、適切に分注されていることを確認するために物理的及び／又は論理的（すなわち、コンピュータベース）互換性を必要とする１つ以上のポートを含むことができる。いくつかの実施態様では、ＯＢＤは、ユーザに対するブレンド又は複数のフレンドを提供するために、米国特許出願公開番号２０１６／０３００２８９（その全体が参照により全ての目的のために本明細書に明示的に組み込まれる）で説明されているものなどの、プロファイルを利用するように構成されることができる。
【０１５０】
［0200］  ＯＢＤは、様々な用途のため、及び、カンナビス産業、医薬／病院／薬局、アロマ産業、ミクソロジー（ｍｉｘｏｌｏｇｙ）、個人用品、ビタミンを含むがそれらに限定されない、様々な産業のために構成できる。例えば、ＯＢＤは、チンキ（薬用チンキを含む）、バター及び油（調理／ベーキング用を含む）、香油／クリーム／ローション／など、食用／摂取可能（菓子、飲料、錠剤、カプセルなど）、スプレー、潤滑剤、シャンプー／コンディショナー、香水／コロン、浴用石けん、泡立て剤材料、マッサージオイル、ボディーローション、日焼け止め剤、ニコチンを含む電子たばこベープブレンド、「味覚（ｔａｓｔｅ）」注入された、並びに／又は健康に良い調理油を生成するための植物油及び／若しくは複数のスパイス／スパイス油を含む調理油、飲料混合／添加物として、などのためのブレンドを提供できる。ＯＢＤは、かかる製品の成形又は形成を容易にするように構成できる（例えば、マイクロブレンドが、指定された温度に温められている基剤に、マイクロミキサー及び加熱素子を有するＯＢＤに対するアタッチメントによってなど、添加できる。ＯＢＤによって処理されて受け取ることができる特定の量は可変であり、かかる用途における使用のために構成できる（すなわち、一般に前述したものよりも比較的大きい原料タンクを受け取って、前述したものよりも多い量で混合物を提供する）。いくつかの実施態様では、ＯＢＤは、改善された機能を提供するために１つ以上の他のＯＢＤに接続され／共に使用するように構成される（例えば、複数のＯＢＤは、１つのモバイル機器／モバイル機器アプリケーションインスタンスによってなど、一緒に動作するように、及び／又は一緒に制御されるように構成できる）。同様に、ＯＢＤのサイズは、液体／原料のもっと小さいセットを利用する「旅行者」バージョンなどの、前述したものよりも小さくできる。
【０１５１】
［0201］  図２３Ａ〜図２３Ｆによって例示するように、いくつかの実施態様では、マイクロ流体チップ／カード組立体内に３つの部品：流体チャネルが存在する第１の剛性部品、モノリシック膜弁を形成又は規定するために使用できる薄板（例えば、プラスチック又はエラストマから成る）、及び空気チャネルが存在する第２の剛性部品、がある。剛性部品の各々は、チャネルを密封するために膜に接着できる。接着方法は、接着剤、熱接合、超音波接着、及び／又は同様のものを含むことができる。
【０１５２】
［0202］  流体マニホールドは、油／試薬をカートリッジ／タンクの各々から中央混合チャンバに分配する。流体経路は、既知の流れ抵抗を提供するサイズにでき、それにより、１つの／そのカートリッジ内の圧力と、混合チャンバに入る流体の流速との間の関係が決定される／定義される。各流体経路は、制御電子装置が各流体の流れを独立してオンオフできるようにする、空気圧制御式膜弁も含むことができる。いくつかの実施態様では、流体マニホールドには、洗浄溶液を混合チャンバに提供するために構成された、混合チャンバの各端部に１本の、２本のラインも含まれている。空気が混合チャンバに流れるのを可能にして、それを加圧するか、又は真空にできる、２本の追加のラインがあり得る。
【０１５３】
［0203］  空気圧マニホールドは、弁の各々に対する注入ポートを含むことができる。注入ポートは、加圧されているので、その対応する弁内の可撓性膜が流体マニホールドに押し付けられて、流体が弁を流れるのを防ぐ。注入ポート上で真空引きされると、弁内の差圧が膜を流体マニホールドから離して、流体が弁を通って流れるのを可能にする。
【０１５４】
［0204］  図２４Ａ〜図２６Ｅは、本開示のいくつかの実施形態に従った、ＯＢＤ例に対する詳細を提供する。
【０１５５】
［0205］  図２７Ａ〜図２７Ｅは、本開示のいくつかの実施形態に従った、ＯＢＤ例に対する詳細を、カバーを取り除いて提供する。
【０１５６】
［0206］  図２７Ｆは、カバーを取り除き、マイクロ流体ミキサーチップ２７０１ａ、ソレノイド板２７１１ａ、ケーブル管理キャップ２７１３ａ、密閉キャップ２７１４ａ、流体バイアル／カートリッジ２７１５ａ、バイアル加熱器／加熱器ブロック２７１６ａ、マイクロ流体ミキサーチップ加熱器／加熱器ブロック２７１７ａ、ポンプ２７１８ａ及び空気チャンバ２７１９ａ、及びコントローラ２７２０ａを含む、ラベルが付けられた構成要素を備えたＯＢＤ例に対する詳細を提供する。図２７Ｇは、流体分注領域／空洞２７２２ａを示すＯＢＤの別の図を示す。図２７Ｈは、上部に動作インジケータ２７２５ａが取り付けられたか、又は配置された基部筐体構成要素内２７２３ａのＯＢＤの実施形態を示し、図２７Ｉは、ＯＢＤの内部構成要素を保護するように構成されている基部筐体２７２３ａ及び中間筐体２７２４ａ内のＯＢＤの実施形態を示し、ＯＢＤ内部構成要素の上部に取り付けられたか、又は配置された動作インジケータ２７２５ａも含んでいる。いくつかの実施態様では、動作インジケータは、ＯＢＤが動作中（例えば、ブレンド中）、起動中／暖機中、シャットダウン中／スイッチオフ中などの場合に、視覚的表示を提供する。
【０１５７】
［0207］  図２８Ａ〜図２８Ｈは、本開示のいくつかの実施形態に従い、図２８Ｈ７Ｆ〜図２７Ｉに示すものと同じか又は類似の内部構成要素及び構造を備えた、いくつかのＯＢＤ例の内部詳細を提供する。
【０１５８】
［0208］  図２９は、本開示のいくつかの実施形態に従った、ＯＢＤマイクロ流体ミキサーチップの別の例の図を提供する。
【０１５９】
［0209］  図３０Ａ〜図３０Ｃは、カバーを取り除いて、取り外し可能リザーバ３００７及びＯＢＤマイクロ流体ミキサーチップ３００５を含む、ＯＢＤ例を示す。
【０１６０】
［0210］  図３０Ｄは、いくつかの実施形態に従ったＯＢＤインタフェースに対するブレンドレシピの編集／作成フロー例を示し、図３０Ｅは、いくつかの実施形態に従ったＯＢＤインタフェースに対するレシピ／レシピコレクションの概要例を示し、図３０Ｆは、いくつかの実施形態に従ったＯＢＤインタフェースに対するユーザプロファイル及び履歴概要例を示し；かかる実施形態は、ウエブアプリ、装置アプリ、及び／又はモバイルアプリケーション（例えば、スマートフォン又はタブレット上で実行される）上に提供され得る。図３０Ｇは、いくつかの実施形態に従った、ＯＢＤモバイルアプリケーションアーキテクチャ例を提供する。図３０Ｈ〜図３０Ｖは、ＯＢＤがモバイル機器との通信のために構成される、いくつかの実施形態に従った、ＯＢＤモバイルアプリケーションに対するユーザインタフェース例を提供し、モバイル機器ＯＢＤアプリケーションは、ユーザがサインインし、自分の識別及び／又は適格特性（例えば、モニターによる使用に対して禁止されている物質又は複数の物質にアクセスする年齢、それによりＯＢＤは適用規則及び／又は法の順守を確実にできる）を認証及び検証できるように構成される。図３０Ｗは、いくつかの実施態様に従って、ＯＢＤが生成するブレンド／レシピの例を提供する。
【０１６１】
［0211］  図３１は、いくつかの実施形態に従った、ＯＢＤ開始シーケンス例を示す流れ図を提供する。ここで、電力がＯＢＤに印加される（例えば、オンにする）（３１０１ａ）と、ＯＢＤは周辺機器のセルフチェックを実行し（３１０２ａ）（更なる詳細について図３１Ａも参照）、３１０３ａが合格しなかった場合、システムは停止し（３１０４ａ）するが、３１０３ａが合格した場合、ＯＢＤは事前混合セルフテストを実行し（３１０５ａ）（更なる詳細について図３１Ｂも参照）、また、３１０６ａが合格しなかった場合、システムは停止する（３１０７ａ）が、３１０６ａが合格した場合、システムは準備が整っていると判断される（３１０８ａ）。
【０１６２】
［0212］  図３１Ａは、いくつかの実施形態に従った、ＯＢＤ周辺機器セルフテストフロー例を示す流れ図を提供する。開始時（３１１０ａ）に、サーミスタ（３１１１ａ）、圧力センサー（３１１２ａ）、及び供給電圧（３１１３ａ）が範囲内であるかを判断するために、チェックされ、フラッシュメモリーチップ又は同様のもの（３１１４ａ）及びＩＯエキスパンダ（３１１５ａ）の有無が判断される。３１１６ａ全てのセルフテストが合格しなかった場合、システムは停止し（３１１７ａ）（及び、アラート又は他の通知が発行されかつ／又は記録される）、他方、３１１６ａ全てのセルフテストが合格した場合、システムは、少なくとも周辺機器に関して、準備が整っていると判断される。
【０１６３】
［0213］  図３１Ｂは、いくつかの実施形態に従った、ＯＢＤ事前混合セルフテスト例を示す。テストが開始して（３１２０ａ）、取り付けられたキャニスタ／バイアルが加圧され（３１２１ａ）、弁区画が加圧されて（３１２２ａ）、漏出速度が各々に対して経時的に判断される。システムは次いで減圧して（３１２３ａ）、全ての弁制御が作動されて、スイッチング回路がエラーを報告しないことを確認し（３１２４ａ）、レシピが繰返し適用されて、キャニスタが、レシピで使用される各位置に存在することを確実にする（３１２５ａ）。システムは、全ての事前混合セルフテスト項目が合格したかどうか（３１２６ａ）に応じて、停止される（３１２７ａ）か、又は準備が整っていると見なされる（３１２８ａ）。
【０１６４】
［0214］  図３１Ｃは、いくつかの実施形態に従った、ＯＢＤ混合状態プロセス例を示す流れ図を提供する。図のように、混合コマンドが（例えば、モバイル機器上のアプリから）受信されて（３１３０ａ）、システムは準備が整っていると確認され（３１３１ａ）、レシピが検証され（３１３２ａ）、事前混合セルフテストが実行されて（図３１Ｂに関して前述したように）、全てのテストがｏｋの場合（３１３４ａ）、加熱器制御が起動されて、装置が混合温度に達し（３１３６ａ）、その後、混合制御動作が完了するまで実行され（３１３７ａ）（更なる詳細について図３１Ｄを参照）、その後、システム水洗手順が実行されて（３１３８ａ）、システムは再度、準備が整う（３１３９ａ）。
【０１６５】
［0215］  図３１Ｄは、いくつかの実施形態に従った、ＯＢＤ混合状態制御フロー例を示す流れ図を提供する。レシピポイントをフラッシュから取得して（３１４０ａ）、圧力調整を実行してレシピ圧力コマンド点を達成し（３１４１ａ）、温度調整を実行して（３１４２ａ）、一旦、レシピコマンド点圧力が達成される（３１４２ａ）と、レシピポイント（例えば、弁状態コマンド）を処理し（３１４４ａ）、エラーが存在しない限り（３１４５ａ）、次のレシピポイントがフラッシュから取得される（３１４７ａ）。
【０１６６】
［0216］  図３１Ｅ及び図３１Ｆは、いくつかの実施形態に従った、ＯＢＤタブレット／スマートフォンアプリケーションプロセスを示す流れ図を提供する。図のように、ユーザは、自分のスマートフォン又はタブレット上のアプリを使用してブレンドレシピを選択でき（３１５０ａ）、必要であれば、アプリはそのレシピをサーバから取得し（３１５１ａ）、必要な原料及び容積／量に関してレシピを分析し（３１５２ａ）、ＯＢＤに問い合わせて取り付けられているキャニスタのシリアル番号又は他の情報を取得し（３１５３ａ）、取り付けられているキャニスタの流体量を判断するためのクエリを発行できる（３１５４ａ）。いくつかの実施形態では、ＯＢＤは、適切な量を確実にするために個々のキャニスタの容積レベルを追跡するように構成される。追加として、セキュリティがキャニスタの周囲に実装でき、そのため、認可レフィルを含め、量が普遍的に追跡でき、それにより認可されていないレフィル又は偽造品を追跡し、それにより消費者／ユーザの安全及びセキュリティを促進できる（例えば、かかる実施形態では、認可されたキャニスタだけがＯＢＤ内で利用できる）。正しい流体が利用可能である／設置されている場合（３１５５ａ）、モバイルアプリはレシピをコード変換して、どの流体がどのキャニスタ内にあるかを示して（３１５７ａ）、どのレシピがオンボードメモリにあるかを判断するためにＯＢＤに問い合わせる（３１５８ａ）。レシピが現在、ＯＢＤ上にない場合（３１５９ａ）、アプリはそのレシピをＯＢＤに（例えば、ブルートゥースローエナジー又は同様のものを経由して）ダウンロードする（３１６０ａ）。次いで、アプリはＯＢＤに混合開始コマンドを送信し（３１６１ａ）、混合状態に関してＯＢＤをポーリングして（３１６２ａ）、完了した場合は（３１６３ａ）、ユーザに通知する（３１６５ａ）。モバイルＯＢＤアプリにブレンドに関していくつかの計算及び分析を実行させることにより、ＯＢＤシステムはセキュリティを向上させ、ＯＢＤ処理時間を削減して、エラー又は複雑さにより良く対処できる（例えば、特定の原料が少ないか、又はＯＢＤで利用できない／存在しない場合、モバイルアプリは代替混合物の提案、原料の再発注等、を行うことができる）。
【０１６７】
［0217］  本明細書で説明するように、ＯＢＤは様々なブレンド及び／又は組成を処方するように構成できる。例えば、ＯＢＤは、少なくとも１つの第１の精製されたカンナビノイド及び少なくとも１つの第２の精製されたカンナビノイド、精製されたテルペン、精製されたフラボノイド、及び／又は精製されたミネラルを含み、それらから構成され、かつ／また基本的にそれらから構成される組成をブレンドするように構成できる。いくつかの実施形態では、ＯＢＤは、７，８−ジヒドロイオノン、アセトアニソール、酢酸、アセチルセドレン、アネトール、アニソール、ベンズアルデヒド、ベルガモテン（α−シス−ベルガモテン）（α−トランス−ベルガモテン）、ビサボロール（β−ビサボロール）、ボルネオール、ブタン酸／酪酸、カジネン（α−カジネン）（γ−カジネン）、カフェストール、コーヒー酸、カンフェン、カンフル、カプサイシン、カレン（Δ−３−カレン）、カロチン、カルバクロール、カルボン、デキストロ-       カルボン、ラエボ-カルボン、カリオフィレン（β−カリオフィレン）、カリオフィレン酸化物、無水カストリウム、セドレン（α−セドレン） （β−セドレン）、セドレンエポキシド（α−セドレンエポキシド）、セドロール、センブレン、クロロゲン酸、桂皮アルデヒド（α−アミル−桂皮アルデヒド）（α−ヘキシル−桂皮アルデヒド）、ケイ皮酸、シンナミルアルコール、シトロネラール、シトロネロール、クリプトン、クルクメン（α−クルクメン）（γ−クルクメン）、デカナール、デヒドロボミホリオール、ジアリルジスルフィド、ジヒドロアクチニジオリド、２硫化ジメチル、イコサン（Ｅｉｃｏｓａｎｅ）／イコサン（Ｉｃｏｓａｎｅ）、エレメン（β−エレメン）、エストラゴール、酢酸エチル、ケイ皮酸エチル、エチルマルトール、ユーカリプトール／１，８−シネオール、オイデスモール（α−オイデスモール）（μ−オイデスモール）（γ−オイデスモール）、オイゲノール、ユーフォール、ファルネセン、ファルネソル、フェンコール（β−フェンコール）、フェンコン、ゲラニオール、酢酸ゲラニル、ゲルマクレン、ゲルマクレンＢ、グアイア−１（１０）、１１−ジエン、グアヤコール、グアイエン（α−グアイエン）、グルジュネン（α−グルジュネン）、ヘルニアリン、ヘキサンアルデヒド、ヘキサン酸、フムレン（α−フムレン）（β−フムレン）、イオノール（３−オキソ−α−イオノール）（β−イオノール）、イオノン（α−イオノン）（β−イオノン）、イプスジエノール、酢酸イソアミル、イソアミルアルコール、ギ酸イソアミル、イソボルネオール、イソミルセノール、イソプレゴール、イソ吉草酸、イソプレン、カーウェオール、ラバンジュロール、リモネン、γ−リノレン酸、リナロール、ロンギホレン、α−ロンギピネン、リコピン、メントール、酪酸メチル、３−メルカプト−２−メチルペンタナール、メルカプタン／チオール、β−メルカプトエタノール、メルカプト酢酸、アリルメルカプタン、ベンジルメルカプタン、ブチルメルカプタン、エチルメルカプタン、メチルメルカプタン、フルフリルメルカプタン、エチレンメルカプタン、プロピルメルカプタン、テニルメルカプタン、メチルサリチル、メチルブテノール、メチル−２−メチル吉��酸エステル、メチルチオ酪酸、ミルセン（β−ミルセン）、γ−ムロレン、ネペタラクトン、ネロール、ネロリドール、酢酸ネリル、ノナンアルデヒド、ノナン酸、オシメン、オクタナール、オクタン酸、Ｐ−サイメン、酪酸ペンチル、フェランドレン、フェニルアセトアルデヒド、フェニルエタンチオール、フェニル酢酸、フィトール、ピネン、β−ピネン、プロパンチオール、プリスチメリン、プレゴン、レチノール、ルチン、サビネン、サビネン水和物、シス-サビネン水和物、トランス−サビネン水和物、サフラナール、α−セリネン、α−シネンサール、β−シネンサール、β−シトステロール、スクアレン、タキサジエン、抱水テルピン、テルピネオール、テルピン−４−オール、α−テルピネン、γ−テルピネン、テルピノレン、チオフェノール、ツジョン、チモール、α−トコフェロール、トンカウンデカノン、ウンデカナール、バレルアルデヒド／ペンタナール、ベルドキサン、α−イランゲン、ウンベリフェロン、及び／又はバニリンの１つ以上をブレンドするように構成される。
【０１６８】
［0218］  いくつかの実施形態では、ＯＢＤは、カンナビゲロール酸（ＣＢＧＡ）、カンナビゲロール酸モノメチルエーテル（ＣＢＧＡＭ）、カンナビゲロール（ＣＢＧ）、カンナビゲロールモノメチルエーテル（ＣＢＧＭ）、カンナビゲロバリン酸（ＣＢＧＶＡ）、カンナビゲロバリン（ＣＢＧＶ）、カンナビクロメン酸（ＣＢＣＡ）、カンナビクロメン（ＣＢＣ）、カンナビクロメバリン酸（ＣＢＣＶＡ）、カンナビクロメバリン（ＣＢＣＶ）、カンナビジオール酸（ＣＢＤＡ）、カンナビジオール（ＣＢＤ）、カンナビジオールモノメチルエーテル（ＣＢＤＭ）、カンナビジオール−Ｃ４（ＣＢＤ−Ｃ４）、カンナビジバリン酸（ＣＢＤＶＡ）、カンナビジバリン（ＣＢＤＶ）、カンナビジオルコル（ＣＢＤ−Ｃ１）、テトラヒドロカンナビノール酸Ａ（ＴＨＣＡ−Ａ）、テトラヒドロカンナビノール酸Ｂ（ＴＨＣＡ−Ｂ）、テトラヒドロカンナビノール（ＴＨＣ）、テトラヒドロカンナビノール酸Ｃ４（ＴＨＣＡ−Ｃ４）、テトラヒドロカンナビノールＣ４（ＴＨＣ−Ｃ４）、テトラヒドロカンナビバリン酸（ＴＨＣＶＡ）、テトラヒドロカンナビバリン（ＴＨＣＶ）、テトラヒドロカンナビオルコリック酸（ＴＨＣＡ−Ｃ１）、テトラヒドロカンナビオルコル（ＴＨＣ−Ｃ１）、デルタ−７−シス−イソ−テトラヒドロカンナビバリン、Δ８−テトラヒドロカンナビノール酸（Δ８−ＴＨＣＡ）、Δ８−テトラヒドロカンナビノール（Δ８−ＴＨＣ）、カンナビシクロール酸（ＣＢＬＡ）、カンナビシクロール（ＣＢＬ）、カンナビシクロバリン（ＣＢＬＶ）、カンナビエルソン酸Ａ（ＣＢＥＡ−Ａ）、カンナビエルソン酸Ｂ（ＣＢＥＡ−Ｂ）、カンナビエルソイン（ＣＢＥ）、カンナビノール酸（ＣＢＮＡ）、カンナビノール（ＣＢＮ）、カンナビノールメチルエーテル（ＣＢＮＭ）、カンナビノール−Ｃ４（ＣＢＮ−Ｃ４）、カンナビバリン（ＣＢＶ）、カンナビノ−Ｃ２（ＣＢＮ−Ｃ２）、カンナビオルコル（ＣＢＮ−Ｃ１）、カンナビノジオール（ＣＢＮＤ）、カンナビノジバリン（ＣＢＤＶ）、カンナビノトリオール（ＣＢＴ）、１０−エトキシ−９−ヒドロキシ−Δ６ａ−テトラヒドロカンナビノール、８，９−ジヒドロキシ−Δ６ａ（１０ａ）−テトラヒドロカンナビノール（８，９−ジ−ＯＨ−ＣＢＴ−Ｃ５）、カンナビトリオールバリン（ＣＢＴＶ）、エトキシ-カンナビトリオールバリン（ＣＢＴＶＥ）、デヒドロカンナビフラン（ＤＣＢＦ）、カンナビフラン（ＣＢＦ）、カンナビクロマノン（ＣＢＣＮ）、カンナビシトラン（ＣＢＴ）、１０−オキソ−Δ６ａ（１０ａ）−テトラヒドロカンナビノール（ＯＴＨＣ）、Δ９−シス−テトラヒドロカンナビノール （シス-ＴＨＣ）、 カンナビリプソール（ＣＢＲ）、３，４，５，６−テトラヒドロ−７−ヒドロキシ−α−α−2−トリメチル−９−ｎ−プロピル−２,６−メタノ−２Ｈ−１−ベンゾオキソシン−５−メタノール（ＯＨ−イソ−ＨＨＣＶ）、トリヒドロキシ−デルタ−９−テトラヒドロカンナビノール（トリＯＨ−ＴＨＣ）、イソカンナビノイド、及び／又は没食子酸エピガロカテキンの1つ以上をブレンドするように構成される。
【０１６９】
［0219］  いくつかの実施形態では、ＯＢＤは、カンナビゲロール酸（ＣＢＧＡ）、カンナビゲロール酸モノメチルエーテル（ＣＢＧＡＭ）、カンナビゲロール（ＣＢＧ）、カンナビゲロールモノメチルエーテル（ＣＢＧＭ）、カンナビゲロバリン酸（ＣＢＧＶＡ）、カンナビゲロバリン（ＣＢＧＶ）、カンナビクロメン酸（ＣＢＣＡ）、カンナビクロメン（ＣＢＣ）、カンナビクロメバリン酸（ＣＢＣＶＡ）、カンナビクロメバリン（ＣＢＣＶ）、カンナビジオール酸（ＣＢＤＡ）、カンナビジオール（ＣＢＤ）、カンナビジオールモノメチルエーテル（ＣＢＤＭ）、カンナビジオール−Ｃ４（ＣＢＤ−Ｃ４）、カンナビジバリン酸（ＣＢＤＶＡ）、カンナビジバリン（ＣＢＤＶ）、カンナビジオルコル（ＣＢＤ−Ｃ１）、テトラヒドロカンナビノール酸Ａ（ＴＨＣＡ−Ａ）、テトラヒドロカンナビノール酸Ｂ（ＴＨＣＡ−Ｂ）、テトラヒドロカンナビノール（ＴＨＣ）、テトラヒドロカンナビノール酸Ｃ４（ＴＨＣＡ−Ｃ４）、テトラヒドロカンナビノールＣ４（ＴＨＣ−Ｃ４）、テトラヒドロカンナビバリン酸（ＴＨＣＶＡ）、テトラヒドロカンナビバリン（ＴＨＣＶ）、テトラヒドロカンナビオルコリック酸（ＴＨＣＡ−Ｃ１）、テトラヒドロカンナビオルコル（ＴＨＣ−Ｃ１）、デルタ−７−シス−イソ−テトラヒドロカンナビバリン、Δ８−テトラヒドロカンナビノール酸（Δ８−ＴＨＣＡ）、Δ８−テトラヒドロカンナビノール（Δ８−ＴＨＣ）、カンナビシクロール酸（ＣＢＬＡ）、カンナビシクロール（ＣＢＬ）、カンナビシクロバリン（ＣＢＬＶ）、カンナビエルソン酸Ａ（ＣＢＥＡ−Ａ）、カンナビエルソン酸Ｂ（ＣＢＥＡ−Ｂ）、カンナビエルソイン（ＣＢＥ）、カンナビノール酸（ＣＢＮＡ）、カンナビノール（ＣＢＮ）、カンナビノールメチルエーテル（ＣＢＮＭ）、カンナビノール−Ｃ４（ＣＢＮ−Ｃ４）、カンナビバリン（ＣＢＶ）、カンナビノ−Ｃ２（ＣＢＮ−Ｃ２）、カンナビオルコル（ＣＢＮ−Ｃ１）、カンナビノジオール（ＣＢＮＤ）、カンナビノジバリン（ＣＢＤＶ）、カンナビノトリオール（ＣＢＴ）、１０−エトキシ−９−ヒドロキシ−Δ６ａ−テトラヒドロカンナビノール、８，９−ジヒドロキシ−Δ６ａ（１０ａ）−テトラヒドロカンナビノール（８，９−ジ−ＯＨ−ＣＢＴ−Ｃ５）、カンナビトリオールバリン（ＣＢＴＶ）、エトキシ−カンナビトリオールバリン（ＣＢＴＶＥ）、デヒドロカンナビフラン（ＤＣＢＦ）、カンナビフラン（ＣＢＦ）、カンナビクロマノン（ＣＢＣＮ）、カンナビシトラン（ＣＢＴ）、１０−オキソ−Δ６ａ（１０ａ）−テトラヒドロカンナビノール（ＯＴＨＣ）、Δ９−シス−テトラヒドロカンナビノール（シス−ＴＨＣ）、カンナビリプソール（ＣＢＲ）、３，４，５，６−テトラヒドロ−７−ヒドロキシ−α−α−２−トリメチル−９−ｎ−プロピル−２,６−メタノ−２Ｈ−１−ベンゾオキソシン−５−メタノール（ＯＨ−イソ−ＨＨＣＶ）、トリヒドロキシ−デルタ−９−テトラヒドロカンナビノール（トリＯＨ−ＴＨＣ）、ヤンゴニン、イソカンナビノイド、没食子酸エピガロカテキン、ドデカ−２Ｅ，４Ｅ，８Ｚ，１０Ｚ−テトラエン酸イソブチルアミド、又はドデカ−２Ｅ，４Ｅ−ジエン酸イソブチルアミド；並びにカンナビゲロール酸（ＣＢＧＡ）、カンナビゲロール酸モノメチルエーテル（ＣＢＧＡＭ）、カンナビゲロール（ＣＢＧ）、カンナビゲロールモノメチルエーテル（ＣＢＧＭ）、カンナビゲロバリン酸（ＣＢＧＶＡ）、カンナビゲロバリン（ＣＢＧＶ）、カンナビクロメン酸（ＣＢＣＡ）、カンナビクロメン（ＣＢＣ）、カンナビクロメバリン酸（ＣＢＣＶＡ）、カンナビクロメバリン（ＣＢＣＶ）、カンナビジオール酸（ＣＢＤＡ）、カンナビジオール（ＣＢＤ）、カンナビジオールモノメチルエーテル（ＣＢＤＭ）、カンナビジオール−Ｃ４（ＣＢＤ−Ｃ４)、カンナビジバリン酸（ＣＢＤＶＡ)、カンナビジバリン（ＣＢＤＶ)、カンナビジオルコル（ＣＢＤ−Ｃ１）、テトラヒドロカンナビノール酸Ａ（ＴＨＣＡ−Ａ)、テトラヒドロカンナビノール酸Ｂ（ＴＨＣＡ−Ｂ)、テトラヒドロカンナビノール（ＴＨＣ)、テトラヒドロカンナビノール酸Ｃ４（ＴＨＣＡ−Ｃ４)、テトラヒドロカンナビノールＣ４（ＴＨＣ−Ｃ４)、テトラヒドロカンナビバリン酸（ＴＨＣＶＡ)、テトラヒドロカンナビバリン（ＴＨＣＶ)、テトラヒドロカンナビオルコリック酸（ＴＨＣＡ−Ｃ１)、テトラヒドロカンナビオルコル（ＴＨＣ−Ｃ１)、デルタ−７−シス−イソ−テトラヒドロカンナビバリン、Δ８−テトラヒドロカンナビノール酸（Δ８−ＴＨＣＡ)、Δ８−テトラヒドロカンナビノール（Δ８−ＴＨＣ)、カンナビシクロール酸（ＣＢＬＡ)、カンナビシクロール（ＣＢＬ)、カンナビシクロバリン（ＣＢＬＶ)、カンナビエルソン酸Ａ（ＣＢＥＡ−Ａ)、カンナビエルソン酸Ｂ（ＣＢＥＡ−Ｂ)、カンナビエルソイン（ＣＢＥ)、カンナビノール酸（ＣＢＮＡ)、カンナビノール（ＣＢＮ)、カンナビノールメチルエーテル（ＣＢＮＭ)、カンナビノール−Ｃ４（ＣＢＮ−Ｃ４)、カンナビバリン（ＣＢＶ)、カンナビノ−Ｃ２（ＣＢＮ−Ｃ２)、カンナビオルコル（ＣＢＮ−Ｃ１)、カンナビノジオール（ＣＢＮＤ)、カンナビノジバリン（ＣＢＤＶ)、カンナビノトリオール（ＣＢＴ)、１０−エトキシ−９−ヒドロキシ−Δ６ａ−テトラヒドロカンナビノール、８，９−ジヒドロキシ−Δ６ａ（１０ａ)−テトラヒドロカンナビノール（８，９−ジ−ＯＨ−ＣＢＴ−Ｃ５)、カンナビトリオールバリン（ＣＢＴＶ)、エトキシ−カンナビトリオールバリン（ＣＢＴＶＥ)、デヒドロカンナビフラン（ＤＣＢＦ)、カンナビフラン（ＣＢＦ)、カンナビクロマノン（ＣＢＣＮ)、 カンナビシトラン（ＣＢＴ)、１０−オキソ−Δ６ａ（１０ａ)−テトラヒドロカンナビノール（ＯＴＨＣ)、Δ９−シス−テトラヒドロカンナビノール（シス−ＴＨＣ)、カンナビリプソール （ＣＢＲ)、３，４，５，６−テトラヒドロ−７−ヒドロキシ−α−α−2−トリメチル−９−ｎ−プロピル−２，６−メタノ−２Ｈ−１−ベンゾオキソシン−５−メタノール（ＯＨ−イソ−ＨＨＣＶ)、トリヒドロキシ-デルタ−９−テトラヒドロカンナビノール （トリＯＨ−ＴＨＣ)、ヤンゴニン、イソカンナビノイド、没食子酸エピガロカテキン、ドデカ−２Ｅ，４Ｅ，８Ｚ，１０Ｚ−テトラエン酸 イソブチルアミド、及び／又はドデカ−２Ｅ，４Ｅ−ジエン酸イソブチルアミドから選択された第２の精製されたカンナビノイドの１つ以上をブレンドするように構成される。
【０１７０】
［0220］  いくつかの実施形態では、ＯＢＤは、フェノール酸、スチルベノイド、ジヒドロフラボノール、アントシアニン、アントシアニジン、ポリフェノール、タンニン、フラボン、フラバン−３−オール、フラバン−４−オール、フラバン−３,４−ジオールフラボノール、スチルベノイド、植物性化学物質、抗酸化剤、ホモイソフラボノイド、フェニルプロパノイド、フロログルシノールクマリン、フェノール酸、ナフトジアントロン、ステロイド配糖体、ビオフラボノイド、イソフラボノイド、及びネオフラボノイドの１つ以上をブレンドするように構成される。いくつかの実施形態では、ＯＢＤは、アデノシン、アドヒペルフォリン、アメントフラボン、アナンダミド、アピゲニン、カンナフラビンＢ、カテキン（Ｃ)、カテキン３−ガレート（Ｃｇ)、クロロゲン酸、シコリ酸（ｃｉｃｈｏｒｉｃ  ａｃｉｄ）、カフタル酸、ダイゼイン、デルフィニジン、エレウテロシド、エピカテキン３−ガレート（ＥＣｇ)、エピカテキン、エピカテキン、エピガロカテキン、ミリセチン、シュウ酸、ペラルゴニジン、タンニン、テアフラビン−３−ガレート、テアニン、テオブロミン、テオフィリン、トリプトファン、チラミン、キサンチン、カフェイン、カンナフラビンＡ、カンナフラビンＢ、カテキン（Ｃ)、カテキン３−ガレート（Ｃｇ)、エピカテキン３−ガレート（ＥＣｇ)、エピカテキン（エピカテキン（ＥＣ））、エピガロカテキン、エピガロカテキン（ＥＧＣ)、エピガロカテキン３−ガレート（ＥＧＣｇ)、ガロカテキン（ＧＣ)、ガロカテキン３−ガレート（ＧＣｇ))、ガンマアミノ酪酸、ゲニステイン、イチョウ、ジンセノサイド、ケルセチン、クエルシトリン、及び／又はルチンの１つ以上をブレンドするように構成される。いくつかの実施形態では、ＯＢＤは、米国特許出願公開番号２０１６／０２５０２７０で説明されているものなどの、様々な化合物をブレンドするように構成でき、その全体が参照により全ての目的のために本明細書に明示的に組み込まれる。いくつかの実施形態では、ＯＢＤは、カフェイン、カンナフラビンＡ、カンナフラビンＢ、カテキン（Ｃ)、カテキン３−ガレート（Ｃｇ)、エピカテキン３−ガレート（ＥＣｇ)、エピカテキン（エピカテキン（ＥＣ))、エピガロカテキン、エピガロカテキン（ＥＧＣ)、エピガロカテキン３−ガレート（ＥＧＣｇ)、ガロカテキン（ＧＣ)、ガロカテキン３−ガレート（ＧＣｇ))、ガンマアミノ酪酸、ゲニステイン、イチョウ、ジンセノサイド、ケルセチン、クエルシトリン、及び／又はルチンの１つ以上をブレンドするように構成される。
【０１７１】
［0221］  前述の概念及び以下でさらに詳細に説明する追加の概念（かかる概念が相互に矛盾しないという条件で）の全ての組合せは、本明細書で開示する発明の主題の一部と考えられる。参照によって組み込まれる任意の開示内にも出現し得る本明細書で明示的に採用される用語は、本明細書で開示する特定の概念と最も一致する意味と合致すべきである。
【０１７２】
［0222］  当業者は、図は主に例示目的であり、本明細書で説明する発明の主題の範囲を制限することを意図していないことを理解するであろう。図は、必ずしも原寸に比例しておらず、いくつかの場合には、明細書で説明する発明の主題の様々な態様が、異なる特徴の理解を容易にするために、図中で誇張又は拡大して示され得る。図中、同様の参照文字は一般に、同様の特徴（例えば、機能的に同様及び／又は構造的に同様の要素）を指す。
【０１７３】
［0223］  様々な問題に対処して技術を向上させるために、本出願の全体（表紙、発明の名称、見出し、背景技術、発明の概要、図面の簡単な説明、発明を実施するための形態、請求項、要約、図面、付属書類、及び他）は、実例として、請求された技術革新が実施され得る様々な実施形態を示す。本出願の利点及び特徴は、実施形態の代表サンプルにすぎず、包括的及び／又は排他的ではない。それらは、理解を支援して請求された原理を教示するために提示される。
【０１７４】
［0224］  それらは全ての請求された技術革新を代表するものではないことが理解されるべきである。そのため、本開示のある態様は、本明細書では説明されていない。代替実施形態は、技術革新の特定の部分のために提示されていない可能性があること、又はさらに記述されていない代替実施形態は、部分に対して利用可能であり得ることは、それらの代替実施形態の免責条項とは見なされない。それらの記述されていない実施形態の多くは、技術革新の同じ原理を組み込み、他は同等であることが理解されよう。従って、他の実施形態が利用され得、機能的、論理的、操作的、組織的、構造的及び／又は位相的な変更が、本開示の範囲及び／又は精神から逸脱することなく行われ得ることが理解される。そのため、全ての例及び／又は実施形態は、本開示を通して限定されないと考えられる。
【０１７５】
［0225］  また、本明細書で説明しないものに対して、スペース及び繰返しを減らす目的で、そのようであるもの以外に、本明細書で説明するそれらの実施形態に関して、推断すべきでない。例えば、図中及び／又は全体を通して記述されている、任意のプログラム構成要素（構成要素の集合）、他の構成要素及び／又は任意の現在の特徴セットの任意の組合せの論理的及び／又は位相的な構造は、固定の動作順序及び／又は配列に限定されず、むしろ、任意の開示する順序は例示であり、順序に関わらず、全ての同等物が本開示によって企図されることを理解されたい。
【０１７６】
［0226］  様々な発明概念は、１つ以上の方法として具現化され得、その少なくとも１つの例が提供されている。方法の部分として実行される動作は、任意の適切な方法で順序付けされ得る。それに応じて、動作が、例示されるものとは異なる順序で実行される実施形態が構築され得、それは、たとえ、例示的な実施形態で連続的な動作として示されていても、いくつかの動作を同時に実行することを含み得る。言い換えれば、かかる特徴は必ずしも実行の特定の順序に限定されず、むしろ、任意の数のスレッド、プロセス、サービス、及び／又は同様のものは、連続的に、非同期的に、同時に（ｃｏｎｃｕｒｒｅｎｔｌｙ）、並行して、同時に（ｓｉｍｕｌｔａｎｅｏｕｓｌｙ）、同期して、及び／又は本開示と一致する方法で同様に実行し得ることが理解される。そのため、これらの特徴の一部は、単一の実施形態内に同時に存在できないという点において、相互に矛盾し得る。同様に、いくつかの特徴は、技術革新の１つの態様に適用可能であり、他には適用できない。
【０１７７】
［0227］  加えて、本開示は、現在、請求されていない他の技術革新を含み得る。出願者は、かかる技術革新を請求する権利、追加出願、継続出願、一部継続出願、分割出願、及び／又はその同様のものを提出する権利を含む、それら未請求の技術革新における全ての権利を保留する。そのため、本開示の利点、実施形態、例、機能的、特徴、論理的、操作的、組織的、構造的、位相的、及び／又は他の態様は、請求項によって定義される本開示に関する制限又は請求項と同等物に関する制限と見なされないことが理解されるべきである。個人及び／又は企業ユーザの特定の要求及び／又は特性、データベース構成及び／又は関係モデル、データタイプ、データ伝送及び／又はネットワークフレームワーク、シンタックス構造、及び／又は同様のものに基づいて、本明細書で開示する技術の様々な実施形態が、本明細書で説明するように多大な柔軟性及びカスタマイゼーションを可能にする方法で実装され得る。
【０１７８】
［0228］  本明細書で定義及び使用される、全ての定義は、辞書定義、参照によって組み込まれる文書における定義、及び／又は定義された用語の通常の意味を制御すると理解すべきである。
【０１７９】
［0229］  本明細書及び請求項で使用される、不定冠詞「１つの（ａ）」及び「１つの（ａｎ）」は、それとは反対の明瞭な指示がない限り、「少なくとも１つ」を意味すると理解すべきである。
【０１８０】
［0230］  句「及び／又は」は、本明細書及び請求項では、そのように結合された要素の「どちらか一方又は両方」、すなわち、いくつかの場合には結合的に存在し、他の場合には選言的に存在する要素を意味すると理解すべきである。「及び／又は」と共にリストされた複数の要素は、同じように、すなわち、そのように結合された要素の「１つ又は複数」と解釈すべきである。「及び／又は」句によって具体的に識別された要素以外に、具体的に識別された要素に関連しているか関連していないかに関わらず、他の要素が任意選択として存在し得る。従って、限定されない例として、「Ａ及び／又はＢ」の言及は、「を含む（ｃｏｍｐｒｉｓｉｎｇ）」などの制約がない語と共に使用される場合、一実施形態では、Ａだけ（任意選択としてＢ以外の要素を含む）；別の実施形態では、Ｂだけ（任意選択としてＡ以外の要素を含む）；さらに別の実施形態では、ＡとＢの両方（任意選択として他の要素を含む）；など、を指すことができる。
【０１８１】
［0231］  明細書及び請求項で使用されるように、「又は」は、上で定義されたように「及び／又は」と同じ意味を有すると理解すべきである。例えば、リスト内の項目を区切る場合、「又は」又は「及び／又は」は、包括的として解釈すべきであり、すなわち、いくつかの、又はリストの要素の、少なくとも１つを含むが、２つ以上も含み、また、任意選択として、追加のリストされていない項目も含む。それとは反対に「〜の１つだけ」又は「〜のちょうど１つ」など、「だけ」という用語が明瞭に示されているか、請求項で「から構成される（ｃｏｎｓｉｓｔｉｎｇ  ｏｆ）」が使用される場合、いくつかの、又はリストの要素のちょうど１つだけの要素の包含に言及する。一般に、用語「又は」は本明細書では、「いずれか」、「〜の１つ」、「の１つだけ」、又は「〜のちょうど１つ」などの排他的な用語が続く場合、排他的な選択肢を示すとして解釈されるだけである。「基本的に〜から構成される」は、請求項で使用される場合、特許法の分野で使用される通りその普通の意味を有するものとする。
【０１８２】
［0232］  本明細書及び請求項では、１つ以上の要素のリストに対する言及における句「少なくとも１つ」は、要素のリスト内の要素の任意の１つ以上から選択された少なくとも１つの要素を意味するが、必ずしも、要素のリスト内に具体的にリストされたあらゆる要素の少なくとも１つを含まず、要素のリスト内の要素の任意の組合せを除外しないと理解すべきである。この定義は、句「少なくとも１つ」が言及する要素のリスト内で具体的に識別された要素以外に、具体的に識別されたそれら要素に関連しているか関連していないかに関わらず、要素が任意選択として存在し得ることも認める。従って、限定されない例として、「Ａ及びＢの少なくとも１つ」（又は、同等に、「Ａ又はＢの少なくとも１つ」、又は、同等に、「Ａ及び／又はＢの少なくとも１つ」）は、一実施形態では、Ｂが存在せず、少なくとも１つの、任意選択として２つ以上を含む、Ａ（及び任意選択として、Ｂ以外の要素を含む）；別の実施形態では、Ａが存在せず、少なくとも１つの、任意選択として２つ以上を含む、Ｂ（及び任意選択として、Ａ以外の要素を含む）；さらに別の実施形態では、少なくとも１つの、任意選択として２つ以上を含む、Ａ、及び少なくとも１つの、任意選択として２つ以上を含む、Ｂ（及び任意選択として、他の要素を含む）；などを指すことができる。
【０１８３】
［0233］  請求項では、前述の明細書においてと同様、「備える（ｃｏｍｐｒｉｓｉｎｇ）」、「含む（ｉｎｃｌｕｄｉｎｇ）」、「持つ（ｃａｒｒｙｉｎｇ）」、「有する（ｈａｖｉｎｇ）」、「包含する（ｃｏｎｔａｉｎｉｎｇ）」、「伴う（ｉｎｖｏｌｖｉｎｇ）」、「保持する（ｈｏｌｄｉｎｇ）」、「から構成される（ｃｏｍｐｏｓｅｄ  ｏｆ）」、及び同様のものなどの、全ての移行句は、非限定、すなわち、含むがそれらに限定されないことを意味すると理解される。移行句「〜から構成される（ｃｏｎｓｉｓｔｉｎｇ  ｏｆ）」及び「基本的に〜から構成される（ｃｏｎｓｉｓｔｉｎｇ  ｅｓｓｅｎｔｉａｌｌｙ  ｏｆ）」だけが、それぞれ、米国特許審査便覧、第２１１１．０３節に記載のとおり、閉じた移行句又は半分閉じた移行句とする。
【図１Ａ】
2019516433.tif 000022
【図１Ｂ】
2019516433.tif 000023
【図１Ｃ】
2019516433.tif 000024
【図２Ａ】
2019516433.tif 000025
【図２Ｂ】
2019516433.tif 000026
【図３Ａ】
2019516433.tif 000027
【図３Ｂ】
2019516433.tif 000028
【図４Ａ】
2019516433.tif 000029
【図４Ｂ】
2019516433.tif 000030
【図５】
2019516433.tif 000031
【図６Ａ】
2019516433.tif 000032
【図６Ｂ】
2019516433.tif 000033
【図６Ｃ】
2019516433.tif 000034
【図７Ａ】
2019516433.tif 000035
【図７Ｂ】
2019516433.tif 000036
【図７Ｃ】
2019516433.tif 000037
【図７Ｄ】
2019516433.tif 000038
【図７Ｅ】
2019516433.tif 000039
【図７Ｆ】
2019516433.tif 000040
【図８Ａ】
2019516433.tif 000041
【図８Ｂ】
2019516433.tif 000042
【図８Ｃ】
2019516433.tif 000043
【図８Ｄ】
2019516433.tif 000044
【図８Ｅ】
2019516433.tif 000045
【図８Ｆ】
2019516433.tif 000046
【図８Ｇ】
2019516433.tif 000047
【図８Ｈ】
2019516433.tif 000048
【図８Ｉ】
2019516433.tif 000049
【図９Ａ】
2019516433.tif 000050
【図９Ｂ】
2019516433.tif 000051
【図９Ｃ】
2019516433.tif 000052
【図１０】
2019516433.tif 000053
【図１０Ａ】
2019516433.tif 000054
【図１０Ｂ】
2019516433.tif 000055
【図１０Ｃ】
2019516433.tif 000056
【図１０Ｄ】
2019516433.tif 000057
【図１０Ｅ】
2019516433.tif 000058
【図１０Ｆ】
2019516433.tif 000059
【図１０Ｇ】
2019516433.tif 000060
【図１１Ａ】
2019516433.tif 000061
【図１２Ａ】
2019516433.tif 000062
【図１２Ｂ】
2019516433.tif 000063
【図１２Ｃ】
2019516433.tif 000064
【図１３Ａ】
2019516433.tif 000065
【図１３Ｂ】
2019516433.tif 000066
【図１３Ｃ】
2019516433.tif 000067
【図１３Ｄ】
2019516433.tif 000068
【図１３Ｅ】
2019516433.tif 000069
【図１３Ｆ】
2019516433.tif 000070
【図１４Ａ】
2019516433.tif 000071
【図１４Ｂ】
2019516433.tif 000072
【図１４Ｃ】
2019516433.tif 000073
【図１４Ｄ】
2019516433.tif 000074
【図１４Ｅ】
2019516433.tif 000075
【図１４Ｆ】
2019516433.tif 000076
【図１４Ｇ】
2019516433.tif 000077
【図１４Ｈ】
2019516433.tif 000078
【図１４Ｉ】
2019516433.tif 000079
【図１４Ｊ】
2019516433.tif 000080
【図１４Ｋ】
2019516433.tif 000081
【図１５】
2019516433.tif 000082
【図１６Ａ】
2019516433.tif 000083
【図１６Ｂ】
2019516433.tif 000084
【図１６Ｃ】
2019516433.tif 000085
【図１７Ａ】
2019516433.tif 000086
【図１７Ｂ】
2019516433.tif 000087
【図１８Ａ】
2019516433.tif 000088
【図１８Ｂ】
2019516433.tif 000089
【図１８Ｃ】
2019516433.tif 000090
【図１８Ｄ】
2019516433.tif 000091
【図１９Ａ】
2019516433.tif 000092
【図１９Ｂ】
2019516433.tif 000093
【図２０】
2019516433.tif 000094
【図２１】
2019516433.tif 000095
【図２２】
2019516433.tif 000096
【図２３Ａ】
2019516433.tif 000097
【図２３Ｂ】
2019516433.tif 000098
【図２３Ｃ】
2019516433.tif 000099
【図２３Ｄ】
2019516433.tif 000100
【図２３Ｅ】
2019516433.tif 000101
【図２３Ｆ】
2019516433.tif 000102
【図２４Ａ】
2019516433.tif 000103
【図２４Ｂ】
2019516433.tif 000104
【図２４Ｃ】
2019516433.tif 000105
【図２４Ｄ】
2019516433.tif 000106
【図２４Ｅ】
2019516433.tif 000107
【図２５Ａ】
2019516433.tif 000108
【図２５Ｂ】
2019516433.tif 000109
【図２５Ｃ】
2019516433.tif 000110
【図２５Ｄ】
2019516433.tif 000111
【図２５Ｅ】
2019516433.tif 000112
【図２６Ａ】
2019516433.tif 000113
【図２６Ｂ】
2019516433.tif 000114
【図２６Ｃ】
2019516433.tif 000115
【図２６Ｄ】
2019516433.tif 000116
【図２６Ｅ】
2019516433.tif 000117
【図２７Ａ】
2019516433.tif 000118
【図２７Ｂ】
2019516433.tif 000119
【図２７Ｃ】
2019516433.tif 000120
【図２７Ｄ】
2019516433.tif 000121
【図２７Ｅ】
2019516433.tif 000122
【図２７Ｆ】
2019516433.tif 000123
【図２７Ｇ】
2019516433.tif 000124
【図２７Ｈ】
2019516433.tif 000125
【図２７Ｉ】
2019516433.tif 000126
【図２８Ａ】
2019516433.tif 000127
【図２８Ｂ】
2019516433.tif 000128
【図２８Ｃ】
2019516433.tif 000129
【図２８Ｄ】
2019516433.tif 000130
【図２８Ｅ】
2019516433.tif 000131
【図２８Ｆ】
2019516433.tif 000132
【図２８Ｇ】
2019516433.tif 000133
【図２８Ｈ】
2019516433.tif 000134
【図２９】
2019516433.tif 000135
【図３０Ａ】
2019516433.tif 000136
【図３０Ｂ】
2019516433.tif 000137
【図３０Ｃ】
2019516433.tif 000138
【図３０Ｄ】
2019516433.tif 000139
【図３０Ｅ】
2019516433.tif 000140
【図３０Ｆ】
2019516433.tif 000141
【図３０Ｇ】
2019516433.tif 000142
【図３０Ｈ】
2019516433.tif 000143
【図３０Ｉ】
2019516433.tif 000144
【図３０Ｊ】
2019516433.tif 000145
【図３０Ｋ】
2019516433.tif 000146
【図３０Ｌ】
2019516433.tif 000147
【図３０Ｍ】
2019516433.tif 000148
【図３０Ｎ】
2019516433.tif 000149
【図３０Ｏ】
2019516433.tif 000150
【図３０Ｐ】
2019516433.tif 000151
【図３０Ｑ】
2019516433.tif 000152
【図３０Ｒ】
2019516433.tif 000153
【図３０Ｓ】
2019516433.tif 000154
【図３０Ｔ】
2019516433.tif 000155
【図３０Ｕ】
2019516433.tif 000156
【図３０Ｖ】
2019516433.tif 000157
【図３０Ｗ】
2019516433.tif 000158
【図３１】
2019516433.tif 000159
【図３１Ａ】
2019516433.tif 000160
【図３１Ｂ】
2019516433.tif 000161
【図３１Ｃ】
2019516433.tif 000162
【図３１Ｄ】
2019516433.tif 000163
【図３１Ｅ】
2019516433.tif 000164
【図３１Ｆ】
2019516433.tif 000165
2019516433.tif 000166
【国際調査報告】
2019516433.tif 000167
2019516433.tif 000168